(57)【特許請求の範囲】
【請求項１】
無線通信システムにおいて、端末が物理下り共有チャネル（ＰＤＳＣＨ）信号を受信する方法であって、
下りリンクサブフレームにおいて前記ＰＤＳＣＨの開始シンボルインデクスを決定するステップと、
前記開始シンボルインデクスに基づいて前記ＰＤＳＣＨ信号を受信するステップと、を有し、
前記下りリンクサブフレームが特定サブフレームセットに属する場合、ＰＤＳＣＨ開始シンボルインデクスｋは、ｋ＝ｍｉｎ（ＫThreshold，Ｋ）によって決定され、
ＫThresholdは、所定のしきい値であり、
Ｋは、前記下りリンクサブフレームが前記特定サブフレームセットに属しない場合のＰＤＳＣＨ開始シンボルインデクスであり、
ｍｉｎ（ＫThreshold，Ｋ）は、ＫThreshold及びＫのうちの最小値である、方法。
【請求項２】
前記特定サブフレームセットは、マルチキャスト・ブロードキャスト単一周波網（ＭＢＳＦＮ）サブフレームセットである、請求項１に記載の方法。
【請求項３】
上位層シグナリングを介して、特定サブフレーム設定情報を有するＰＤＳＣＨリソース要素マップ及び準共設指示子（ＰＱＩ）パラメータセットを受信するステップをさらに有し、
前記下りリンクサブフレームが前記特定サブフレームセットに属するか否かは、前記特定サブフレーム設定情報に基づいて決定される、請求項１に記載の方法。
【請求項４】
ＫThreshold＝２である、請求項１に記載の方法。
【請求項５】
前記端末に対してＰＱＩパラメータセットに含まれるＰＤＳＣＨ開始シンボル値が上位層によって設定される場合、Ｋは、前記ＰＱＩパラメータセットに含まれるＰＤＳＣＨ開始シンボル値によって決定される、請求項１に記載の方法。
【請求項６】
前記ＰＤＳＣＨは、物理下り制御チャネル（ＰＤＣＣＨ）又は強化ＰＤＣＣＨ（ＥＰＤＣＣＨ）の下りリンク制御情報（ＤＣＩ）によって割り当てられる、請求項５に記載の方法。
【請求項７】
前記ＤＣＩがＤＣＩフォーマット２Ｄによって構成される場合、前記ＰＱＩパラメータセットは、前記ＤＣＩフォーマット２ＤのＰＱＩフィールドの状態値によって決定される、請求項６に記載の方法。
【請求項８】
前記ＤＣＩがＤＣＩフォーマット１Ａによって構成される場合、前記ＰＱＩパラメータセットは、最も低いインデクスを有するＰＱＩパラメータセットである、請求項６に記載の方法。
【請求項９】
前記ＰＱＩパラメータセットは、
セル特定参照信号（ＣＲＳ）ポート個数情報、ＣＲＳ周波数シフト情報、ＭＢＳＦＮサブフレーム設定情報、零電力チャネル状態情報参照信号（ＺＰ ＣＳＩ−ＲＳ）設定情報、前記ＰＤＳＣＨ開始シンボル値、及び非零電力チャネル状態情報参照信号（ＮＺＰ ＣＳＩ−ＲＳ）設定情報に対応するパラメータのうち一つ以上のパラメータを含み、
前記ＭＢＳＦＮサブフレーム設定情報は、前記特定サブフレームセットを設定する情報である、請求項５に記載の方法。
【請求項１０】
前記端末は、送信モード１０（ＴＭ１０）に設定される、請求項１に記載の方法。
【請求項１１】
ｋは、前記下りリンクサブフレームにおいて前記ＰＤＳＣＨがマップされる開始直交周波数分割多重化（ＯＦＤＭ）シンボルを示す、請求項１に記載の方法。
【請求項１２】
無線通信システムにおいて物理下り共有チャネル（ＰＤＳＣＨ）信号を受信する端末装置であって、
送信モジュールと、
受信モジュールと、
プロセッサと、を備え、
前記プロセッサは、下りリンクサブフレームにおいて前記ＰＤＳＣＨの開始シンボルインデクスを決定し、前記開始シンボルインデクスに基づいて前記ＰＤＳＣＨ信号を前記受信モジュールを用いて受信するように設定され、
前記下りリンクサブフレームが特定サブフレームセットに属する場合、ＰＤＳＣＨ開始シンボルインデクスｋは、ｋ＝ｍｉｎ（ＫThreshold，Ｋ）によって決定され、
ＫThresholdは、所定のしきい値であり、
Ｋは、前記下りリンクサブフレームが前記特定サブフレームセットに属しない場合のＰＤＳＣＨ開始シンボルインデクスであり、
ｍｉｎ（ＫThreshold，Ｋ）は、ＫThreshold及びＫのうちの最小値である、端末装置。
【発明の詳細な説明】
【技術分野】
【０００１】
以下の説明は、無線通信システムに関し、特に、アンテナポート相互関係を考慮した下りリンク信号送受信方法及び装置に関する。
【背景技術】
【０００２】
多入力多出力（Ｍｕｌｔｉ−Ｉｎｐｕｔ  Ｍｕｌｔｉ−Ｏｕｔｐｕｔ、ＭＩＭＯ）技術は、単一の送信アンテナ及び単一の受信アンテナを用いることから脱却し、複数の送信アンテナ及び複数の受信アンテナを用いてデータの送受信効率を向上させる技術である。受信端は、単一のアンテナを用いる場合には単一のアンテナ経路（ｐａｔｈ）を通してデータを受信するが、複数のアンテナを用いる場合には複数の経路を通してデータを受信する。したがって、データの送信速度及び送信量を向上させることができ、サービス範囲（ｃｏｖｅｒａｇｅ）を増大させることができる。
【０００３】
ＭＩＭＯ動作の多重化利得を高めるために、ＭＩＭＯ送信端はＭＩＭＯ受信端からフィードバックされたチャネル状態情報（ＣＳＩ）を用いることができる。受信端では、送信端からの所定の参照信号（ＲＳ）を用いてチャネル測定を行うことによってＣＳＩを決定することができる。
【発明の概要】
【発明が解決しようとする課題】
【０００４】
発展した無線通信システムでは、別個のアンテナポート間の相互関係を様々に定義することができる。例えば、ネットワーク側の別個のＲＳポートが、実際に同一の位置に存在するか否かを問わず、端末側で、別個のＲＳポートが準共設（Ｑｕａｓｉ  Ｃｏ−Ｌｏｃａｔｅｄ、ＱＣＬ）されていると仮定するか、又はＱＣＬされていないと仮定することができる。
【０００５】
本発明は、アンテナポートの相互関係（特に、ＱＣＬ関係）を考慮して、ネットワーク側から送信される下りリンク信号を端末側で正確、かつ効率的に受信する方法を提供することを目的とする。
【０００６】
本発明で達成しようとする技術的課題は、上記の技術的課題に制限されず、言及していない他の技術的課題は、以下の記載から、本発明の属する技術の分野における通常の知識を有する者に明確に理解されるであろう。
【課題を解決するための手段】
【０００７】
上記の技術的課題を解決するために、本発明の一実施例による、無線通信システムにおいて端末が物理下り共有チャネル（ＰＤＳＣＨ）信号を受信する方法は、下りリンクサブフレームにおいてＰＤＳＣＨの開始シンボルインデクスを決定するステップと、開始シンボルインデクスに基づいてＰＤＳＣＨ信号を受信するステップと、を含むことができる。下りリンクサブフレームが特定サブフレームセットに属する場合のＰＤＳＣＨ開始シンボルインデクスｋは、ｋ＝ｍｉｎ（ＫThreshold，Ｋ）によって決定され、ＫThresholdは、所定のしきい値であり、Ｋは、下りリンクサブフレームが特定サブフレームセットに属しない場合のＰＤＳＣＨ開始シンボルインデクスであり、ｍｉｎ（ＫThreshold，Ｋ）は、ＫThreshold及びＫのうち最小値であってもよい。
【０００８】
上記の技術的課題を解決するために、本発明の他の実施例による、無線通信システムにおいて物理下り共有チャネル（ＰＤＳＣＨ）信号を受信する端末装置は、送信モジュールと、受信モジュールと、プロセッサと、を備えることができる。プロセッサは、下りリンクサブフレームにおいてＰＤＳＣＨの開始シンボルインデクスを決定し、開始シンボルインデクスに基づいてＰＤＳＣＨ信号を受信モジュールを用いて受信するように設定してもよい。下りリンクサブフレームが特定サブフレームセットに属する場合のＰＤＳＣＨ開始シンボルインデクスｋは、ｋ＝ｍｉｎ（ＫThreshold，Ｋ）によって決定され、ＫThresholdは、所定のしきい値であり、Ｋは、下りリンクサブフレームが特定サブフレームセットに属しない場合のＰＤＳＣＨ開始シンボルインデクスであり、ｍｉｎ（ＫThreshold，Ｋ）は、ＫThreshold及びＫのうち最小値であってもよい。
【０００９】
上記の本発明による実施例において以下の事項を共通に適用することができる。
【００１０】
特定サブフレームセットは、マルチキャスト・ブロードキャスト単一周波網（ＭＢＳＦＮ）サブフレームセットであってもよい。
【００１１】
特定サブフレームセットは、端末に対して上位層によって設定されたＰＤＳＣＨリソース要素マップ及び準共設（Ｑｕａｓｉ  ｃｏ−ｌｏｃａｔｉｏｎ）指示子（ＰＱＩ）パラメータセットに含まれる特定サブフレーム設定情報によって決定してもよい。
【００１２】
ＫThreshold＝２であってもよい。
【００１３】
端末に対してＰＱＩパラメータセットに含まれるＰＤＳＣＨ開始シンボル値が上位層によって設定される場合、Ｋは、ＰＱＩパラメータセットに含まれるＰＤＳＣＨ開始シンボル値によって決定してもよい。
【００１４】
ＰＤＳＣＨは、物理下り制御チャネル（ＰＤＣＣＨ）又はＥＰＤＣＣＨ（Ｅｎｈａｎｃｅｄ  ＰＤＣＣＨ）の下りリンク制御情報（ＤＣＩ）によって割り当てられてもよい。
【００１５】
ＤＣＩがＤＣＩフォーマット２Ｄによって構成される場合、ＰＱＩパラメータセットは、ＤＣＩフォーマット２ＤのＰＱＩフィールドの状態値によって決定してもよい。
【００１６】
ＤＣＩがＤＣＩフォーマット１Ａによって構成される場合、ＰＱＩパラメータセットは、最も低いインデクスを有するＰＱＩパラメータセットであってもよい。
【００１７】
ＰＱＩパラメータセットは、セル特定参照信号（ＣＲＳ）ポート個数情報、ＣＲＳ周波数シフト情報、ＭＢＳＦＮサブフレーム設定情報、零電力ＣＳＩ参照信号（ＺＰ ＣＳＩ−ＲＳ）設定情報、ＰＤＳＣＨ開始シンボル値、及び非零電力ＣＳＩ参照信号（ＮＺＰ ＣＳＩ−ＲＳ）設定情報のうち一つ以上のパラメータを含んでもよい。ここで、ＭＢＳＦＮサブフレーム設定情報は、特定サブフレームセットを設定する情報であってもよい。
【００１８】
端末は、送信モード１０（ＴＭ１０）に設定してもよい。
【００１９】
ｋは、下りリンクサブフレームにおいてＰＤＳＣＨがマップされる開始直交周波数分割多重化（ＯＦＤＭ）シンボルを指示してもよい。
【００２０】
本発明について前述した一般的な説明及び後述する詳細な説明は例示的なものであり、請求項に記載の発明に関する更なる説明のためのものである。
【発明の効果】
【００２１】
本発明によれば、アンテナポートの相互関係（特に、ＱＣＬ関係）を考慮して、ネットワーク側から送信される下りリンク信号を端末側で正確、かつ効率的に受信する方法を提供することができる。
【００２２】
本発明から得られる効果は以上で言及した効果に制限されず、言及していない他の効果は、以下の記載から、本発明の属する技術の分野における通常の知識を有する者には明らかであろう。
【００２３】
本明細書に添付される図面は、本発明に関する理解を提供するためのものであり、本発明の様々な実施の形態を示し、明細書の記載と共に本発明の原理を説明する。
【図面の簡単な説明】
【００２４】
【図１】無線フレームの構造を説明するための図である。
【図２】下りリンクスロットにおけるリソースグリッドを示す図である。
【図３】下りリンクサブフレームの構造を示す図である。
【図４】上りリンクサブフレームの構造を示す図である。
【図５】複数アンテナを有する無線通信システムの構成図である。
【図６】一つのリソースブロック対におけるＣＲＳ及びＤＲＳの例示的なパターンを示す図である。
【図７】ＬＴＥ−Ａシステムで定義されるＤＭＲＳパターンの一例を示す図である。
【図８】ＬＴＥ−Ａシステムで定義されるＣＳＩ−ＲＳパターンの例示を示す図である。
【図９】ＣＳＩ−ＲＳが周期的に送信される方式の一例を説明するための図である。
【図１０】搬送波集約を説明するための図である。
【図１１】交差搬送波スケジュールを説明するための図である。
【図１２】本発明によるＰＤＳＣＨ信号送受信方法を説明するためのフローチャートである。
【図１３】本発明による基地局装置及び端末装置の好適な実施例の構成を示す図である。
【発明を実施するための形態】
【００２５】
以下の実施例は、本発明の構成要素と特徴を所定の形態で結合したものである。各構成要素又は特徴は、特別の言及がない限り、選択的なものと考えてもよい。各構成要素又は特徴は、他の構成要素又は特徴と結合していない形態で実施してもよいし、一部の構成要素及び／又は特徴を結合して本発明の実施例を構成してもよい。本発明の実施例で説明される動作の順序は変更してもよい。ある実施例の一部の構成又は特徴は、他の実施例に含まれてもよいし、他の実施例の対応する構成又は特徴に置き換えてもよい。
【００２６】
本明細書において、本発明の実施例を、基地局と端末との間のデータ送受信の関係を中心に説明する。ここで、基地局は、端末と通信を直接行うネットワークの終端ノード（ｔｅｒｍｉｎａｌ  ｎｏｄｅ）としての意味を持つ。本明細書において基地局によって行われるとした特定動作は、場合によっては基地局の上位ノードによって行われることもある。
【００２７】
すなわち、基地局を含めた複数のネットワークノードからなるネットワークにおいて端末との通信のために行われる様々な動作は、基地局、又は基地局以外の他のネットワークノードによって行われ得ることは明らかである。「基地局（Ｂａｓｅ  Ｓｔａｔｉｏｎ、ＢＳ）」は、固定局、ノードＢ（Ｎｏｄｅ Ｂ）、進化ノードＢ（ｅＮｏｄｅ Ｂ、ｅＮＢ）、アクセスポイント（ＡＰ）、遠隔無線装置（Ｒｅｍｏｔｅ  Ｒａｄｉｏ  Ｈｅａｄ、ＲＲＤ）、送信ポイント（ＴＰ）、受信ポイント（ＲＰ）などの用語に置き換えてもよい。中継器は、リレーノード（ＲＮ）、ＲＳ（Ｒｅｌａｙ  Ｓｔａｔｉｏｎ）などの用語に置き換えてもよい。また、「端末（Ｔｅｒｍｉｎａｌ）」は、ユーザ装置（Ｕｓｅｒ  Ｅｑｕｉｐｍｅｎｔ、ＵＥ）、移動機（Ｍｏｂｉｌｅ  Ｓｔａｔｉｏｎ、ＭＳ）、移動加入者局（Ｍｏｂｉｌｅ  Ｓｕｂｓｃｒｉｂｅｒ  Ｓｔａｔｉｏｎ、ＭＳＳ）、加入者局（Ｓｕｂｓｃｒｉｂｅｒ  Ｓｔａｔｉｏｎ、ＳＳ）などの用語に置き換えてもよい。
【００２８】
以下の説明で使われる特定用語は、本発明の理解を助けるために提供されるものであり、このような特定用語の使用は、本発明の技術的思想から逸脱しない範囲で他の形態に変更してもよい。
【００２９】
場合によって、本発明の概念があいまいになることを避けるために、公知の構造及び装置は省略されるか、又は各構造及び装置の核心機能を中心にしたブロック図の形式で図示されることがある。また、本明細書を通じて同一の構成要素には同一の図面符号を付して説明する。
【００３０】
本発明の実施例は、無線接続システムであるＩＥＥＥ８０２システム、第３世代パートナシッププロジェクト（３ＧＰＰ）システム、３ＧＰＰ長期進化システム（ＬＴＥ）及び高度ＬＴＥシステム（ＬＴＥ−Ａ）、及び３ＧＰＰ２システムの少なくとも一つに開示された標準文書によってサポートされる。すなわち、本発明の実施例において、本発明の技術的思想を明確にするために説明を省いた段階又は部分は、上記の文書によってサポートされる。また、本明細書において開示している用語はいずれも上記の標準文書によってサポートされている。
【００３１】
以下の技術は、符号分割多元接続（ＣＤＭＡ）、周波数分割多元接続（ＦＤＭＡ）、時分割多元接続（ＴＤＭＡ）、直交周波数分割多元接続（ＯＦＤＭＡ）、単一搬送周波数分割多元接続（ＳＣ−ＦＤＭＡ）などのような様々な無線接続システムにおいて用いることができる。ＣＤＭＡは、はん用地上無線接続（ＵＴＲＡ）又はＣＤＭＡ２０００のような無線技術によって具現することができる。ＴＤＭＡは、ＧＳＭ（登録商標）／一般パケット無線サービス（ＧＰＲＳ）／ＧＳＭ（登録商標）進化用強化データ速度（ＥＤＧＥ）のような無線技術によって具現することができる。ＯＦＤＭＡは、ＩＥＥＥ８０２．１１（Ｗｉ−Ｆｉ）、ＩＥＥＥ８０２．１６（ＷｉＭＡＸ）、ＩＥＥＥ８０２−２０、進化ＵＴＲＡ（Ｅ−ＵＴＲＡ）などのような無線技術によって具現することができる。ＵＴＲＡははん用移動体通信システム（ＵＭＴＳ）の一部である。３ＧＰＰ ＬＴＥは、Ｅ−ＵＴＲＡを使用する進化ＵＭＴＳ（Ｅ−ＵＭＴＳ）の一部であり、下りリンクにおいてＯＦＤＭＡを採用し、上りリンクにおいてＳＣ−ＦＤＭＡを採用する。ＬＴＥ−Ａは、３ＧＰＰ ＬＴＥの進化形である。ＷｉＭＡＸは、ＩＥＥＥ８０２．１６ｅ規格（Ｗｉｒｅｌｅｓｓ  ＭＡＮ−ＯＦＤＭＡ  Ｒｅｆｅｒｅｎｃｅ  Ｓｙｓｔｅｍ）及び進化したＩＥＥＥ８０２．１６ｍ規格（Ｗｉｒｅｌｅｓｓ  ＭＡＮ−ＯＦＤＭＡ  Ａｄｖａｎｃｅｄ  ｓｙｓｔｅｍ）によって説明することができる。明確性のために、以下では３ＧＰＰ ＬＴＥ及び３ＧＰＰ ＬＴＥ−Ａシステムを中心に説明するが、本発明の技術的思想がこれに制限されることはない。
【００３２】
図１は、無線フレームの構造を説明するための図である。
【００３３】
セルラＯＦＤＭ無線パケット通信システムにおいて、上り／下りリンクデータパケット送信はサブフレーム単位に行われ、１サブフレームは、複数のＯＦＤＭシンボルを含む一定の時間区間と定義される。３ＧＰＰ ＬＴＥ標準では、周波数分割２重通信（ＦＤＤ）に適用可能なタイプ１無線フレーム構造と、時分割２重通信（ＴＤＤ）に適用可能なタイプ２無線フレーム構造とをサポートする。
【００３４】
図１（ａ）は、タイプ１無線フレーム構造を示す図である。下りリンク無線フレームは１０個のサブフレームで構成され、１個のサブフレームは時間領域（ｔｉｍｅ  ｄｏｍａｉｎ）において２個のスロットで構成される。１個のサブフレームを送信するために掛かる時間を送信時間間隔（ＴＴＩ）という。例えば、１サブフレームの長さは１ｍｓであり、１スロットの長さは０．５ｍｓであってもよい。１スロットは時間領域において複数のＯＦＤＭシンボルを含み、周波数領域において複数のリソースブロック（ＲＢ）を含む。３ＧＰＰ ＬＴＥシステムでは、下りリンクでＯＦＤＭＡを用いるため、ＯＦＤＭシンボルが１シンボル区間を表す。ＯＦＤＭシンボルはＳＣ−ＦＤＭＡシンボル又はシンボル区間と呼ばれることもある。リソースブロック（ＲＢ）はリソース割当単位であり、１スロットにおいて複数の連続した副搬送波を含むことができる。
【００３５】
１スロットに含まれるＯＦＤＭシンボルの数は、循環プレフィクス（Ｃｙｃｌｉｃ  Ｐｒｅｆｉｘ、ＣＰ）の構成によって異なることがある。ＣＰには拡張ＣＰ（ｅｘｔｅｎｄｅｄ  ＣＰ）及び正規ＣＰ（ｎｏｒｍａｌ  ＣＰ）がある。例えば、ＯＦＤＭシンボルが正規ＣＰによって構成された場合、１スロットに含まれるＯＦＤＭシンボルの数は７個であってもよい。ＯＦＤＭシンボルが拡張ＣＰによって構成された場合、１ＯＦＤＭシンボルの長さが増加するため、１スロットに含まれるＯＦＤＭシンボルの数は、正規ＣＰの場合に比べて少ない。拡張ＣＰの場合、例えば、１スロットに含まれるＯＦＤＭシンボルの数は６個であってもよい。端末が高速で移動する場合などのようにチャネル状態が不安定な場合には、シンボル間干渉をより減らすために拡張ＣＰを用いることができる。
【００３６】
正規ＣＰが用いられる場合、１スロットは７個のＯＦＤＭシンボルを含み、１サブフレームは１４個のＯＦＤＭシンボルを含む。このとき、各サブフレームにおける先頭２個又は３個のＯＦＤＭシンボルは物理下りリンク制御チャネル（ＰＤＣＣＨ）に割り当て、残りのＯＦＤＭシンボルは物理下りリンク共有チャネル（ＰＤＳＣＨ）に割り当てることができる。
【００３７】
図１（ｂ）は、タイプ２無線フレームの構造を示す図である。タイプ２無線フレームは、２個のハーフフレームで構成され、各ハーフフレームは、５個のサブフレーム、下りリンクパイロット時間スロット（ＤｗＰＴＳ）、保護区間（ＧＰ）、及び上りリンクパイロット時間スロット（ＵｐＰＴＳ）で構成され、一つのサブフレームは２個のスロットで構成される。ＤｗＰＴＳ、ＧＰ及びＵｐＰＴＳで構成されるサブフレームを、特別サブフレームと呼ぶことができる。ＤｗＰＴＳは、端末での初期セル探索、同期化又はチャネル推定に用いられる。ＵｐＰＴＳは、基地局でのチャネル推定及び端末の上り送信同期を取ることに用いられる。保護区間は、上りリンクと下りリンクとの間の下りリンク信号の多重経路遅延によって生じる上りリンク上の干渉を除去するための区間である。一方、無線フレームのタイプにかかわらず、１個のサブフレームは２個のスロットで構成される。
【００３８】
無線フレームの構造は例示に過ぎず、無線フレームに含まれるサブフレームの数、サブフレームに含まれるスロットの数、又はスロットに含まれるシンボルの数は様々に変更することができる。
【００３９】
図２は、下りリンクスロットにおけるリソースグリッドを示す図である。
【００４０】
同図では、１下りリンクスロットが時間領域で７個のＯＦＤＭシンボルを含み、１ＲＢが周波数領域で１２個の副搬送波を含むとしているが、本発明はこれに制限されない。例えば、正規ＣＰの場合では１スロットが７ ＯＦＤＭシンボルを含むが、拡張ＣＰでは１スロットが６ ＯＦＤＭシンボルを含むことができる。リソースグリッド上の各要素をリソース要素と呼ぶ。１リソースブロックは１２×７個のリソース要素を含む。下りリンクスロットに含まれるリソースブロックの個数ＮＤＬは、下りリンク送信帯域幅に依存する。上りリンクスロットの構造は下りリンクスロットの構造と同一であってもよい。
【００４１】
図３は、下りリンクサブフレームの構造を示す図である。
【００４２】
１サブフレーム内で第一のスロットの先頭における最大３個のＯＦＤＭシンボルは、制御チャネルが割り当てられる制御領域に該当する。残りのＯＦＤＭシンボルは、ＰＤＳＣＨが割り当てられるデータ領域に該当する。
【００４３】
３ＧＰＰ ＬＴＥシステムで用いられる下り制御チャネルには、例えば、物理制御フォーマット指示子チャネル（ＰＣＦＩＣＨ）、ＰＤＣＣＨ、物理ＨＡＲＱ指示子チャネル（ＰＨＩＣＨ）などがある。ＰＣＦＩＣＨは、サブフレームの最初のＯＦＤＭシンボルで送信され、サブフレーム内の制御チャネル送信に用いられるＯＦＤＭシンボルの個数に関する情報を含む。ＰＨＩＣＨは、上り送信の応答としてＨＡＲＱ ＡＣＫ／ＮＡＣＫ信号を含む。ＰＤＣＣＨで送信される制御情報を、下りリンク制御情報（ＤＣＩ）という。ＤＣＩは、上りリンク又は下りリンクスケジュール情報を含むか、又は任意の端末グループに対する上り送信電力制御命令を含む。ＰＤＣＣＨは、下り共有チャネル（ＤＬ−ＳＣＨ）のリソース割当及び送信フォーマット、上り共有チャネル（ＵＬ−ＳＣＨ）のリソース割当情報、呼出しチャネル（ＰＣＨ）の呼出し情報、ＤＬ−ＳＣＨ上のシステム情報、ＰＤＳＣＨ上で送信されるランダム接続応答（Ｒａｎｄｏｍ  Ａｃｃｅｓｓ  Ｒｅｓｐｏｎｓｅ）のような上位層制御メッセージのリソース割当、任意の端末グループ内の個別端末に対する送信電力制御命令のセット、送信電力制御情報、ＩＰ電話（ＶｏＩＰ）の活性化などを含むことができる。複数のＰＤＣＣＨが制御領域内で送信され、端末は複数のＰＤＣＣＨを監視することもできる。
【００４４】
ＰＤＣＣＨは一つ以上の連続する制御チャネル要素（ＣＣＥ）の組合せ（ａｇｇｒｅｇａｔｉｏｎ）で送信される。ＣＣＥは、無線チャネルの状態に基づく符号化速度でＰＤＣＣＨを提供するために用いられる論理割当単位である。ＣＣＥは、複数のリソース要素グループに対応する。ＰＤＣＣＨのフォーマット及び利用可能なビット数は、ＣＣＥの個数と、ＣＣＥによって提供される符号化速度との相関関係によって決定される。
【００４５】
基地局は、端末に送信されるＤＣＩによってＰＤＣＣＨフォーマットを決定し、制御情報に巡回冗長検査ビット（ＣＲＣ）を付加する。ＣＲＣは、ＰＤＣＣＨの所有者又は用途によって無線ネットワーク臨時識別子（ＲＮＴＩ）という識別子でマスクされる。ＰＤＣＣＨが特定端末に対するものであるとき、端末のセルＲＮＴＩ（Ｃ−ＲＮＴＩ）をＣＲＣにマスクすることができる。又は、ＰＤＣＣＨが呼出しメッセージに対するものであるとき、呼出し指示子ＲＮＴＩ（Ｐ−ＲＮＴＩ）をＣＲＣにマスクすることができる。ＰＤＣＣＨがシステム情報（より具体的には、システム情報ブロック（ＳＩＢ））に対するものであるとき、システム情報識別子及びシステム情報ＲＮＴＩ（ＳＩ−ＲＮＴＩ）をＣＲＣにマスクすることができる。端末のランダム接続プリアンブルの送信に対する応答であるランダム接続応答を示すために、ランダム接続ＲＮＴＩ（ＲＡ−ＲＮＴＩ）をＣＲＣにマスクすることができる。
【００４６】
図４は、上りリンクサブフレームの構造を示す図である。
【００４７】
上りリンクサブフレームは、周波数領域で制御領域とデータ領域とに区別できる。制御領域には上りリンク制御情報を含む物理上り制御チャネル（ＰＵＣＣＨ）が割り当てられる。データ領域には、ユーザデータを含む物理上り共有チャネル（ＰＵＳＣＨ）が割り当てられる。単一搬送波特性を維持するために、一つの端末はＰＵＣＣＨ及びＰＵＳＣＨを同時に送信しない。一つの端末のＰＵＣＣＨは、サブフレームにおいてリソースブロック対（ＲＢ  ｐａｉｒ）に割り当てられる。リソースブロック対に属するリソースブロックは、２スロットに対して別個の副搬送波を占める。これを、ＰＵＣＣＨに割り当てられるリソースブロック対がスロット境界で周波数ホップするという。
【００４８】
複数アンテナシステムのモデル化
【００４９】
図５は、複数アンテナを有する無線通信システムの構成図である。
【００５０】
図５（ａ）に示すように、送信アンテナの数をＮT個、受信アンテナの数をＮR個と増やすと、送信機又は受信機のいずれか一方だけで複数のアンテナを用いる場合とは違い、アンテナ数に比例して理論的なチャネル送信容量が増加する。したがって、送信速度を向上させ、周波数効率を画期的に向上させることができる。チャネル送信容量が増加することによって、送信速度を、理論的に、単一アンテナ利用時の最大送信速度（Ｒo）に速度増加率（Ｒi）を掛けた分だけ増加させることができる。
【数１】
0006294327.tif 000002
【００５１】
例えば、４個の送信アンテナ及び４個の受信アンテナを用いるＭＩＭＯ通信システムでは、単一アンテナシステムに比べて理論上、４倍の伝送速度を得ることができる。複数アンテナシステムの理論的容量増加が９０年代半ばに証明されて以来、これを実質的なデータ送信速度の向上へと導くための種々の技術が現在まで活発に研究されている。それらのいくつかの技術は、既に３世代移動体通信及び次世代無線ＬＡＮなどの様々な無線通信の標準に反映されている。
【００５２】
現在までの複数アンテナ関連研究動向をみると、様々なチャネル環境及び多元接続環境における複数アンテナ通信容量計算などと関連した情報理論側面の研究、複数アンテナシステムの無線チャネル測定及びモデル導出の研究、並びに伝送信頼度の向上及び送信速度の向上のための時空間信号処理技術の研究などを含め、様々な観点で活発に研究が行われている。
【００５３】
複数アンテナシステムにおける通信方法を、数学モデルを用いてより具体的に説明する。当該システムには、ＮT個の送信アンテナ及びＮR個の受信アンテナが存在すると仮定する。
【００５４】
送信信号について説明すると、ＮT個の送信アンテナがある場合、送信可能な最大情報はＮT個である。送信情報を次の式２のように表現することができる。
【数２】
0006294327.tif 000003
【００５５】
それぞれの送信情報Ｓ１，Ｓ２，・・・，ＳＮＴは、送信電力が異なってもよい。それぞれの送信電力をＰ１，Ｐ２，・・・，ＰＮＴとすれば、送信電力の調整された送信情報は、次のように表現することができる。
【数３】
0006294327.tif 000004
【００５６】
また、
【数４】
0006294327.tif 000005
は、送信電力の対角行列Ｐを用いて次のように表現することができる。
【数５】
0006294327.tif 000006
【００５７】
送信電力の調整された情報ベクトル
【数６】
0006294327.tif 000007
に重み行列Ｗが適用され、実際に送信されるＮT個の送信信号ｘ１，ｘ２，・・・，ｘＮＴが構成される場合を考慮してみよう。重み行列Ｗは、送信情報を送信チャネル状況などに応じて各アンテナに適切に分配する役割を持つ。ｘ１，ｘ２，・・・，ｘＮＴは、ベクトルＸを用いて次のとおり表現することができる。
【数７】
0006294327.tif 000008
【００５８】
ここで、Ｗｉｊは、ｉ番目の送信アンテナとｊ番目の情報との間の加重値を意味する。Ｗは、プリコーディング行列と呼ぶこともできる。
【００５９】
受信信号ＮR個の受信アンテナがある場合、各アンテナの受信信号ｙ１，ｙ２，・・・，ｙＮＲは、次のようなベクトルで表現することができる。
【数８】
0006294327.tif 000009
【００６０】
複数アンテナ無線通信システムにおいてチャネルをモデル化する場合、チャネルは、送受信アンテナインデクスによって区別することができる。送信アンテナｊから受信アンテナｉを経るチャネルをｈｉｊと表示するものとする。ｈｉｊにおいて、受信アンテナインデクスが前であり、送信アンテナのインデクスが後であることに留意されたい。
【００６１】
一方、図５（ｂ）は、ＮT個の送信アンテナから受信アンテナｉへのチャネルを示す図である。これらのチャネルをまとめてベクトル及び行列の形態で表示することができる。図５（ｂ）において、合計ＮT個の送信アンテナから受信アンテナｉに到着するチャネルは、次のように表すことができる。
【数９】
0006294327.tif 000010
【００６２】
したがって、ＮT個の送信アンテナからＮR個の受信アンテナに到着するすべてのチャネルは、次のように表現することができる。
【数１０】
0006294327.tif 000011
【００６３】
実際のチャネルにはチャネル行列Ｈを経た後に加法性白色ガウス雑音（ＡＷＧＮ）が加わる。ＮR個の受信アンテナのそれぞれに加わる白色雑音ｎ１，ｎ２，・・・，ｎＮＲは、次のように表現することができる。
【数１１】
0006294327.tif 000012
【００６４】
上述した数学モデルによって受信信号を次のとおり表現することができる。
【数１２】
0006294327.tif 000013
【００６５】
一方、チャネル状態を表すチャネル行列Ｈの行及び列の数は、送受信アンテナの数によって決定される。チャネル行列Ｈにおいて、行の数は受信アンテナの数ＮRと同一であり、列の数は送信アンテナの数ＮTと同一である。すなわち、チャネル行列Ｈは、行列がＮR×ＮTとなる。
【００６６】
行列のランク（ｒａｎｋ）は、互いに独立な行又は列の個数のうち最小の個数と定義される。そのため、行列のランクは行又は列の個数よりも大きいことはない。チャネル行列Ｈのランク（ｒａｎｋ（Ｈ））は、次のにように制限される。
【数１３】
0006294327.tif 000014
【００６７】
ランクの他の定義は、行列を固有値分解（Ｅｉｇｅｎ  ｖａｌｕｅ  ｄｅｃｏｍｐｏｓｉｔｉｏｎ）したとき、０でない固有値の個数と定義することができる。同様に、ランクの更に他の定義は、特異値分解（ｓｉｎｇｕｌａｒ  ｖａｌｕｅ  ｄｅｃｏｍｐｏｓｉｔｉｏｎ）したとき、０でない特異値の個数と定義することができる。したがって、チャネル行列においてランクの物理的な意味は、与えられたチャネルで別個の情報を送信できる最大数ということができる。
【００６８】
本明細書の説明において、ＭＩＭＯ送信における‘ランク’とは、特定時点及び特定周波数リソースで独立して信号を送信できる経路の数を表し、‘レイヤの個数’は、各経路を通して送信される信号ストリームの個数を表す。送信端は、信号の送信に用いられるランク数に対応する個数のレイヤを送信することが一般的であるため、特別な言及がない限り、ランクはレイヤ個数と同一である。
【００６９】
参照信号
【００７０】
無線通信システムでパケットを送信する際、送信されるパケットは無線チャネルを介して送信されるため、送信過程で信号の歪みが発生しうる。歪んだ信号を受信側で正しく受信するためには、チャネル情報を用いて受信信号の歪みを補正しなければならない。チャネル情報を把握するために、送信側及び受信側双方が知っている信号を送信し、該信号がチャネルを介して受信される際の歪みの程度を用いてチャネル情報を得る方法を主に用いる。該信号をパイロット信号又は参照信号という。
【００７１】
複数アンテナを用いてデータを送受信する場合、正しい信号を受信するためには、各送信アンテナと受信アンテナとの間のチャネル状況を知る必要がある。そのために、送信アンテナごとに異なる参照信号が存在しなければならない。
【００７２】
移動体通信システムにおいて参照信号（ＲＳ）はその目的によって２種類に大別できる。その一つは、チャネル情報の取得のために用いられるＲＳであり、もう一つは、データ復調のために用いられるＲＳである。前者は、端末が下りチャネル情報を取得するためのＲＳであるため、広帯域に送信されなければならず、特定サブフレームにおいて下りデータを受信しない端末であっても、当該ＲＳを受信及び測定可能でなければならない。このようなＲＳは、ハンドオーバなどのための測定などのためにも用いられる。後者は、基地局が下りデータを送信するとき、当該リソースで併せて送るＲＳであり、端末は当該ＲＳを受信することによってチャネル推定ができ、データを復調することができる。このようなＲＳは、データの送信される領域で送信されなければならない。
【００７３】
既存の３ＧＰＰ ＬＴＥ（例えば、３ＧＰＰ ＬＴＥリリース−８）システムでは、ユニキャストサービスのために２種類の下りリンクＲＳを定義する。その一つは共通参照信号（ＣＲＳ）であり、もう一つは、専用参照信号（ＤＲＳ）である。ＣＲＳは、チャネル状態に関する情報取得及びハンドオーバなどのための測定などのために用いられ、セル特定（ｃｅｌｌ−ｓｐｅｃｉｆｉｃ）ＲＳと呼ぶことができる。ＤＲＳは、データ復調のために用いられ、端末特定（ＵＥ−ｓｐｅｃｉｆｉｃ）ＲＳと呼ぶことができる。既存の３ＧＰＰ ＬＴＥシステムにおいて、ＤＲＳはデータ復調だけのために用いることができ、ＣＲＳは、チャネル情報取得のためにもデータ復調のためにも用いることができる。
【００７４】
ＣＲＳは、セル特定に送信されるＲＳであり、広帯域でサブフレームごとに送信される。ＣＲＳは、基地局の送信アンテナ個数によって最大４個のアンテナポートに対して送信可能である。例えば、基地局の送信アンテナが２個である場合、０番及び１番のアンテナポートに対するＣＲＳを送信し、４個の場合は、０〜３番のアンテナポートに対するＣＲＳをそれぞれ送信する。
【００７５】
図６は、一つのリソースブロック対におけるＣＲＳ及びＤＲＳの例示的なパターンを示す図である。
【００７６】
図６の参照信号パターンの例示では、基地局が４個の送信アンテナをサポートするシステムにおいて、一つのリソースブロック対（正規ＣＰの場合、時間上で１４個のＯＦＤＭシンボル×周波数上で１２個の副搬送波）上のＣＲＳ及びＤＲＳのパターンを示している。図６において、‘Ｒ０’、‘Ｒ１’、‘Ｒ２’及び‘Ｒ３’と表示されたリソース要素（ＲＥ）は、それぞれ、アンテナポートインデクス０、１、２及び３に対するＣＲＳの位置を表す。一方、図６で‘Ｄ’と表示されたリソース要素は、ＬＴＥシステムで定義されるＤＲＳの位置を表す。
【００７７】
ＬＴＥシステムの進化した形態のＬＴＥ−Ａシステムでは、下りリンクで最大８個の送信アンテナをサポートすることができる。そのため、最大８個の送信アンテナに対するＲＳもサポートされなければならない。ＬＴＥシステムにおける下りリンクＲＳは最大４個のアンテナポートだけに対して定義されているため、ＬＴＥ−Ａシステムにおいて基地局が４個以上最大８個の下りリンク送信アンテナを有する場合、それらのアンテナポートに対するＲＳを更に定義しなければならない。最大８個の送信アンテナポートに対するＲＳとして、チャネル測定のためのＲＳ、及びデータ復調のためのＲＳ、双方を考慮しなければならない。
【００７８】
ＬＴＥ−Ａシステムを設計する上で重要な考慮事項の一つは、後方互換性である。後方互換性とは、既存のＬＴＥ端末がＬＴＥ−Ａシステムでも正しく動作するようにサポートすることを意味する。ＲＳ送信の観点では、ＬＴＥ標準で定義されているＣＲＳが全帯域でサブフレームごとに送信される時間周波数領域に最大８個の送信アンテナポートに対するＲＳを追加すると、ＲＳオーバヘッドが過度に大きくなる。そのため、最大８個のアンテナポートに対するＲＳを新しく設計するに当たり、ＲＳオーバヘッドを減らすことを考慮しなければならない。
【００７９】
ＬＴＥ−Ａシステムで新しく導入されるＲＳは、大きく、２種類に分類できる。その一つは、送信ランク、変調及び符号化方式（ＭＣＳ）、プリコーディング行列インデクス（ＰＭＩ）などの選択のためのチャネル測定目的のＲＳである、チャネル状態情報参照信号（ＣＳＩ−ＲＳ）であり、もう一つは、最大８個の送信アンテナを通して送信されるデータを復調するための目的のＲＳである復調参照信号（ＤＭ ＲＳ）である。
【００８０】
チャネル測定目的のＣＳＩ−ＲＳは、既存のＬＴＥシステムにおけるＣＲＳがチャネル測定、ハンドオーバなどの測定などの目的と同時にデータ復調のために用いられるのとは違い、チャネル測定中心の目的のために設計される特徴がある。もちろん、ＣＳＩ−ＲＳは、ハンドオーバなどの測定などの目的に用いてもよい。ＣＳＩ−ＲＳはチャネル状態に関する情報を得る目的だけに送信されるため、既存のＬＴＥシステムにおけるＣＲＳとは違い、サブフレームごとに送信しなくてもよい。したがって、ＣＳＩ−ＲＳのオーバヘッドを減らすために、ＣＳＩ−ＲＳは時間軸上で間欠的に（例えば、周期的に）送信されるように設計してもよい。
【００８１】
ある下りリンクサブフレーム上でデータが送信されたとき、データ送信がスケジュールされた端末に専用のＤＭ ＲＳが送信される。すなわち、ＤＭＲＳは、端末特定（ＵＥ−ｓｐｅｃｉｆｉｃ）ＲＳと呼ぶこともできる。特定端末専用のＤＭ ＲＳは、当該端末がスケジュールされたリソース領域、すなわち、当該端末に対するデータが送信される時間周波数領域でだけ送信されるように設計することができる。
【００８２】
図７は、ＬＴＥ−Ａシステムで定義されるＤＭ ＲＳパターンの一例を示す図である。
【００８３】
図７では、下りリンクデータが送信される一つのリソースブロック対（正規ＣＰの場合、時間上で１４個のＯＦＤＭシンボル×周波数上で１２個の副搬送波）上でＤＭ ＲＳが送信されるリソース要素の位置を示している。ＤＭ ＲＳは、ＬＴＥ−Ａシステムで更に定義される４個のアンテナポート（アンテナポートインデクス７、８、９及び１０）に対して送信することができる。別個のアンテナポートに対するＤＭ ＲＳは、異なる周波数リソース（副搬送波）及び／又は異なる時間リソース（ＯＦＤＭシンボル）に位置することによって区別することができる（すなわち、ＦＤＭ及び／又はＴＤＭ方式で多重化できる）。また、同一の時間周波数リソース上に位置する別個のアンテナポートに対するＤＭ ＲＳは、直交符号（ｏｒｔｈｏｇｏｎａｌ  ｃｏｄｅ）によって区別することができる（すなわち、ＣＤＭ方式で多重化できる）。図７の例示において、ＤＭ ＲＳ ＣＤＭグループ１と表示されたリソース要素（ＲＥ）にはアンテナポート７及び８に対するＤＭ ＲＳを位置させることができ、これらは、直交符号によって多重化できる。同様に、図７の例示において、ＤＭ ＲＳグループ２と表示されたリソース要素にはアンテナポート９及び１０に対するＤＭ ＲＳを位置させることができ、これらは、直交符号によって多重化できる。
【００８４】
基地局でＤＭＲＳを送信するに当たり、データに適用されるプリコーディングと同じプリコーディングがＤＭＲＳに適用される。したがって、端末でＤＭＲＳ（又は、端末特定ＲＳ）を用いて推定されるチャネル情報は、プリコーディングされたチャネル情報である。端末は、ＤＭＲＳから推定したプリコーディングされたチャネル情報を用いて、データ復調を容易に行うことができる。しかし、端末は、ＤＭＲＳに適用されたプリコーディング情報が把握できず、ＤＭＲＳを用いては、プリコーディングされていないチャネル情報を取得することができない。端末は、ＤＭＲＳ以外の別の参照信号、すなわち、前述したＣＳＩ−ＲＳを用いて、プリコーディングされていないチャネル情報を取得することができる。
【００８５】
図８は、ＬＴＥ−Ａシステムで定義されるＣＳＩ−ＲＳパターンの例示を示す図である。
【００８６】
図８では、下りリンクデータが送信される一つのリソースブロック対（正規ＣＰの場合、時間上で１４個のＯＦＤＭシンボル×周波数上で１２個の副搬送波）上でＣＳＩ−ＲＳが送信されるリソース要素の位置を示している。ある下りリンクサブフレームにおいて、図８（ａ）乃至８（ｅ）のいずれか一つのＣＳＩ−ＲＳパターンを用いることができる。ＣＳＩ−ＲＳは、ＬＴＥ−Ａシステムで更に定義される８個のアンテナポート（アンテナポートインデクス１５、１６、１７、１８、１９、２０、２１及び２２）に対して送信することができる。別個のアンテナポートに対するＣＳＩ−ＲＳは、異なった周波数リソース（副搬送波）及び／又は異なった時間リソース（ＯＦＤＭシンボル）に位置することで区別することができる（すなわち、ＦＤＭ及び／又はＴＤＭ方式で多重化できる）。また、同一の時間周波数リソース上に位置する別個のアンテナポートに対するＣＳＩ−ＲＳは、直交符号によって区別することができる（すなわち、ＣＤＭ方式で多重化できる）。図８（ａ）の例示において、ＣＳＩ−ＲＳ ＣＤＭグループ１と表示されたリソース要素（ＲＥ）にはアンテナポート１５及び１６に対するＣＳＩ−ＲＳを位置させることができ、これらは、直交符号によって多重化できる。図８（ａ）の例示において、ＣＳＩ−ＲＳ ＣＤＭグループ２と表示されたリソース要素にはアンテナポート１７及び１８に対するＣＳＩ−ＲＳを位置させることができ、これらは、直交符号によって多重化できる。図８（ａ）の例示でＣＳＩ−ＲＳ ＣＤＭグループ３と表示されたリソース要素にはアンテナポート１９及び２０に対するＣＳＩ−ＲＳを位置させることができ、これらは、直交符号によって多重化できる。図８（ａ）の例示において、ＣＳＩ−ＲＳ ＣＤＭグループ４と表示されたリソース要素にはアンテナポート２１及び２２に対するＣＳＩ−ＲＳを位置させることができ、これらは、直交符号によって多重化できる。図８（ａ）を基準にして説明した同一原理を、図８（ｂ）乃至８（ｅ）に適用することもできる。
【００８７】
図６乃至図８のＲＳパターンは単なる例示であり、本発明の様々な実施例を適用するにあって特定ＲＳパターンに限定されるものでない。すなわち、図６乃至図８と異なるＲＳパターンが定義及び使用される場合にも、本発明の様々な実施例を同様に適用することができる。
【００８８】
ＣＳＩ−ＲＳ設定
【００８９】
前述したように、下りリンクで最大８個の送信アンテナをサポートするＬＴＥ−Ａシステムにおいて、基地局はすべてのアンテナポートに対するＣＳＩ−ＲＳを送信しなければならない。最大８個の送信アンテナポートに対するＣＳＩ−ＲＳをサブフレームごとに送信すると過度なオーバヘッドにつながりうるため、ＣＳＩ−ＲＳをサブフレームごとに送信せず、時間軸で間欠的に送信することによってそのオーバヘッドを減らす必要がある。そのために、ＣＳＩ−ＲＳを、一つのサブフレームの整数倍の周期で周期的に送信したり、特定送信パターンで送信したりすることができる。
【００９０】
このとき、ＣＳＩ−ＲＳが送信される周期又はパターンは、ネットワーク（例えば、基地局）が設定（ｃｏｎｆｉｇｕｒａｔｉｏｎ）することができる。ＣＳＩ−ＲＳに基づく測定を行うために、端末は必ず自身の属するセル（又は、送信ポイント（ＴＰ））のそれぞれのＣＳＩ−ＲＳアンテナポートに対するＣＳＩ−ＲＳ設定を知っていなければならない。ＣＳＩ−ＲＳ設定は、ＣＳＩ−ＲＳが送信される下りリンクサブフレームインデクス、送信サブフレームにおける、ＣＳＩ−ＲＳリソース要素（ＲＥ）の時間周波数位置（例えば、図８（ａ）乃至図８（ｅ）のようなＣＳＩ−ＲＳパターン）、及びＣＳＩ−ＲＳシーケンス（ＣＳＩ−ＲＳ用に用いられるシーケンスであって、スロット番号、セルＩＤ、ＣＰ長などに基づいて所定の規則に従って類似ランダムに生成される）などを含むことができる。すなわち、所定の（ｇｉｖｅｎ）基地局で複数のＣＳＩ−ＲＳ設定を用いることができ、基地局は、複数のＣＳＩ−ＲＳ設定のうち、セル内の端末に対して用いられるＣＳＩ−ＲＳ設定を知らせることができる。
【００９１】
複数のＣＳＩ−ＲＳ設定は、端末がＣＳＩ−ＲＳの送信電力が０でない（ｎｏｎ−ｚｅｒｏ）と仮定するＣＳＩ−ＲＳ設定を一つ含んでも含まなくてもよく、また、端末が送信電力が０であると仮定するＣＳＩ−ＲＳ設定を一つ以上含んでも含まなくてもよい。
【００９２】
また、上位層によって零送信電力のＣＳＩ−ＲＳ設定に対するパラメータ（例えば、１６ビットのビットマップＺＰ ＣＳＩ−ＲＳパラメータ）のそれぞれのビットはＣＳＩ−ＲＳ設定（又は、ＣＳＩ−ＲＳ設定によってＣＳＩ−ＲＳを割り当て可能なＲＥ）に対応し、端末は、当該パラメータで１に設定されるビットに対応するＣＳＩ−ＲＳ設定のＣＳＩ−ＲＳ ＲＥにおける送信電力が０であると仮定することができる。
【００９３】
また、それぞれのアンテナポートに対するＣＳＩ−ＲＳは区別される必要があるため、それぞれのアンテナポートに対するＣＳＩ−ＲＳが送信されるリソースは互いに直交しなければならない。図８で説明したとおり、それぞれのアンテナポートに対するＣＳＩ−ＲＳを、直交する周波数リソース、直交する時間リソース及び／又は直交する符号リソースを用いてＦＤＭ、ＴＤＭ及び／又はＣＤＭ方式で多重化できる。
【００９４】
ＣＳＩ−ＲＳに関する情報（ＣＳＩ−ＲＳ設定）を基地局がセル内の端末に知らせるとき、まず、各アンテナポートに対するＣＳＩ−ＲＳがマップされる時間周波数に関する情報を知らせなければならない。具体的には、時間に関する情報は、ＣＳＩ−ＲＳが送信されるサブフレーム番号、ＣＳＩ−ＲＳが送信される周期、ＣＳＩ−ＲＳが送信されるサブフレームオフセット、特定アンテナのＣＳＩ−ＲＳリソース要素（ＲＥ）が送信されるＯＦＤＭシンボル番号などを含むことができる。周波数に関する情報は、特定アンテナのＣＳＩ−ＲＳリソース要素（ＲＥ）が送信される周波数間隔、周波数軸におけるＲＥのオフセット又はシフト値などを含むことができる。
【００９５】
図９は、ＣＳＩ−ＲＳが周期的に送信される方式の一例を説明するための図である。
【００９６】
ＣＳＩ−ＲＳは、一つのサブフレームの整数倍の周期（例えば、５サブフレーム周期、１０サブフレーム周期、２０サブフレーム周期、４０サブフレーム周期又は８０サブフレーム周期）で周期的に送信することができる。
【００９７】
図９では、一つの無線フレームが１０個のサブフレーム（サブフレーム番号０乃至９）で構成されている。図９では、例えば、基地局のＣＳＩ−ＲＳの送信周期が１０ｍｓ（すなわち、１０サブフレーム）であり、ＣＳＩ−ＲＳ送信オフセットは３である場合を示している。複数セルのＣＳＩ−ＲＳが時間上で均一に分布できるように、オフセット値は、基地局ごとにそれぞれ異なる値を有することができる。１０ｍｓの周期でＣＳＩ−ＲＳが送信される場合、オフセット値は０〜９のいずれか一つを有することができる。同様に、例えば、５ｍｓの周期でＣＳＩ−ＲＳが送信される場合、オフセット値は０〜４のいずれか一つの値を有することができ、２０ｍｓの周期でＣＳＩ−ＲＳが送信される場合、オフセット値は０〜１９のいずれか一つの値を有することができ、４０ｍｓの周期でＣＳＩ−ＲＳが送信される場合、オフセット値は０〜３９のいずれか一つの値を有することができ、８０ｍｓの周期でＣＳＩ−ＲＳが送信される場合、オフセット値は０〜７９のいずれか一つの値を有することができる。このオフセット値は、所定の周期でＣＳＩ−ＲＳを送信する基地局がＣＳＩ−ＲＳ送信を開始するサブフレームの値を表す。基地局がＣＳＩ−ＲＳの送信周期及びオフセット値を知らせたとき、端末は、その値を用いて当該サブフレーム位置で基地局のＣＳＩ−ＲＳを受信することができる。端末は、受信したＣＳＩ−ＲＳを用いてチャネルを測定し、その結果としてＣＱＩ、ＰＭＩ及び／又はランク指示子（ＲＩ）のような情報を基地局に報告することができる。本明細書において、ＣＱＩ、ＰＭＩ及びＲＩを区別して説明する場合以外は、これらを総称してＣＱＩ（又は、ＣＳＩ）ということがある。また、ＣＳＩ−ＲＳに関連した上記の情報は、セル特定情報であり、セル内の端末に共通に適用することができる。また、ＣＳＩ−ＲＳ送信周期及びオフセットは、ＣＳＩ−ＲＳ設定別に異なるように指定することができる。例えば、後述するように、零送信電力で送信されるＣＳＩ−ＲＳを示すＣＳＩ−ＲＳ設定及び非零送信電力で送信されるＣＳＩ−ＲＳを示すＣＳＩ−ＲＳ設定に対して別々のＣＳＩ−ＲＳ送信周期及びオフセットを設定することができる。
【００９８】
ＰＤＳＣＨ送信が可能なすべてのサブフレームにおいて送信されるＣＲＳとは違い、ＣＳＩ−ＲＳは、一部のサブフレームにおいてだけ送信されるように設定することができる。例えば、上位層でＣＳＩサブフレームセットＣCSI,0及びＣCSI,1を設定することができる。ＣＳＩ参照リソース（すなわち、ＣＳＩ計算の基準となる所定のリソース領域）は、ＣCSI,0又はＣCSI,1のいずれかに属してもよいし、ＣCSI,0及びＣCSI,1の両方に同時に属しなくてもよい。そのため、ＣＳＩサブフレームセットＣCSI,0及びＣCSI,1が上位層によって設定される場合、端末はＣＳＩサブフレームセットのいずれにも属しないサブフレームに存在するＣＳＩ参照リソースに対するトリガ（又は、ＣＳＩ計算に対する指示）を受けると予想することが許容されない。
【００９９】
また、ＣＳＩ参照リソースは、有効な下りリンクサブフレーム上で設定してもよい。有効な下りリンクサブフレームは、様々な要件を満たすサブフレームに設定することができる。それらの要件の一つは、周期的ＣＳＩ報告の場合、端末に対してＣＳＩサブフレームセットが設定されたとき、周期的ＣＳＩ報告に結合（ｌｉｎｋ）されるＣＳＩサブフレームセットに属するサブフレームであってよい。
【０１００】
また、ＣＳＩ参照リソースにおいて、端末は次のような仮定を考慮してＣＱＩインデクスを導出することができる（詳細な事項は、３ＧＰＰ ＴＳ ３６．２１３を参照されたい）。
・１サブフレームの先頭３個のＯＦＤＭシンボルは制御信号によって占有される
・１次同期信号、２次同期信号又は物理同報チャネル（ＰＢＣＨ）によって用いられるリソース要素はない
・非ＭＢＳＦＮサブフレームのＣＰ長
・冗長バージョンは０である
・チャネル測定のためにＣＳＩ−ＲＳが用いられる場合、ＰＤＳＣＨのリソース要素当たりエネルギ（ＥＰＲＥ）対ＣＳＩ−ＲＳのＥＰＲＥの比は所定の規則に従う
・送信モード９（すなわち、最大８レイヤ送信をサポートするモード）におけるＣＳＩ報告の場合、端末に対してＰＭＩ／ＲＩ報告が設定されたときは、ＤＭＲＳオーバヘッドは直近に報告されたランクに一致すると仮定する（例えば、ＤＭＲＳオーバヘッドは、図７で説明したとおり、２個以上のアンテナポート（すなわち、ランク２以下）の場合には、一つのリソースブロック対におけるＤＭＲＳオーバヘッドが１２ ＲＥであるが、３個以上のアンテナポート（すなわち、ランク３以上）の場合には、２４ ＲＥであるから、直近に報告されたランク値に対応するＤＭＲＳオーバヘッドを仮定してＣＱＩインデクスを計算することができる。）
・ＣＳＩ−ＲＳ及び０−電力ＣＳＩ−ＲＳに対してＲＥが割り当てられない
・測位参照信号（ＰＲＳ）に対してはＲＥが割り当てられない
・ＰＤＳＣＨ送信方式は、端末に対して現在設定されている送信モード（デフォルトモードであってもよい）に従う
・ＰＤＳＣＨのＥＰＲＥ対セル特定参照信号のＥＰＲＥの比は所定の規則に従う
【０１０１】
このようなＣＳＩ−ＲＳ設定は、例えば、ＲＲＣ信号通知を用いて基地局が端末に知らせることができる。すなわち、専用ＲＲＣ信号通知を用いてＣＳＩ−ＲＳ設定に関する情報がセル内の各端末に提供されるようにすることができる。例えば、端末が初期接続又はハンドオーバによって基地局と接続（ｃｏｎｎｅｃｔｉｏｎ）を確立する過程で、基地局が当該端末にＲＲＣ信号通知でＣＳＩ−ＲＳ設定を知らせるようにすることができる。又は、基地局が端末にＣＳＩ−ＲＳ測定に基づくチャネル状態フィードバックを要求するＲＲＣ信号通知メッセージを送信するとき、当該ＲＲＣ信号通知メッセージでＣＳＩ−ＲＳ設定を当該端末に知らせるようにすることもできる。
【０１０２】
一方、ＣＳＩ−ＲＳが存在する時間位置、すなわち、セル特定サブフレーム設定周期及びセル特定サブフレームオフセットは、例えば、次の表１のようにまとめることができる。
【表１】
0006294327.tif 000015
【０１０３】
前述したように、パラメータＩＣＳＩ−ＲＳは、端末が非零送信電力と仮定するＣＳＩ−ＲＳと、零送信電力と仮定するＣＳＩ−ＲＳとに対して別に設定することができる。ＣＳＩ−ＲＳを含むサブフレームは、次の式１２のように表現することができる（式１２において、ｎfはシステムフレーム番号であり、ｎsはスロット番号である）。
【数１４】
0006294327.tif 000016
【０１０４】
次の表２のように定義されるＣＳＩ−ＲＳ−Ｃｏｎｆｉｇ情報要素（ＩＥ）は、ＣＳＩ−ＲＳ設定を特定するために用いることができる。
【表２】
0006294327.tif 000017
【０１０５】
上記の表２において、ａｎｔｅｎｎａＰｏｒｔｓＣｏｕｎｔパラメータは、ＣＳＩ−ＲＳの送信のために用いられるアンテナポート（すなわち、ＣＳＩ−ＲＳポート）の個数を示し、ａｎ１は１個に該当し、ａｎ２は２個に該当する。
【０１０６】
上記の表２において、ｐ＿Ｃパラメータは、端末がＣＳＩフィードバックを導出するときに仮定するＰＤＳＣＨのＥＰＲＥとＣＳＩ−ＲＳのＥＰＲＥとの比を示す。
【０１０７】
上記の表２において、ｒｅｓｏｕｒｃｅＣｏｎｆｉｇパラメータは、例えば、図８のようなＲＢ対でＣＳＩ−ＲＳがマップされるリソース要素の位置を決定する値を有する。
【０１０８】
上記の表２において、ｓｕｂｆｒａｍｅＣｏｎｆｉｇパラメータは、上記の表１におけるＩＣＳＩ−ＲＳに該当する。
【０１０９】
上記の表２において、ｚｅｒｏＴｘＰｏｗｅｒＲｅｓｏｕｒｃｅＣｏｎｆｉｇＬｉｓｔ及びｚｅｒｏＴｘＰｏｗｅｒＳｕｂｆｒａｍｅＣｏｎｆｉｇはそれぞれ、零送信電力のＣＳＩ−ＲＳに対するｒｅｓｏｕｒｃｅＣｏｎｆｉｇ及びｓｕｂｆｒａｍｅＣｏｎｆｉｇに該当する。
【０１１０】
上記の表２のＣＳＩ−ＲＳ設定ＩＥに関するより具体的な事項は、標準文書ＴＳ ３６．３３１を参照されたい。
【０１１１】
ＣＳＩ−ＲＳシーケンスの生成
【０１１２】
ＲＳシーケンス
【数１５】
0006294327.tif 000018
は、次の式１３のように定義できる。
【数１６】
0006294327.tif 000019
【０１１３】
上記の式１３において、ｎsは、無線フレームにおけるスロット番号（又は、スロットインデクス）であり、ｌは、スロットにおけるＯＦＤＭシンボル番号（又は、ＯＦＤＭシンボルインデクス）である。擬似ランダムシーケンスｃ（ｉ）は、長さ３１のゴールドシーケンスと定義される。擬似ランダムシーケンス生成における初期値はｃinitで与えられる。ｃinitは、次の式１４のように与えることができる。
【数１７】
0006294327.tif 000020
【０１１４】
上記の式１４において、ｎsは、無線フレームにおけるスロット番号（又は、スロットインデクス）であり、ｌは、スロットにおけるＯＦＤＭシンボル番号（又は、ＯＦＤＭシンボルインデクス）である。ＮIDcellは、物理層セル識別子である。ＮCPは、正規ＣＰでは１であり、拡張ＣＰでは０である。
【０１１５】
ＣＳＩ−ＲＳシーケンス生成に関するより具体的な事項は、標準文書ＴＳ ３６．２１１ ｖ１０．４．０を参照されたい。
【０１１６】
チャネル状態情報
【０１１７】
ＭＩＭＯ方式は開ループ方式と閉ループ方式とに区別できる。開ループＭＩＭＯ方式は、ＭＩＭＯ受信端からのチャネル状態情報のフィードバック無しで、送信端がＭＩＭＯ送信を行う方式を意味する。閉ループＭＩＭＯ方式は、ＭＩＭＯ受信端からチャネル状態情報のフィードバックを受けて、送信端がＭＩＭＯ送信を行う方式を意味する。閉ループＭＩＭＯ方式では、ＭＩＭＯ送信アンテナの多重化利得を得るために、送信端及び受信端それぞれがチャネル状態情報に基づいてビーム形成を行うことができる。受信端（例えば、端末）がチャネル状態情報をフィードバックできるように、送信端（例えば、基地局）は受信端（例えば、端末）に上り制御チャネル又は上り共有チャネルを割り当てることができる。
【０１１８】
端末は、ＣＲＳ及び／又はＣＳＩ−ＲＳを用いて下りリンクチャネルに対する推定及び／又は測定を行うことができる。端末によって基地局にフィードバックされるチャネル情報（ＣＳＩ）は、ランク指示子（ＲＩ）、プリコーディング行列インデクス（ＰＭＩ）及びチャネル品質指示子（ＣＱＩ）を含むことができる。
【０１１９】
ＲＩは、チャネルランクに関する情報である。チャネルのランクは、同一の時間周波数リソースを介して別個の情報を送信できるレイヤ（又は、ストリーム）の最大個数を意味する。ランク値は、チャネルの長期フェージングによって主に決定されるため、ＰＭＩ及びＣＱＩに比べてより長い周期でフィードバックしてもよい。
【０１２０】
ＰＭＩは、送信端からの送信に用いられるプリコーディング行列に関する情報であり、チャネルの空間特性を反映する値である。プリコーディングとは、送信レイヤを送信アンテナにマップすることを意味し、プリコーディング行列によってレイヤとアンテナとのマッピング関係を決定することができる。ＰＭＩとは、信号対雑音及び干渉比（ＳＩＮＲ）などの測定値（ｍｅｔｒｉｃ）を基準にして端末にとって好ましい（ｐｒｅｆｅｒｒｅｄ）基地局のプリコーディング行列インデクスに該当する。プリコーディング情報のフィードバックオーバヘッドを減らすために、送信端及び受信端双方で、様々なプリコーディング行列を含む符号表をあらかじめ共有しており、当該符号表内の特定プリコーディング行列を示すインデクスだけをフィードバックする方式を用いることができる。例えば、直近に報告されたＲＩに基づいてＰＭＩを決定することができる。
【０１２１】
ＣＱＩは、チャネル品質又はチャネル強度を示す情報である。ＣＱＩは、あらかじめ決定されたＭＣＳ組合せとして表現することができる。すなわち、フィードバックされるＣＱＩインデクスは、該当する変調方式及び符号速度（ｃｏｄｅ  ｒａｔｅ）を示す。ＣＱＩは、特定リソース領域（例えば、有効なサブフレーム及び／又は物理リソースブロックによって特定される領域）をＣＱＩ参照リソースに設定し、当該ＣＱＩ参照リソースでＰＤＳＣＨ送信が存在すると仮定したうえ、所定の誤り率（例えば、０．１）を越えることなくＰＤＳＣＨが受信され得る場合を仮定して計算することができる。一般に、ＣＱＩは、基地局がＰＭＩを用いて空間チャネルを構成する場合に得られる受信ＳＩＮＲを反映する値となる。例えば、直近に報告されたＲＩ及び／又はＰＭＩに基づいてＣＱＩを計算することができる。
【０１２２】
拡張されたアンテナ構成をサポートするシステム（例えば、ＬＴＥ−Ａシステム）では、複数ユーザＭＩＭＯ（ＭＵ−ＭＩＭＯ）方式を用いて更なる複数ユーザダイバシチを取得することを考慮している。ＭＵ−ＭＩＭＯ方式では、アンテナ領域（ｄｏｍａｉｎ）で多重化される端末間の干渉チャネルが存在するため、複数ユーザのうち一つの端末がフィードバックするチャネル状態情報を用いて基地局で下りリンク送信を行う場合、他の端末に干渉が生じないようにする必要がある。したがって、ＭＵ−ＭＩＭＯ動作が正しく行われるためには、単一ユーザＭＩＭＯ（ＳＵ−ＭＩＭＯ）方式に比べてより高精度のチャネル状態情報をフィードバックしなければならない。
【０１２３】
このように、より正確なチャネル状態情報を測定及び報告するには、既存のＲＩ、ＰＭＩ及びＣＱＩで構成されるＣＳＩを改善した新しいＣＳＩフィードバック方法を適用することができる。例えば、受信端がフィードバックするプリコーディング情報を２個のＰＭＩ（例えば、ｉ１及びｉ２）の組合せによって示してもよい。これによって、より高精度のＰＭＩがフィードバックされ、このような精度のＰＭＩに基づいてより高精度のＣＱＩを計算及び報告することができる。
【０１２４】
一方、ＣＳＩは、周期的にＰＵＣＣＨで送信してもよいし、非周期的にＰＵＳＣＨで送信してもよい。また、ＲＩ、第１のＰＭＩ（例えば、Ｗ１）、第２のＰＭＩ（例えば、Ｗ２）、ＣＱＩのいずれがフィードバックされるか、及びフィードバックされるＰＭＩ及び／又はＣＱＩが広帯域（ＷＢ）に対するものか、又はサブ帯域（ＳＢ）に対するものかによって、様々な報告モードを定義することができる。
【０１２５】
ＣＱＩ計算
【０１２６】
以下では、下りリンク受信端が端末である場合を仮定してＣＱＩ計算について具体的に説明する。しかし、本発明で説明する内容は、下りリンク受信エンティティとしての中継器にも同様に適用することができる。
【０１２７】
端末がＣＳＩを報告するときにＣＱＩを計算する基準となるリソース（以下では、参照リソースと称する）を設定／定義する方法について説明する。まず、ＣＱＩの定義についてより具体的に説明する。
【０１２８】
端末の報告するＣＱＩは、特定インデクス値に該当する。ＣＱＩインデクスは、チャネル状態に該当する変調方式、符号速度などを示す値である。例えば、ＣＱＩインデクス及びその解釈は、次の表３のように与えることができる。
【表３】
0006294327.tif 000021
【０１２９】
時間及び周波数で制限されない観察に基づいて、端末は、上りリンクサブフレームｎで報告されるＣＱＩ値それぞれに対して、上記の表３のＣＱＩインデクス１乃至１５のうち、所定の要件を満たす最高のＣＱＩインデクスを決定することができる。所定の要件は、当該ＣＱＩインデクスに該当する変調方式（例えば、ＭＣＳ）及び送信ブロックサイズ（ＴＢＳ）の組合せで、ＣＱＩ参照リソースと呼ばれる下りリンク物理リソースブロックのグループを占める単一ＰＤＳＣＨ送信ブロックが、０．１（すなわち、１０％）を越えない送信ブロック誤り率で受信されるものと定めることができる。ＣＱＩインデクス１も上記の要件を満たさない場合には、端末はＣＱＩインデクス０と決定することができる。
【０１３０】
送信モード９（最大８レイヤまでの送信に該当する）及びフィードバック報告モードの場合、端末は、ＣＳＩ−ＲＳだけに基づいて、上りリンクサブフレームｎで報告されるＣＱＩ値を計算するためのチャネル測定を行うことができる。他の送信モード及び該当する報告モードでは、端末はＣＲＳに基づいてＣＱＩ計算のためのチャネル測定を行うことができる。
【０１３１】
下記の要件をすべて満たす場合、変調方式及び送信ブロックサイズの組合せは、一つのＣＱＩインデクスに該当しうる。関連した送信ブロックサイズテーブルに従って、ＣＱＩ参照リソースにおけるＰＤＳＣＨ上の送信に対して上記の組合せが信号通知され、変調方式が当該ＣＱＩインデクスによって指定され、送信ブロックサイズ及び変調方式の組合せが上記参照リソースに適用される場合、当該ＣＱＩインデクスによって指定される符号速度に一番近い有効チャネル符号速度を有するものが、上記の要件に該当する。送信ブロックサイズ及び変調方式の組合せの２個以上が、当該ＣＱＩインデクスによって指定される符号速度にほぼ等しい場合は、送信ブロックサイズが最小である組合せに決定してもよい。
【０１３２】
ＣＱＩ参照リソースは、次のように定義される。
【０１３３】
周波数領域でＣＱＩ参照リソースは、導出されたＣＱＩ値が関連している帯域に該当する下りリンク物理リソースブロックのグループと定義される。
【０１３４】
時間領域でＣＱＩ参照リソースは、単一下りリンクサブフレームｎ−ｎＣＱＩ＿ｒｅｆと定義される。ここで、周期的ＣＱＩ報告の場合には、ｎＣＱＩ＿ｒｅｆは、４以上の値のうち、最小の値であるととともに、下りリンクサブフレームｎ−ｎＣＱＩ＿ｒｅｆが有効な下りリンクサブフレームに該当する値に決定される。非周期的ＣＱＩ報告の場合には、ｎＣＱＩ＿ｒｅｆは、上りリンクＤＣＩフォーマット（すなわち、上りリンクスケジュール制御情報を端末に提供するためのＰＤＣＣＨ ＤＣＩフォーマット）におけるＣＱＩ要求に該当する（又は、ＣＱＩ要求が受信された）有効な下りリンクサブフレームと同じ下りリンクサブフレームが、ＣＱＩ参照リソースと決定される。また、非周期的ＣＱＩ報告の場合、ｎＣＱＩ＿ｒｅｆは４であり、下りリンクサブフレームｎ−ｎＣＱＩ＿ｒｅｆは有効な下りリンクサブフレームに該当し、ここで、下りリンクサブフレームｎ−ｎＣＱＩ＿ｒｅｆは、ランダム接続応答許可におけるＣＱＩ要求に該当する（又は、ＣＱＩ要求が受信された）サブフレーム以降に受信してもよい。ここで、有効な下りリンクサブフレームとは、当該端末に対して下りリンクサブフレームに設定され、送信モード９以外はＭＢＳＦＮサブフレームではなく、ＤｗＰＴＳの長さが７６８０＊Ｔｓ（Ｔｓ＝１／（１５０００×２０４８）秒）以下である場合にＤｗＰＴＳフィールドを含まず、そして、当該端末に対して設定された測定ギャップに属しない下りリンクサブフレームを意味する。ＣＱＩ参照リソースのための有効な下りリンクサブフレームがないときは、上りリンクサブフレームｎでＣＱＩ報告は省略してもよい。
【０１３５】
レイヤ領域において、ＣＱＩ参照リソースは、ＣＱＩが前提とする任意のＲＩ及びＰＭＩと定義される。
【０１３６】
ＣＱＩ参照リソースで端末がＣＱＩインデクスを導出するために次の事項を仮定することができる。（１）下りリンクサブフレームにおける先頭の３ＯＦＤＭシンボルは、制御信号通知の用途に用いられる。（２）１次同期信号、２次同期信号又は物理同報チャネルによって用いられるリソース要素はない。（３）非ＭＢＳＦＮサブフレームのＣＰ長を有する。（４）冗長バージョンは０である。（５）チャネル測定のためにＣＳＩ−ＲＳが用いられる場合、ＰＤＳＣＨのＥＰＲＥ対ＣＳＩ−ＲＳのＥＰＲＥの比は、上位層によって信号通知される所定の値を有する。（６）送信モード別に定義されたＰＤＳＣＨ送信方式（単一アンテナポート送信、送信ダイバシチ、空間多重化、ＭＵ−ＭＩＭＯなど）が当該端末に対して現在設定されている（デフォルトモードであってもよい）。（７）チャネル測定のためにＣＲＳが用いられる場合、ＰＤＳＣＨのＥＰＲＥ対ＣＲＳのＥＰＲＥの比は所定の要件によって決定されうる。ＣＱＩ定義に関するより具体的な事項は、３ＧＰＰ ＴＳ ３６．２１３を参照されたい。
【０１３７】
要するに、下りリンク受信端（例えば、端末）は、現在ＣＱＩ計算を行う時点を基準に過去の特定の単一サブフレームをＣＱＩ参照リソースに設定し、当該ＣＱＩ参照リソースで基地局からＰＤＳＣＨが送信されたとき、その誤り率が１０％を越えない条件を満たすようにＣＱＩ値を計算することができる。
【０１３８】
多地点協調送受信
【０１３９】
３ＧＰＰ ＬＴＥ−Ａシステムの改善されたシステム性能要求条件に応じて、多地点協調送受信（ＣｏＭＰ）技術（ｃｏ−ＭＩＭＯ、協働（ｃｏｌｌａｂｏｒａｔｉｖｅ）ＭＩＭＯ又はネットワークＭＩＭＯなどと表現されることもある）が提案されている。ＣｏＭＰ技術は、セル境界に位置している端末の性能及び平均セクタ処理量（ｔｈｒｏｕｇｈｐｕｔ）を増加させることができる。
【０１４０】
一般に、周波数再利用係数が１である複数セル環境において、セル間干渉（ＩＣＩ）によって、セル境界に位置している端末の性能及び平均セクタ処理量が減少することがある。このようなＩＣＩを低減するために、既存のＬＴＥシステムでは、端末特定電力制御による部分周波数再利用（ｆｒａｃｔｉｏｎａｌ  ｆｒｅｑｕｅｎｃｙ  ｒｅｕｓｅ、ＦＦＲ）のような単純な受動的な方式を用いて、干渉によって制限を受けている環境においてセル境界に位置している端末が適切な処理量性能を有するようにする方法が適用されてきた。しかし、セル当たり周波数リソース使用を減らすよりは、ＩＣＩを低減するか、又はＩＣＩを端末が所望する信号として再利用することが一層好ましいであろう。このような目的を達成するために、ＣｏＭＰ送信方式を適用することができる。
【０１４１】
下りリンクで適用可能なＣｏＭＰ方式は、大きく、合同処理（ｊｏｉｎｔ  ｐｒｏｃｅｓｓｉｎｇ、ＪＰ）方式と調整スケジュール／ビーム形成（ｃｏｏｒｄｉｎａｔｅｄ  ｓｃｈｅｄｕｌｉｎｇ／ｂｅａｍｆｏｒｍｉｎｇ、ＣＳ／ＣＢ）方式とに分類できる。
【０１４２】
ＪＰ方式は、ＣｏＭＰ協調単位のそれぞれのポイント（基地局）でデータを用いることができる。ＣｏＭＰ協調単位は、多地点協調送受信方式に用いられる基地局の集合を意味する。ＪＰ方式は、合同送信（Ｊｏｉｎｔ  Ｔｒａｎｓｍｉｓｓｉｏｎ、ＪＴ）方式と動的セル選択方式とに分類できる。
【０１４３】
ＪＴ方式とは、ＰＤＳＣＨが一度に複数のポイント（ＣｏＭＰ協調単位の一部又は全部）から送信される方式のことを指す。すなわち、単一端末に送信されるデータを複数の送信ポイント（ＴＰ）から同時に送信することができる。合同送信方式によれば、コヒーレントに、又は非コヒーレントに受信信号の品質を向上させることができ、かつ、他の端末に対する干渉を能動的に消去することができる。
【０１４４】
動的セル選択方式とは、ＰＤＳＣＨが一度に（ＣｏＭＰ協調単位の）一つのポイントから送信される方式のことを指す。すなわち、特定時点で単一端末に送信されるデータは一つのポイントから送信され、その時点で協調単位内の他のポイントは当該端末に対してデータ送信を行わない。ここで、当該端末にデータを送信するポイントを動的に選択することができる。
【０１４５】
一方、ＣＳ／ＣＢ方式によれば、ＣｏＭＰ協調単位が単一端末に対するデータ送信のビーム形成を協調的に行うことができる。ここで、データはサービス提供セルだけで送信されるが、ユーザスケジュール／ビーム形成は、当該ＣｏＭＰ協調単位におけるセルの調整によって決定されうる。
【０１４６】
一方、上りリンクでは、協調多地点受信は、地理的に離れた複数のポイントの調整によって送信された信号を受信することを意味する。上りリンクにおいて適用可能なＣｏＭＰ方式は、合同受信（ＪＲ）と調整スケジュール／ビーム形成（ＣＳ／ＣＢ）とに分類できる。
【０１４７】
ＪＲ方式は、ＰＵＳＣＨを介して送信された信号が複数の受信ポイントに受信されることを意味し、ＣＳ／ＣＢ方式は、ＰＵＳＣＨが一つのポイントだけで受信されるが、ユーザスケジュール／ビーム形成はＣｏＭＰ協調単位のセルの調整によって決定されることを意味する。
【０１４８】
このようなＣｏＭＰシステムを用いると、端末は、複数セル基地局（Ｍｕｌｔｉ−ｃｅｌｌ  ｂａｓｅ  ｓｔａｔｉｏｎ）から共同でデータのサポートを受けることができる。また、各基地局は、同一無線周波リソースを用いて一つ以上の端末を同時にサポートすることによって、システムの性能を向上させることができる。また、基地局は、基地局と端末との間のチャネル状態情報に基づいて、空間分割多元接続（ＳＤＭＡ）を行うこともできる。
【０１４９】
ＣｏＭＰシステムにおいて、サービス提供基地局及び一つ以上の協調基地局はバックボーン網を通してスケジューラに接続する。スケジューラは、協調基地局が測定し、バックボーン網を通してフィードバックした、各端末と協調基地局との間のチャネル状態に関するチャネル情報を受信することができる。例えば、スケジューラは、サービス提供基地局及び一つ以上の協調基地局に対して、協調的ＭＩＭＯ動作のための情報をスケジュールすることができる。すなわち、スケジューラから各基地局に協調的ＭＩＭＯ動作に関する指示を直接下すことができる。
【０１５０】
上述したとおり、ＣｏＭＰシステムは、複数のセルを一つのグループにまとめて仮想ＭＩＭＯシステムとして動作するものと見なすことができ、基本的に、ＣｏＭＰシステムには複数アンテナを用いるＭＩＭＯシステムの通信方式を適用することができる。
【０１５１】
搬送波集約
【０１５２】
搬送波集約を説明する前に、ＬＴＥ−Ａにおいて無線リソースを管理するために導入されたセルの概念についてまず説明する。セルは、下りリンクリソース及び上りリンクリソースの組合せと理解してもよい。ここで、上りリンクリソースは必須の要素ではなく、よって、セルは、下りリンクリソース単独で構成してもよいし、又は下りリンクリソース及び上りリンクリソースで構成してもよい。下りリンクリソースは下りリンク構成搬送波（ＤＬ ＣＣ）と、上りリンクリソースは上りリンク構成搬送波（ＵＬ ＣＣ）と呼ぶことができる。ＤＬ ＣＣ及びＵＬ ＣＣは、搬送周波数と表現することができ、搬送周波数は、当該セルにおける中心周波数を意味する。
【０１５３】
セルは、１次周波数で動作する１次セル（ＰＣｅｌｌ）と、２次周波数で動作する２次セル（ＳＣｅｌｌ）とに分類できる。ＰＣｅｌｌ及びＳＣｅｌｌはサービス提供セルと呼ぶことができる。ＰＣｅｌｌは、端末が初期接続設定過程を行ったとき、又は接続再設定過程若しくはハンドオーバ過程で指示されたセルであってよい。すなわち、ＰＣｅｌｌは、後述する搬送波集約環境において制御関連の中心となるセルと理解してもよい。端末は、自身のＰＣｅｌｌにおいてＰＵＣＣＨの割当を受けて送信することができる。ＳＣｅｌｌは、無線リソース制御（ＲＲＣ）接続設定がなされた後に設定可能であり、追加の無線リソースを提供するために用いることができる。搬送波集約環境におけるＰＣｅｌｌ以外の残りのサービス提供セルをＳＣｅｌｌと見なすことができる。ＲＲＣ＿ＣＯＮＮＥＣＴＥＤ状態にあるが、搬送波集約が設定されていないか、又は搬送波集約をサポートしない端末の場合、ＰＣｅｌｌだけで構成されたサービス提供セルが一つだけ存在する。一方、ＲＲＣ＿ＣＯＮＮＥＣＴＥＤ状態にあると共に搬送波集約が設定された端末の場合、一つ以上のサービス提供セルが存在し、すべてのサービス提供セルにはＰＣｅｌｌ及びすべてのＳＣｅｌｌが含まれる。搬送波集約をサポートする端末のために、ネットワークは、初期セキュリティ活性化過程が開始された後、接続設定過程の初期に設定されるＰＣｅｌｌに加えて、一つ以上のＳＣｅｌｌを設定することができる。
【０１５４】
図１０は、搬送波集約を説明するための図である。
【０１５５】
搬送波集約は、高速伝送の要求に合致するために、より広い帯域を使用するように導入された技術である。搬送波集約は、搬送周波数が別個の２個以上の構成搬送波（ＣＣ）又は２個以上のセルの集約と定義することができる。図１０を参照すると、図１０（ａ）は、既存ＬＴＥシステムで一つのＣＣを用いる場合のサブフレームを示し、図１０（ｂ）は、搬送波集約が用いられる場合のサブフレームを示している。図１０（ｂ）には、２０ＭＨｚのＣＣ３個が用いられて合計６０ＭＨｚの帯域幅をサポートする例示を示している。ここで、各ＣＣは、周波数上で連続していてもよいし、非連続であってもよい。
【０１５６】
端末は、下りリンクデータを複数のＤＬ ＣＣを介して同時に受信し、監視することができる。各ＤＬ ＣＣとＵＬ ＣＣとの間の結合（ｌｉｎｋａｇｅ）はシステム情報で示すことができる。ＤＬ ＣＣ／ＵＬ ＣＣリンクは、システムにおいて固定であってもよいし、半静的に構成してもよい。また、システム全体の帯域をＮ個のＣＣで構成してもよいし、特定端末が監視／受信できる周波数帯域をＭ（＜Ｎ）個のＣＣに限定してもよい。搬送波集約に関する様々なパラメータは、セル特定（ｃｅｌｌ−ｓｐｅｃｉｆｉｃ）、端末グループ特定（ＵＥ  ｇｒｏｕｐ−ｓｐｅｃｉｆｉｃ）又は端末特定（ＵＥ−ｓｐｅｃｉｆｉｃ）の方式で設定することができる。
【０１５７】
図１１は、交差搬送波スケジュール（ｃｒｏｓｓ−ｃａｒｒｉｅｒ  ｓｃｈｅｄｕｌｉｎｇ）を説明するための図である。
【０１５８】
交差搬送波スケジュールとは、例えば、複数サービス提供セルのいずれか一つのＤＬ ＣＣの制御領域に、他のＤＬ ＣＣの下りリンクスケジュール割当情報をすべて含むこと、又は複数サービス提供セルのいずれか一つのＤＬ ＣＣの制御領域に、該ＤＬ ＣＣとリンクされている複数のＵＬ ＣＣに関する上りリンクスケジュール許可情報をすべて含むことを意味する。
【０１５９】
交差搬送波スケジュールに関して、搬送波指示子フィールド（ＣＩＦ）について説明する。ＣＩＦは、ＰＤＣＣＨを介して送信されるＤＣＩフォーマットに含まれてもよいし（例えば、３ビットサイズで定義される）、含まれなくてもよく（例えば、０ビットサイズで定義される）、含まれる場合、交差搬送波スケジュールが適用されることを示す。交差搬送波スケジュールが適用されない場合には、下りリンクスケジュール割当情報は、現在下りリンクスケジュール割当情報が送信されるＤＬ ＣＣ上で有効である。また、上りリンクスケジュール許可は、下りリンクスケジュール割当情報が送信されるＤＬ ＣＣと結合（リンク）された一つのＵＬ ＣＣに対して有効である。
【０１６０】
交差搬送波スケジュールが適用された場合、ＣＩＦは、いずれか一つのＤＬ ＣＣでＰＤＣＣＨを介して送信される下りリンクスケジュール割当情報に関連したＣＣを示す。例えば、図１１を参照すると、ＤＬ ＣＣ Ａ上の制御領域におけるＰＤＣＣＨを介してＤＬ ＣＣ Ｂ及びＤＬ ＣＣ Ｃに関する下りリンク割当情報、すなわち、ＰＤＳＣＨリソースに関する情報が送信される。端末は、ＤＬ ＣＣ Ａを監視し、ＣＩＦからＰＤＳＣＨのリソース領域及び該当のＣＣが把握できる。
【０１６１】
ＰＤＣＣＨにＣＩＦが含まれるか否かは半静的に設定してもよく、ＣＩＦは上位層信号通知によって端末特定に活性化（ｅｎａｂｌｅ）してもよい。
【０１６２】
ＣＩＦが非活性化（ｄｉｓａｂｌｅｄ）された場合、特定ＤＬ ＣＣ上のＰＤＣＣＨは、該ＤＬ ＣＣ上のＰＤＳＣＨリソースを割り当て、特定ＤＬ ＣＣに結合されたＵＬ ＣＣ上のＰＵＳＣＨリソースを割り当てることができる。この場合、既存のＰＤＣＣＨ構造と同じ符号化方式、ＣＣＥベースのリソースマップ、ＤＣＩフォーマットなどを適用することができる。
【０１６３】
一方、ＣＩＦが活性化された場合、特定ＤＬ ＣＣ上のＰＤＣＣＨは、複数の集約されたＣＣのうち、ＣＩＦが示す一つのＤＬ／ＵＬ ＣＣ上におけるＰＤＳＣＨ／ＰＵＳＣＨリソースを割り当てることができる。この場合、既存のＰＤＣＣＨ ＤＣＩフォーマットにＣＩＦを更に定義することができ、ＣＩＦは、固定した３ビット長のフィールドと定義してもよいし、ＣＩＦ位置をＤＣＩフォーマットサイズにかかわらず固定してもよい。この場合にも、既存のＰＤＣＣＨ構造と同じ符号化方式、ＣＣＥベースのリソースマップ、ＤＣＩフォーマットなどを適用することができる。
【０１６４】
ＣＩＦが存在する場合にも、基地局は、ＰＤＣＣＨを監視するＤＬ ＣＣセットを割り当てることができる。これによって、端末のブラインド復号の負担を減少させることができる。ＰＤＣＣＨ監視ＣＣセットは、全体集約されたＤＬ ＣＣの一部分であり、端末は、ＰＤＣＣＨの検出／復号を該当のＣＣセットだけで行うことができる。すなわち、端末に対してＰＤＳＣＨ／ＰＵＳＣＨをスケジュールするために、基地局はＰＤＣＣＨをＰＤＣＣＨ監視ＣＣセット上でだけ送信することができる。ＰＤＣＣＨ監視ＤＬ ＣＣセットは、端末特定、端末グループ特定、又はセル特定に設定することができる。例えば、図１１の例示のように３個のＤＬ ＣＣが集約される場合、ＤＬ ＣＣ ＡをＰＤＣＣＨ監視ＤＬ ＣＣに設定することができる。ＣＩＦが非活性化される場合、それぞれのＤＬ ＣＣ上のＰＤＣＣＨは、ＤＬ ＣＣ ＡにおけるＰＤＳＣＨだけをスケジュールすることができる。一方、ＣＩＦが活性化されたとき、ＤＬ ＣＣ Ａ上のＰＤＣＣＨは、ＤＬ ＣＣ Ａは元より、他のＤＬ ＣＣにおけるＰＤＳＣＨもスケジュールすることができる。ＤＬ ＣＣ ＡがＰＤＣＣＨ監視ＣＣに設定される場合には、ＤＬ ＣＣ Ｂ及びＤＬ ＣＣ ＣにはＰＤＣＣＨが送信されなくてもよい。
【０１６５】
ＰＤＣＣＨ処理
【０１６６】
ＰＤＣＣＨをリソース要素上にマップするとき、連続した論理割当単位である制御チャネル要素（ＣＣＥ）を用いる。１個のＣＣＥは複数（例えば、９個）のリソース要素グループ（ＲＥＧ）を含み、１個のＲＥＧは、参照信号（ＲＳ）を除く状態で隣接した４個のＲＥで構成される。
【０１６７】
特定のＰＤＣＣＨのために必要なＣＣＥの個数は、制御情報のサイズであるＤＣＩペイロード、セル帯域幅、チャネル符号化速度などによって異なってくる。具体的には、特定のＰＤＣＣＨのためのＣＣＥの個数を、次の表４のように、ＰＤＣＣＨフォーマットによって定義することができる。
【表４】
0006294327.tif 000022
【０１６８】
ＰＤＣＣＨには４種類のフォーマットのいずれか一つを用いることができるが、それが端末には知らされない。そのため、端末はＰＤＣＣＨフォーマットを知らないまま復号をしなければならない。これをブラインド復号という。しかし、端末が下りリンクに用いられる可能な全ＣＣＥを各ＰＤＣＣＨフォーマットに対して復号することは大きな負担となるため、スケジューラに対する制約及び復号試行回数を考慮して探索空間（Ｓｅａｒｃｈ  Ｓｐａｃｅ）を定義する。
【０１６９】
すなわち、探索空間は、集約レベル（Ａｇｇｒｅｇａｔｉｏｎ  Ｌｅｖｅｌ）上で端末が復号を試みるべきＣＣＥからなる候補ＰＤＣＣＨの組合せである。ここで、集約レベル及びＰＤＣＣＨ候補の数を次の表５のように定義することができる。
【表５】
0006294327.tif 000023
【０１７０】
上記の表５から分かるように、４種類の集約レベルが存在するため、端末は各集約レベルによって複数の探索空間を有する。また、上記の表５に示すように、探索空間は、端末特定探索空間と共通探索空間とに区別できる。端末特定探索空間は特定の端末のためのものであり、各端末は、端末特定探索空間を監視して（可能なＤＣＩフォーマットによってＰＤＣＣＨ候補組合せに対して復号を試みて）、ＰＤＣＣＨにマスクされているＲＮＴＩ及びＣＲＣを確認し、有効な場合、制御情報を取得することができる。
【０１７１】
共通探索空間は、システム情報に対する動的スケジュール又は呼出しメッセージなどを含め、複数の端末又は全端末がＰＤＣＣＨを受信する必要がある場合のためのものである。ただし、共通探索空間は、リソース運用上、特定端末のためのものとして用いられてもよい。また、共通探索空間は端末特定探索空間と重複してもよい。
【０１７２】
上述したとおり、端末は探索空間に対して復号を試みるが、この復号を試みる回数は、ＤＣＩフォーマット及びＲＲＣ信号通知によって指示される送信モードによって決定される。搬送波集約が適用されない場合、端末は共通探索空間に対してＰＤＣＣＨ候補数６個それぞれに対して２種類のＤＣＩサイズ（ＤＣＩフォーマット０／１Ａ／３／３Ａ、及びＤＣＩフォーマット１Ｃ）を考慮するため、最大１２回の復号を試みる必要がある。端末特定探索空間に対しては、ＰＤＣＣＨ候補数（６＋６＋２＋２＝１６）に対して２種類のＤＣＩサイズを考慮するため、最大３２回の復号を試みる必要がある。したがって、搬送波集約が適用されない場合、最大４４回の復号を試みる必要がある。
【０１７３】
強化制御チャネル
【０１７４】
改善された制御チャネルの一例として、強化ＰＤＣＣＨ（Ｅ−ＰＤＣＣＨ）について説明する。
【０１７５】
前述したＤＣＩフォーマットに含まれた制御情報は、ＬＴＥ／ＬＴＥ−Ａに定義されたＰＤＣＣＨを介して送信されることを中心に説明したが、ＰＤＣＣＨではなく他の下りリンク制御チャネル、例えば、Ｅ−ＰＤＣＣＨにも適用可能である。Ｅ−ＰＤＣＣＨは、端末のためのスケジュール割当などのＤＣＩを搬送する制御チャネルの新しい形態に該当し、セル間干渉調整（ＩＣＩＣ）、ＣｏＭＰ、ＭＵ−ＭＩＭＯなどの方式を効果的にサポートするために導入できる。
【０１７６】
このようなＥ−ＰＤＣＣＨは、既存のＬＴＥ／ＬＴＥ−ＡシステムにおいてＰＤＣＣＨ送信のために定義される領域（例えば、図３の制御領域）以外の時間周波数リソース領域（例えば、図３のデータ領域）に割り当てられるという点で、既存のＰＤＣＣＨと区別される（以下では、既存のＰＤＣＣＨを、Ｅ−ＰＤＣＣＨと区別するために、旧型ＰＤＣＣＨ（ｌｅｇａｃｙ−ＰＤＣＣＨ）と称する）。例えば、Ｅ−ＰＤＣＣＨのリソース要素へのマップとは、時間領域では下りリンクサブフレームの先頭Ｎ（例えば、Ｎ≦４）個のＯＦＤＭシンボルを除いたＯＦＤＭシンボルにマップされ、周波数領域では半静的に割り当てられたリソースブロック（ＲＢ）のセットにマップされることと表現できる。
【０１７７】
また、Ｅ−ＰＤＣＣＨの導入と類似の理由で、上りリンク送信に対するＨＡＲＱ ＡＣＫ／ＮＡＣＫ情報を運ぶ新しい制御チャネルとしてＥ−ＰＨＩＣＨを定義でき、下りリンク制御チャネル送信に用いられるリソース領域に関する情報を運ぶ新しい制御チャネルとしてＥ−ＰＣＦＩＣＨを定義することもできる。このようなＥ−ＰＤＣＣＨ、Ｅ−ＰＨＩＣＨ及び／又はＥ−ＰＣＦＩＣＨを総称して強化制御チャネルと呼ぶことができる。
【０１７８】
強化ＲＥＧ（ＥＲＥＧ）を強化制御チャネルのリソース要素へのマップを定義するために用いることができる。例えば、一つの物理リソースブロック対（ＰＲＢ  ｐａｉｒ）に対して、１６個のＥＲＥＧ（すなわち、ＥＲＥＧ ０からＥＲＥＧ １５）が存在する。一つのＰＲＢ上でＤＭ ＲＳがマップされたＲＥを除いた残りのＲＥに対して、０から１５までの番号が付けられる。番号が付けられる順序は、まず、周波数の増加する順序に従い、続いて、時間の増加する順序に従う。例えば、ｉという番号が付けられたＲＥが一つのＥＲＥＧ ｉを構成する。
【０１７９】
強化制御チャネルは１つ又は複数の強化ＣＣＥ（ＥＣＣＥ）の組合せを用いて送信することができる。ＥＣＣＥはそれぞれ、１つ又は複数のＥＲＥＧを含むことができる。ＥＣＣＥ当たりのＥＲＥＧの個数は、例えば、４又は８であってもよい（正規ＣＰの一般サブフレームの場合は４）。
【０１８０】
強化制御チャネルに対して利用可能なＥＣＣＥには０からＮECCE−１まで番号を付けることができる。ＮECCEの値は、例えば、１、２、４、８、１６又は３２であってもよい。
【０１８１】
強化制御チャネルの送信のために設定されたＰＲＢ対のＲＥの個数は、次の条件、ｉ）、ｉｉ）及びｉｉｉ）を満たすＲＥの個数と定義できる。ｉ）ＰＲＢ対における１６個のＥＲＥＧのいずれか一ＥＲＥＧの一部であること、ｉｉ）ＣＲＳ又はＣＳＩ−ＲＳのために用いられないこと、及びｉｉｉ）強化制御チャネルが始まるＯＦＤＭシンボルのインデクス以上のＯＦＤＭシンボルに属すること。
【０１８２】
また、強化制御チャネルは、集中（ｌｏｃａｌｉｚｅｄ）方式又は分散（ｄｉｓｔｒｉｂｕｔｅｄ）方式でＲＥにマップできる。強化制御チャネルは、次の条件ａ）乃至ｄ）を満たすＲＥにマップできる。ａ）送信のために割り当てられたＥＲＥＧの一部であること、ｂ）物理同報チャネル（Ｐｈｙｓｉｃａｌ  Ｂｒｏａｄｃａｓｔ  Ｃｈａｎｎｅｌ、ＰＢＣＨ）又は同期信号の送信に用いられるＰＲＢ対の一部でないこと、ｃ）ＣＲＳ又は特定ＵＥに対するＣＳＩ−ＲＳのために用いられないこと、及びｄ）強化制御チャネルが始まるＯＦＤＭシンボルのインデクス以上のＯＦＤＭシンボルに属すること。
【０１８３】
強化制御チャネルの割当は、次のように行うことができる。基地局からの上位層信号通知で端末に一つ又は複数の強化制御チャネル・ＰＲＢセットを設定することができる。例えば、Ｅ−ＰＤＣＣＨの場合は、強化制御チャネル・ＰＲＢセットがＥ−ＰＤＣＣＨの監視のためのものであってもよい。
【０１８４】
また、強化制御チャネルのＲＥマップには交差インタリーブ（ｃｒｏｓｓ  ｉｎｔｅｒｌｅａｖｉｎｇ）を適用してもよいし、適用しなくてもよい。
【０１８５】
交差インタリーブが適用されない場合、一つの強化制御チャネルはリソースブロックの特定セットにマップされてもよく、リソースブロックのセットを構成するリソースブロックの個数は集約レベル１，２，４又は８に対応できる。また、他の強化制御チャネルは当該リソースブロックセットで送信されない。
【０１８６】
交差インタリーブが適用される場合、複数の強化制御チャネルを共に多重化及びインタリーブして、強化制御チャネル送信のために割り当てられたリソースブロック上にマップしてもよい。すなわち、特定リソースブロックセット上で複数の強化制御チャネルが共にマップされることと表現することもできる。
【０１８７】
ＤＣＩフォーマット１Ａ
【０１８８】
ＤＣＩフォーマット１Ａとは、一つのセルにおける一つのＰＤＳＣＨ符号語の簡潔（ｃｏｍｐａｃｔ）スケジュールのために用いられるＤＣＩフォーマットのことを指す。すなわち、ＤＣＩフォーマット１Ａは、単一アンテナ送信、単一ストリーム送信、又は送信ダイバシチ送信など、ランク１送信で用いられる制御情報を含むことができる。表６は、既存の３ＧＰＰ ＬＴＥ／ＬＴＥ−Ａ標準で定義するＤＣＩフォーマット１Ａの一例を表す。
【表６】
0006294327.tif 000024
【０１８９】
上記の表６のような制御情報を含むＤＣＩフォーマット１Ａは、ＰＤＣＣＨ又はＥＰＤＣＣＨを介して基地局から端末に提供することができる。
【０１９０】
ＤＣＩフォーマット１Ａは、最も基本的な下りリンク送信（ランク１で一つのＰＤＳＣＨ符号語を送信）をスケジュールする情報を含む。したがって、ランク２以上及び／又は複数の符号語送信などの複雑なＰＤＳＣＨ送信方式が正しく行われない場合、最も基本的なＰＤＳＣＨ送信方式をサポートするための用途（すなわち、フォールバック）に用いることができる。
【０１９１】
準共設
【０１９２】
ＱＣ又は準共設（Ｑｕａｓｉ  Ｃｏ−Ｌｏｃａｔｅｄ、ＱＣＬ）関係は、信号に対する観点又はチャネルに対する観点で説明することができる。
【０１９３】
一つのアンテナポート上で受信される信号の大規模特性を、他のアンテナポート上で受信される信号から類推（ｉｎｆｅｒ）できる場合、これら２つのアンテナポートはＱＣＬされていると見なすことができる。ここで、信号の大規模特性は、遅延拡散、ドップラシフト、周波数シフト、平均受信電力、受信タイミングのうち一つ以上を含むことができる。
【０１９４】
又は、一つのアンテナポート上のシンボルが送信されるチャネルの大規模特性を、他のアンテナポート上のシンボルが送信されるチャネルの特性から類推できる場合、これら２つのアンテナポートがＱＣＬされていると見なすことができる。ここで、チャネルの大規模特性は、遅延拡散、ドップラ拡散、ドップラシフト、平均利得、及び平均遅延のうち一つ以上を含むことができる。
【０１９５】
本明細書においてＱＣ又はＱＣＬという用語を使用する際、その定義は上述した信号の観点又はチャネルの観点で区別しない。
【０１９６】
端末の立場でＱＣＬに対する仮定が成立するアンテナポート間には、実際には２つのアンテナポートが共設されていなくても、共設されていると仮定することができる。例えば、端末は、ＱＣＬ仮定が成立する２つのアンテナポートが同一の送信ポイント（ＴＰ）に存在すると仮定することができる。
【０１９７】
例えば、特定ＣＳＩ−ＲＳアンテナポートと、特定下りリンクＤＭＲＳアンテナポートと、特定ＣＲＳアンテナポートとがＱＣＬされていると設定することができる。これは、特定ＣＳＩ−ＲＳアンテナポートと、特定下りリンクＤＭＲＳアンテナポートと、特定ＣＲＳアンテナポートとが一つのサービス提供セルからのものである場合であってもよい。
【０１９８】
また、ＣＳＩ−ＲＳアンテナポートと下りリンクＤＭＲＳアンテナポートとがＱＣＬされていると設定してもよい。例えば、複数のＴＰが参加するＣｏＭＰ状況において、いずれのＣＳＩ−ＲＳアンテナポートが実際にいずれのＴＰから送信されるかは端末に明示的に知らされない。この場合、特定ＣＳＩ−ＲＳアンテナポートと特定ＤＭＲＳアンテナポートとがＱＣＬされていることを端末に知らせることができる。これは、特定ＣＳＩ−ＲＳアンテナポート及び特定ＤＭＲＳアンテナポートがいずれか一つのＴＰからのものである場合であってもよい。
【０１９９】
このような場合、端末はＣＳＩ−ＲＳ又はＣＲＳを用いて取得したチャネルの大規模特性情報を用いて、ＤＭＲＳを用いたチャネル推定の性能を高めることができる。例えば、ＣＳＩ−ＲＳから推定されたチャネルの遅延拡散を用いて、ＤＭＲＳから推定されたチャネルの干渉を抑制するなどの動作を行うことができる。
【０２００】
例えば、遅延拡散及びドップラ拡散に関して、端末はいずれか一つのアンテナポートに対する電力遅延プロファイル、遅延拡散及びドップラスペクトル、ドップラ拡散推定結果を、他のアンテナポートに対するチャネル推定時に用いられるウィナーフィルタなどに同様に適用することができる。また、周波数シフト及び受信タイミングに関して、端末はいずれか一つのアンテナポートに対する時間及び周波数同期化を行った後、同一の同期化を他のアンテナポートの復調に適用することができる。また、平均受信電力に関して、端末は２個以上のアンテナポートに対して参照信号受信電力（ＲＳＲＰ）測定を平均化することができる。
【０２０１】
例えば、端末がＰＤＣＣＨ（又は、ＥＰＤＣＣＨ）を介して特定ＤＭＲＳベースのＤＬ関連ＤＣＩフォーマット（ＤＭＲＳ−ｂａｓｅｄ  ＤＬ−ｒｅｌａｔｅｄ  ＤＣＩ  ｆｏｒｍａｔ）（例えば、ＤＣＩフォーマット２Ｃ）でＤＬスケジュール許可情報を受信することがある。この場合、端末は、設定されたＤＭＲＳシーケンスを用いて該当のスケジュールされたＰＤＳＣＨに対するチャネル推定を行った後、データ復調を行う。例えば、端末がこのようなＤＬスケジュール許可から受けたＤＭＲＳポート設定が特定ＲＳ（例えば、特定ＣＳＩ−ＲＳ、特定ＣＲＳ、又は自身のＤＬサービス提供セルＣＲＳなど）ポートとＱＣＬされていると仮定できるとき、端末は、当該ＤＭＲＳポートからチャネル推定時に、上記の特定ＲＳのポートから推定した遅延拡散などの大規模特性推定値をそのまま適用してＤＭＲＳベース受信の性能を向上させることができる。
【０２０２】
これは、ＣＳＩ−ＲＳ又はＣＲＳが、周波数ドメインで全帯域にわたって送信されるセル特定信号であり、端末特定に送信されるＤＭＲＳに比べてチャネルの大規模特性をより正確に把握できるためである。特に、ＣＲＳは、サブフレームごとに全帯域にわたって相対的に高密度で同報される参照信号であるため、一般に、チャネルの大規模特性に対する推定値は、ＣＲＳから安定してより正確に取得することができる。一方、ＤＭＲＳは、スケジュールされた特定ＲＢだけで端末特定に送信されるため、チャネルの大規模特性推定値の正確度がＣＲＳ又はＣＳＩ−ＲＳに比べて劣る。また、端末に多数のＰＲＢＧがスケジュールされた場合であっても、基地局が送信に用いたプリコーディング行列は物理リソースブロックグループ（ＰＲＢＧ）単位に変わることもあるため、端末に受信される有効チャネルはＰＢＲＧ単位に変わることがある。そのため、広い帯域にわたってＤＭＲＳに基づいて大規模チャネル特性を推定しても、その正確性が低下しうる。
【０２０３】
一方、端末は、ＱＣＬされていない（ｎｏｎ−ｑｕａｓｉ−ｃｏ−ｌｏｃａｔｅｄ、ＮＱＣ）アンテナポート（ＡＰ）に対しては、これらのＡＰが同一の大規模チャネル特性を有すると仮定することができない。この場合、端末はタイミング取得及び追跡、周波数オフセット推定及び補償、遅延推定、及びドップラ推定などについてＮＱＣ ＡＰ別に独立して処理しなければならない。
【０２０４】
ＱＣＬされているか否かは、下りリンク制御情報（例えば、ＤＣＩフォーマット２ＤのＰＱＩフィールド（ＰＤＳＣＨ ＲＥマップ及びＱＣＬ指示子フィールド））を用いて端末に提供することができる。具体的には、ＱＣＬ設定に対するパラメータセットが上位層によってあらかじめ設定されており、ＤＣＩ ２ＤのＰＱＩフィールドを用いてそれらのＱＣＬパラメータセットの中から特定の一つのパラメータセットを示すことができる。
【０２０５】
ＱＣ関連情報の信号通知方法
【０２０６】
本発明の一実施例では、ＣＲＳ、ＣＳＩ−ＲＳ、ＤＭＲＳなどのＲＳ同士のＱＣ仮定情報を基地局が信号通知することによって、端末のＣＳＩフィードバック及び受信処理性能を向上させることができる方法を提案する。
【０２０７】
ＱＣ関連情報の上位層信号通知方法
【０２０８】
以下では、ＱＣ関連情報を上位層（例えば、ＲＲＣ）信号通知で設定する本発明の例示について説明する。例えば、端末が上位層によって一つ以上のＣＳＩ−ＲＳ設定を信号通知される際、それぞれのＣＳＩ−ＲＳ設定別に特定ＲＳとのＱＣ仮定が可能か否かを知らせることができる（ここで、特定ＲＳは、端末の特定セル（例えば、ＤＬサービス提供セル又は隣接セル）のＣＲＳ、他のＣＳＩ−ＲＳ、又はＤＭＲＳであってもよい）。このように設定された端末は、それぞれのＣＳＩ−ＲＳ設定に基づくＣＳＩフィードバックにおいて、報告する情報（例えば、ＲＩ、ＰＭＩ、ＣＱＩなど）を計算／決定する際にこのようなＱＣ仮定又はＮＱＣ仮定を適用することができる。
【０２０９】
ＱＣ関連情報の上位層信号通知方法の一例として、ＣＳＩ−ＲＳポートとＣＲＳポートとの間のＱＣ／ＮＱＣの適用による動作について説明する。
【０２１０】
例えば、端末に複数のＣＳＩ−ＲＳ設定が信号通知されることがある。以下の説明で、ＣＳＩ−ＲＳ設定はＣＳＩ−ＲＳリソースと理解してもよい。例えば、端末は、ＣＳＩ−ＲＳ設定１（以下では、“ＣＳＩ−ＲＳ１”と表記）及びＣＳＩ−ＲＳ設定２（以下では、“ＣＳＩ−ＲＳ２”と表記）を上位層によって信号通知されることがある。また、ＣＳＩ−ＲＳ１とＤＬサービス提供セルＣＲＳとはＱＣであり、ＣＳＩ−ＲＳ２とＤＬサービス提供セルＣＲＳとはＮＱＣであると仮定してもよいことを上位層によって信号通知してもよい。
【０２１１】
この場合、端末は、ＤＬサービス提供セルＣＲＳとのＱＣ仮定が可能なＣＳＩ−ＲＳ１を用いるＣＳＩ計算について、次のような仮定に基づくことができる。端末は、ＣＳＩを計算する際に、ＤＭＲＳベースＰＤＳＣＨを受信する場合を仮定してデータ復調時に所定の誤り率を越えないＲＩ、ＰＭＩ、ＣＱＩなどを計算／決定できるが、このとき、当該ＰＤＳＣＨ ＤＭＲＳポートとＤＬサービス提供セルＣＲＳとがＱＣ関係にあることを仮定したときのデータ復調時の１０％以下のＦＥＲを達成できるＲＩ、ＰＭＩ、ＣＱＩなどを計算することができる。また、ＣＳＩ−ＲＳ１を用いるＣＳＩ計算において、ＣＳＩ−ＲＳ設定に含まれるＰｃ値（上記の表２のパラメータｐ＿Ｃを参照）に、上記ＤＬサービス提供セルＣＲＳを考慮した所定のスケーリングを適用する方式でＱＣ仮定を反映することもできる。
【０２１２】
一方、端末は、ＣＳＩ−ＲＳ２がＤＬサービス提供セルＣＲＳとＮＱＣ関係にあると設定されたため、ＣＳＩ−ＲＳ２を送信したＴＰからＤＭＲＳベースＰＤＳＣＨを受信する場合を仮定してＲＩ、ＰＭＩ、ＣＱＩを計算／決定する際、当該ＰＤＳＣＨ ＤＭＲＳポートとＤＬサービス提供セルＣＲＳとのＱＣ仮定を適用しない。すなわち、ＱＣ仮定無しで、ＤＭＲＳベースＰＤＳＣＨを用いたデータ復調時の１０％以下のＦＥＲを達成できるＲＩ、ＰＭＩ、ＣＱＩなどを計算／決定することができる。例えば、ＱＣ仮定を適用できる場合に比べてより低い（すなわち、より強じんな送信が予想される）ＭＣＳレベル、ＣＱＩ、ＲＩ値などを計算／決定し、それを基地局に報告することができる。
【０２１３】
ＱＣ関連情報の上位層信号通知方法の追加的な例示として、特定ＣＳＩ−ＲＳ設定のＣＳＩ−ＲＳポートと、別のＣＳＩ−ＲＳ設定のＣＳＩ−ＲＳポートとの間でＱＣ／ＮＱＣ仮定が適用されるか否かを示す情報が上位層信号通知に含まれてもよい。
【０２１４】
例えば、ＣＳＩ−ＲＳ設定別に所定の位置情報を含み、同一の位置値を有するＣＳＩ−ＲＳ間にはＱＣを仮定してもよいと解釈する信号通知方法を提案する。この位置情報はＮビットの大きさを有することができる。例えば、Ｌ×Ｍ個のアンテナを含む２次元均一長方形アンテナアレイ（Ｕｎｉｆｏｒｍ  Ｒｅｃｔａｎｇｕｌａｒ  Ａｎｔｅｎｎａ  ａｒｒａｙ、ＵＲＡ）を具備した基地局で３次元ビーム形成を行う場合を仮定することができる。この場合、基地局は一つの端末に対して、２次元ＵＲＡによって構成される複数のＣＳＩ−ＲＳ設定間にＱＣ関係を有することを知らせることができる。これによって、端末は、一つのＣＳＩ−ＲＳ設定の特定ＣＳＩ−ＲＳポートに対して測定された大規模チャネル特性（例えば、遅延拡散、ドップラ拡散、周波数シフト、受信タイミングなど）の一部又は全部を、他のＣＳＩ−ＲＳ設定のＣＳＩ−ＲＳポートに対して適用することができる。これによって、端末のチャネル推定の複雑性を大幅に減少させることができる。ただし、別個のＣＳＩ−ＲＳ設定に関して、大規模チャネル特性のうち平均受信電力をＱＣ関係にあると仮定すると、３次元ビーム形成の利得を十分に受けることができず、平均受信電力を決定する際には、別個のＣＳＩ−ＲＳ設定に属したＣＳＩ−ＲＳポートに関してはＮＱＣ関係であると仮定してもよい。
【０２１５】
追加的な例示として、ＣＳＩ−ＲＳ設定別にフラグビットが含まれてもよい。フラグビットがトグルされるたびに、ＱＣ仮定が適用される同一グループに属するか否かを示すことができる。例えば、フラグビットの値がトグルされる場合（すなわち、先行ＣＳＩ−ＲＳ設定のフラグビットの値に比べて、当該ＣＳＩ−ＲＳ設定のフラグビットの値が０から１に切り替わったり、１から０に切り替わったりした場合）には、先行ＣＳＩ−ＲＳ設定と異なるグループに属することを示し、フラグビットの値がトグルされない場合には、同一グループに属することを示すことができる。例えば、端末が合計５個のＣＳＩ−ＲＳ設定（ＣＳＩ−ＲＳ１、ＣＳＩ−ＲＳ２、…、ＣＳＩ−ＲＳ５）を信号通知された場合、ＣＳＩ−ＲＳ１及びＣＳＩ−ＲＳ２ではフラグビットが‘０’であり、ＣＳＩ−ＲＳ３及びＣＳＩ−ＲＳ４に対しては‘１’、ＣＳＩ−ＲＳ５に対しては‘０’とトグルされた場合を仮定することができる。この場合、ＣＳＩ−ＲＳ１とＣＳＩ−ＲＳ２との間にはＱＣ仮定が可能であり、ＣＳＩ−ＲＳ３とＣＳＩ−ＲＳ４との間にもＱＣ仮定が可能であり、ＣＳＩ−ＲＳ５は他のＣＳＩ−ＲＳとＱＣ関係にない（すなわち、ＮＱＣ関係にある）ことを示すことができる。また、ＣＳＩ−ＲＳ１又はＣＳＩ−ＲＳ２と、ＣＳＩ−ＲＳ３又はＣＳＩ−ＲＳ４間にはＱＣ仮定が可能でないことが分かる。
【０２１６】
追加的な例示として、ＣＳＩ−ＲＳ設定別に含まれているＣＳＩ−ＲＳシーケンススクランブルシード値をＸとしたとき、Ｘ値が同一か否かによってＱＣ仮定が適用されるか否かを暗黙に示すことができる。例えば、ＣＳＩ−ＲＳ設定別に含まれるＸ値が同一のとき、該当のＣＳＩ−ＲＳ設定間にはＣＳＩ−ＲＳポートのＱＣ仮定が適用されることを示すことができる。一方、ＣＳＩ−ＲＳ設定別に含まれるＸ値が別個の場合には、該当のＣＳＩ−ＲＳ設定間にはＣＳＩ−ＲＳポートのＮＱＣ仮定が適用されることを示すことができる。ここで、Ｘ値は、端末特定に設定されるＣＳＩ−ＲＳ設定に含まれる値であるから、セル特定に与えられる物理セル識別子（ＰＣＩ）とは独立に設定される値であってもよく、仮想セル識別子（ＶＣＩ）と呼ぶことができる。また、Ｘ値は、ＰＣＩと同様に０乃至５０３の範囲のいずれか一つの整数値を有することができるが、ＰＣＩ値と同一でなくてもよい。
【０２１７】
また、特定ＣＳＩ−ＲＳ設定に含まれたＸ値が特定ＣＲＳポートのＰＣＩ値と同じ場合は、当該ＣＳＩ−ＲＳ設定のＣＳＩ−ＲＳポートと上記特定ＣＲＳポートとの間にＱＣ仮定が可能であることを暗黙に示すことができる。一方、特定ＣＳＩ−ＲＳ設定に含まれたＸ値が特定ＣＲＳポートのＰＣＩ値と異なる場合は、当該ＣＳＩ−ＲＳ設定のＣＳＩ−ＲＳポートと上記特定ＣＲＳポートとの間にＮＱＣ仮定が適用されることを暗黙に示すことができる。
【０２１８】
追加的に、ＣＳＩ−ＲＳスクランブルシーケンスシード値であるＸ値は、一つのＣＳＩ−ＲＳ設定内のＣＳＩ−ＲＳポート別に個別に割り当てられてもよい。この場合、あるＣＳＩ−ＲＳポートと他のＲＳポート（例えば、他のＣＳＩ−ＲＳ設定のＣＳＩ−ＲＳポート、同一ＣＳＩ−ＲＳ設定内における他のＣＳＩ−ＲＳポート、及び／又はＣＲＳポート）とのＱＣ／ＮＱＣ仮定が適用されるか否かは、それぞれのＣＳＩ−ＲＳポートに対するＸ値（又は、特定ＣＳＩ−ＲＳポートに対するＸ値及び特定ＣＲＳのＰＣＩ値）が同一か否かによって暗黙に示すことができる。
【０２１９】
ＱＣ関連情報の上位層信号通知方法の追加的な例示として、特定ＣＳＩ−ＲＳ設定によるＤＭＲＳポートとのＱＣ／ＮＱＣ仮定の適用を示す情報が含まれてもよい。
【０２２０】
例えば、ＣＳＩ−ＲＳ設定別に特定ＤＭＲＳポートとのＱＣ／ＮＱＣ仮定の適用をＲＲＣ信号通知で指定することができる。すべてのＤＭＲＳポートとのＱＣ仮定の適用が可能なＣＳＩ−ＲＳ１が設定されたとき、端末は、ＣＳＩ−ＲＳ１を用いた大規模チャネル特性の推定値をＤＭＲＳベースＰＤＳＣＨ受信時にも同様に適用することができる。このようなＣＳＩ−ＲＳ１が設定された端末は、基地局が半静的に（すなわち、上位層によって再設定されない限り）ＣＳＩ−ＲＳ１を送信したＴＰから当該端末にＰＤＳＣＨを送信するという意味であると解釈することもできる。特に、ＣｏＭＰシナリオ４（すなわち、同一のセルＩＤを有する複数のＴＰからＣＲＳが同時送信される状況）では、ＣＲＳを用いたＴＰ特定ＱＣ仮定を適用し難いため、ＣＳＩ−ＲＳポートと、ＱＣ仮定が設定されたＤＭＲＳポートとの情報を端末に知らせ、ＤＭＲＳベースの受信処理の性能を向上させることに活用することができる。
【０２２１】
追加的な例示として、端末にＣＳＩ−ＲＳ１及びＣＳＩ−ＲＳ２が設定された場合、ＣＳＩ−ＲＳ１はＤＬサービス提供セルＣＲＳとのＱＣ仮定が適用され、ＣＳＩ−ＲＳ２はＤＬサービス提供セルＣＲＳとのＮＱＣ仮定が適用される場合を仮定する。この場合、端末は、ＤＭＲＳポートはＣＳＩ−ＲＳ１及びＤＬサービス提供セルＣＲＳ双方とＱＣ仮定が適用されるという半静的な指示を受けたと暗黙に解釈して動作することができる。例えば、ＣＳＩ−ＲＳ１がＤＬサービス提供セルＣＲＳとのＱＣ仮定が可能であると設定されたため、端末は、ＣＳＩ−ＲＳ１に基づくＣＳＩフィードバック時に、ＮＱＣを仮定する場合に比べてより高いＭＣＳレベル、ＣＱＩなどのＣＳＩフィードバック情報を報告することができる。したがって、基地局がＣＳＩ−ＲＳ１とＤＬサービス提供セルＣＲＳとの間にＱＣ仮定が適用されると設定すると、（基地局が他の信号通知をしない限り）端末は、基地局が自身にＤＬ送信をスケジュールする際には、ＣＳＩ−ＲＳ１を送信したＴＰがＤＭＲＳベースＰＤＳＣＨを送信するようにするという一種の約束と解釈することができる。これによって、端末は、ＱＣの仮定されたＣＳＩ−ＲＳ１ベースのＣＳＩフィードバック情報を報告し、実際のＰＤＳＣＨ受信もＱＣ仮定を適用して行うことによって、受信処理の性能向上を期待することができる。
【０２２２】
具体的には、ＣｏＭＰ測定セットにおける複数のＣＳＩ−ＲＳ設定のうち一つでもＤＬサービス提供セルＣＲＳとのＱＣ仮定が可能であると許容された場合、端末は、ＤＭＲＳベースＰＤＳＣＨの復調を行うに当たり、当該ＤＭＲＳポートと、自身のＤＬサービス提供セルＣＲＳポート（及び、当該ＤＬサービス提供セルＣＲＳポートとＱＣ仮定が適用されるＣＳＩ−ＲＳポート）との間のＱＣ仮定が可能であることが半静的に指示されたと暗黙に解釈することができる。これによって、端末には、このようなＤＬサービス提供セルＣＲＳ、ＤＭＲＳ、ＣＳＩ−ＲＳポート間のＱＣ仮定を考慮して受信処理を行うことが許容される。また、当該端末がＣＳＩフィードバックを行う際にも、このようなＱＣ仮定が適用された受信処理を仮定してＣＳＩを生成する。例えば、端末がＤＭＲＳベースＰＤＳＣＨを受信することを仮定し、当該ＤＭＲＳポートとＤＬサービス提供セルＣＲＳポート（及び、当該ＤＬサービス提供セルＣＲＳポートとＱＣ仮定が適用されるＣＳＩ−ＲＳポート）との間にＱＣ関係を有すると仮定し、データ復調時に１０％以下の誤り率を達成できるＭＣＳレベル、ＣＱＩ、ＲＩ、ＰＭＩなどを計算／決定してそれを報告することができる。
【０２２３】
一方、ＣｏＭＰ測定セットにおける複数のＣＳＩ−ＲＳ設定がいずれもＤＬサービス提供セルＣＲＳとのＮＱＣ仮定を適用することが設定された場合には、端末は、ＤＭＲＳベースＰＤＳＣＨの復調を行うに当たり、当該ＤＭＲＳポートと、自身のＤＬサービス提供セルＣＲＳポートとの間にＮＱＣ仮定が適用されることが半静的に指示されたと暗黙に解釈することができる。また、当該端末が受信処理を行うに当たり、当該ＣＳＩ−ＲＳ設定のＣＳＩ−ＲＳポートと他のＲＳポートとの間のＱＣ仮定を適用してはならない。また、当該端末がＣＳＩフィードバックを行う際にも、このようなＮＱＣ仮定が適用された受信処理を仮定してＣＳＩを生成する。例えば、端末がＤＭＲＳベースＰＤＳＣＨを受信することを仮定し、当該ＤＭＲＳポートとＤＬサービス提供セルＣＲＳポートとの間にＮＱＣ関係を有すると仮定し、データ復調時に１０％以下の誤り率を達成できるＭＣＳレベル、ＣＱＩ、ＲＩ、ＰＭＩなどを計算／決定してそれを報告することができる。
【０２２４】
追加的な例示として、ＣＳＩ−ＲＳ設定別にサブフレームインデクス情報が含まれ、当該サブフレームにおいてＤＭＲＳベースＰＤＳＣＨスケジュールを受ける場合、当該ＤＭＲＳポートと、当該ＣＳＩ−ＲＳポート（また、ＤＬサービス提供セルＣＲＳポート）との間のＱＣ／ＮＱＣ仮定の適用をＲＲＣ信号通知によって指定してもよい。例えば、ＣＳＩ−ＲＳ１は、偶数インデクスを有するサブフレームにおいてＤＭＲＳポートとのＱＣ仮定が可能であると信号通知される場合、端末は、偶数インデクスのサブフレームにおいてはＣＳＩ−ＲＳ１のＣＳＩ−ＲＳポート及び／又はＤＬサービス提供セルＣＲＳポートを用いた大規模チャネル特性推定値の一部又は全部を、ＤＭＲＳベースＰＤＳＣＨ受信処理に同様に適用することができる。ＣＳＩフィードバックの場合には、端末が、ＱＣ仮定を考慮したＣＳＩ、ＮＱＣ仮定を考慮したＣＳＩの両方を生成して報告することができる。又は、ＣＱＩだけに対してＱＣである場合を仮定したＣＱＩ、ＮＱＣである場合を仮定したＣＱＩの両方を計算／決定して報告することもできる。
【０２２５】
このような信号通知は、サブフレームビットマップ又はサブフレームインデクスセットの形態で提供することができる。例えば、サブフレームセット１は“ＤＭＲＳポートとＤＬサービス提供セルＣＲＳポートとの間”のＱＣ仮定が可能であり、サブフレームセット２は“ＤＭＲＳポートと特定ＣＳＩ−ＲＳポートとの間”のＱＣ仮定が可能であると設定してもよい。又は、サブフレームセット１は“ＤＭＲＳポートとＤＬサービス提供セルＣＲＳポートとの間”のＱＣ仮定が可能であり、サブフレームセット２は“ＤＭＲＳポートとＤＬサービス提供セルＣＲＳポートとの間”のＮＱＣを仮定しなければならないと設定してもよい。
【０２２６】
ＱＣ関連情報の動的信号通知方法
【０２２７】
以下では、ＱＣ関連情報を動的信号通知を用いて設定する本発明の例示について説明する。例えば、端末がＤＭＲＳベースＰＤＳＣＨ送信に対するＤＬ関連（又は、下りリンク許可）ＤＣＩをＰＤＣＣＨ又はＥＰＤＣＣＨを介して受信できるが、当該ＤＭＲＳポートと他のＲＳ（例えば、当該端末のＤＬサービス提供セルＣＲＳ又はＣＳＩ−ＲＳ）ポートとのＱＣ仮定の適用が可能か否かを示す情報が含まれてもよい。
【０２２８】
ＱＣ関連情報の動的信号通知方法の一例として、１ビットサイズの情報を用いて当該ＤＭＲＳポートと特定ＲＳ（例えば、当該端末のＤＬサービス提供セルＣＲＳ又はＣＳＩ−ＲＳ）ポートとの間のＱＣ仮定の適用が可能か否かだけを動的に信号通知することができる。これによって、ＣｏＭＰ動的ポイント選択（ＤＰＳ）又は動的セル選択方式によるＰＤＳＣＨスケジュールのためのＤＬ関連ＤＣＩを提供する際、基地局は、ＱＣ仮定が可能なＴＰからのＰＤＳＣＨがＤＰＳ方式で送信される場合には、ＱＣ仮定の適用が可能であることを動的に端末に示すことによって、端末の受信処理性能を高めることができる。
【０２２９】
ＱＣ関連情報の動的信号通知方法の追加的な例示として、上位層（例えば、ＲＲＣ層）信号通知によって“ＣＳＩ−ＲＳポートとＤＭＲＳポートとの間のＱＣ対（ｐａｉｒ）情報”又は“ＣＲＳポートとＤＭＲＳポートとの間のＱＣ対情報”を、複数の状態を有する情報として半静的にあらかじめ設定しておき、ＤＣＩを用いてスケジュール許可情報を端末に提供する際に、これら複数の状態のいずれか一つを動的に示す方式を適用することができる。例えば、Ｎ（例えば、Ｎ＝２）個のビット状態のうち一つを動的にトリガし、ここで、それぞれの状態は、ＲＲＣによってあらかじめ設定されたＲＳ間（ｉｎｔｅｒ−ＲＳ）ＱＣ対候補（例えば、ＣＳＩ−ＲＳとＤＭＲＳとの対、又はＣＲＳとＤＭＲＳとの対）のうち一つに該当する。
【０２３０】
例えば、Ｎ＝２の場合、状態‘００’は、ＮＱＣ（すなわち、ＤＭＲＳポートは他のＲＳポートとＱＣ仮定が適用されないこと）を、状態‘０１’は、ＤＬサービス提供セルＣＲＳポートとＱＣ仮定が可能であることを、状態‘１０’は、ＲＲＣ設定された第１セットのＲＳ（例えば、特定ＣＳＩ−ＲＳ又は特定ＣＲＳ）ポートとＱＣ仮定が可能であることを、状態‘１１’は、ＲＲＣ設定された第２セットのＲＳポートとＱＣ仮定が可能であることを示すとあらかじめ設定することができる。例えば、ＲＲＣ設定された第１セットのＲＳ間ＱＣ対は、“ＤＭＲＳポートはＣＳＩ−ＲＳ１及びＣＳＩ−ＲＳ２のＣＳＩ−ＲＳポートとＱＣ仮定が可能であること”を示すことができ、ＲＲＣ設定された第２セットのＲＳ間ＱＣ対は、“ＤＭＲＳポートはＣＲＳポートとＱＣ仮定が可能であること”を示すことができる。
【０２３１】
また、ＱＣ情報及びＣＲＳ速度整合（Ｒａｔｅ  Ｍａｔｃｈｉｎｇ、ＲＭ）パターン情報を合同符号化してもよい。これによって、上記ＤＣＩフォーマットにおけるＮビットフィールドは、“ＰＤＳＣＨ ＲＥマップ及びＱＣＬ指示子フィールド”（略して、ＰＱＩフィールド）と呼ぶことができる。
【０２３２】
例えば、Ｎ（例えば、Ｎ＝２）個のビット状態は、次の表７のように構成することができる。
【表７】
0006294327.tif 000025
【０２３３】
上記の表７において、“ＣＳＩ−ＲＳとのＱＣ仮定”項目は、特定状態（‘００’、‘０１’、‘１０’、‘１１’）を示す情報がＤＭＲＳベースＰＤＳＣＨ送信をスケジュールするＤＬ関連ＤＣＩに含まれるとき、当該ＤＭＲＳポートといずれのＣＳＩ−ＲＳ設定との間にＱＣ仮定の適用が可能かを示す。例えば、ＴＰ当たり一つずつの別個のＣＳＩ−ＲＳが事前にＲＲＣ信号通知で端末に設定された場合を仮定することができる。ここで、特定ＴＰをインデクスｎ（ｎ＝０，１，２，…）のＴＰｎと称し、ＴＰｎに該当する設定されたＣＳＩ−ＲＳ設定をＣＳＩ−ＲＳｎと称することができる。ここで、ＴＰという用語は、セルを意味するものと理解してもよい。また、ＣＳＩ−ＲＳｎは、非零送信電力（ＮＺＰ）ＣＳＩ−ＲＳ設定であってもよい。
【０２３４】
この場合、上記の表７で、状態‘００’は、ＴＰ１で送信するＣＳＩ−ＲＳ１のＣＳＩ−ＲＳポートと当該ＤＭＲＳポート間にＱＣ仮定が可能であることを意味できる。状態‘０１’は、ＴＰ２で送信するＣＳＩ−ＲＳ２のＣＳＩ−ＲＳポートと当該ＤＭＲＳポートとの間に、状態‘１０’は、ＴＰ３で送信するＣＳＩ−ＲＳ３のＣＳＩ−ＲＳポートと当該ＤＭＲＳポートとの間にＱＣ仮定が可能であることを意味できる。すなわち、基地局は、ＤＬ関連ＤＣＩを用いて‘００’、‘０１’又は‘１０’のいずれか一つの状態を示すことによって、ＴＰ１、ＴＰ２又はＴＰ３のいずれか一つのＴＰからのＤＰＳ方式ＰＤＳＣＨ送信を動的に信号通知することができる。
【０２３５】
また、上記の表７の“ＣＳＩ−ＲＳとのＱＣ仮定”項目を特定ＴＰから送信すると知らせるなどの形態で信号通知することもできる。例えば、特定ＴＰを示す識別子（例えば、ＰＣＩ、ＶＣＩ、又はスクランブルシーケンスシード値など）を用いて、ＤＭＲＳとＱＣ仮定が適用されるＣＳＩ−ＲＳを送信するＴＰを端末に知らせることもできる。
【０２３６】
また、“ＣＳＩ−ＲＳとのＱＣ仮定”項目が特定ＣＳＩプロセスを示すように用いることもできる。ここで、ＤＰＳ方式のＰＤＳＣＨ送信では一つのＣＳＩプロセスインデクスだけが指定されてもよく、ＪＰ又は合同送信（ＪＴ）方式のＰＤＳＣＨ送信では複数のＣＳＩプロセスインデクスを指定してもよい。ここで、それぞれのＣＳＩプロセスは、チャネル測定のためのＣＳＩ−ＲＳリソース及びＣＳＩ干渉測定リソース（ＣＳＩ−ＩＭ  ｒｅｓｏｕｒｃｅ）と関係付けてもよい。具体的には、一つのＣＳＩプロセスは、所望の信号測定のための一つのＮＺＰ ＣＳＩ−ＲＳリソースと、干渉測定のための一つの干渉測定リソース（ＩＭＲ）との関係付けと定義される。ＣＳＩプロセスはそれぞれ、独立したＣＳＩフィードバック設定を有する。独立したＣＳＩフィードバック設定は、フィードバックモード（いかなる種類のＣＳＩ（ＲＩ、ＰＭＩ、ＣＱＩなど）をいかなる順序で送信するか）、フィードバック周期及びオフセットなどを意味する。
【０２３７】
このように“ＣＳＩ−ＲＳとのＱＣ仮定”を示すＮ（Ｎ＝２）ビット情報がＤＭＲＳベースＰＤＳＣＨ送信をスケジュールするＤＬ関連ＤＣＩに含まれる場合、特定ＣＳＩプロセスに連携したＮＺＰ ＣＳＩ−ＲＳリソース及びＩＭＲのそれぞれに対してＤＭＲＳとＱＣ仮定が適用可能か否かを知らせることができる。すなわち、ＮＺＰ ＣＳＩ−ＲＳリソース及びＩＭＲの両方、又はＮＺＰ ＣＳＩ−ＲＳだけ、又はＩＭＲだけがＤＭＲＳとのＱＣ仮定の適用が可能か、それとも両方ともＤＭＲＳとＮＱＣであるかに関する情報を個別に提供することができる。
【０２３８】
ここで、ＩＭＲとＤＭＲＳとの間にＱＣ仮定の適用が可能であるということは、ＤＭＲＳベースの復調を行う際、ウィナーフィルタのような最小平均二乗誤差（ＭＭＳＥ）フィルタなどの係数を決定するなどの受信処理において、ＩＭＲから推定されたパラメータ（例えば、干渉又は雑音の分散値）を活用することが許容されることを意味でき、これによって、ＤＭＲＳの復調性能を向上させることができる。
【０２３９】
このようにＣＳＩプロセスに属するＮＺＰ ＣＳＩ−ＲＳ及びＩＭＲそれぞれに対して、ＤＭＲＳとのＱＣ仮定が可能か否かを個別に知らせることによって、より正確なチャネル推定性能を期待することができる。例えば、単一ユーザＭＩＭＯ（ＳＵ−ＭＩＭＯ）送信又は複数ユーザＭＩＭＯ（ＭＵ−ＭＩＭＯ）送信によって、ＩＭＲを用いて推定されたパラメータ（例えば、雑音分散値など）を、ＤＭＲＳを用いたデータ復調時の受信処理に使用（例えば、ＭＭＳＥフィルタなどの係数として使用）するときに誤差が発生し得るからである。すなわち、ＳＵ−ＭＩＭＯ送信の場合には、ＮＺＰ ＣＳＩ−ＲＳリソースもＭＲもＤＭＲＳとのＱＣ仮定の適用が可能であるため、データ復調性能の向上を期待することができる。しかし、ＭＵ−ＭＩＭＯ送信の場合には、ＮＺＰ ＣＳＩ−ＲＳリソースとＤＭＲＳとの間のＱＣ仮定の適用だけが可能であり、ＩＭＲとＤＭＲＳとの間にはＮＱＣ仮定が適用されること（すなわち、ＩＭＲを用いて測定された雑音分散値などをデータ復調時に再利用することが禁止されること）が好ましい。
【０２４０】
したがって、上記の表７のそれぞれの状態に連動する追加の１ビットサイズのフラグビットを定義し、その値が‘０’のとき、ＮＺＰ ＣＳＩ−ＲＳリソースとＤＭＲＳとの間のＱＣ仮定だけを示すものとし、その値が‘１’のとき、ＮＺＰ ＣＳＩ−ＲＳリソース及びＩＭＲ双方とＤＭＲＳとの間のＱＣ仮定を示すと定義することができる。又は、追加のフラグビットの値が‘０’のとき、ＭＵ−ＭＩＭＯ送信であることを示し、‘１’のとき、ＳＵ−ＭＩＭＯ送信であることを示すと定義することもできる。又は、このような追加のフラグビットの値が‘０’のとき、ＣＳＩプロセスインデクスとＤＭＲＳとの間のＱＣ仮定の非活性化（すなわち、ＮＱＣ仮定が適用されること）を示し、その値が‘１’のとき、ＳＩプロセスインデクスとＤＭＲＳとの間のＱＣ仮定の活性化を示すと定義することもできる。
【０２４１】
前述したようなＱＣ情報の動的信号通知のために定義されるＮビット（例えば、Ｎ＝２）の情報及び／又は追加の１ビットサイズのフラグ情報は、既存のＤＣＩフォーマットで定義するフィールドを再利用することもできるし、新しいビットフィールドを更に定義することによって構成することもできる。ここで、追加の１ビットサイズのフラグ情報が、ＳＵ−ＭＩＭＯか、又はＭＵ−ＭＩＭＯかによってＱＣ仮定を切り替える用途に用いられる場合には、動的信号通知に別のビットとして含まれず、上記Ｎビット情報が示す追加的な情報（すなわち、事前にＲＲＣ信号通知によってＮビット情報のそれぞれの状態が意味する情報）として半静的に設定してもよい。
【０２４２】
前述したように、上記の表７の例示において、ＤＰＳ方式のＰＤＳＣＨ送信においていずれのＴＰからの送信であるか（又は、ＤＭＲＳがいずれのＲＳとＱＣであると仮定するか）を示すことができる。これに加えて、上記の表７の状態‘１１’の例示のように、ＴＰ１及びＴＰ２からのＪＴ方式のＰＤＳＣＨ送信を示すこともできる。すなわち、上記の表７の例示のように、“ＣＳＩ−ＲＳとのＱＣ仮定”項目を“ＣＳＩ−ＲＳ１、ＣＳＩ−ＲＳ２”と信号通知したり、ＴＰ１とＴＰ２に該当する識別子（例えば、ＰＣＩ、ＶＣＩ、又はスクランブルシーケンスシード値）と信号通知したり、“ＣＳＩ ｐｒｏｃｅｓｓ１、ＣＳＩ ｐｒｏｃｅｓｓ２”などと信号通知したりできる。ＤＣＩを用いてこのような信号通知情報を取得した端末は、それらＴＰとのＱＣ仮定の適用が可能であるという情報から、当該ＤＭＲＳポートが複数のＴＰからの仮想ＤＭＲＳ形態で送信されることが分かり、それぞれのＴＰからの大規模特性推定値の平均を算出する方式などでそれらのＴＰからの大規模特性推定値を決定し、それを用いて受信性能を向上させることができる。
【０２４３】
追加的な例示として、上記のＮビット情報の特定状態（例えば、表７の状態‘１１‘）の“ＣＳＩ−ＲＳとのＱＣ仮定”項目を“ｎｏｎ−ＱＣ（ＮＱＣ）”に設定したり、利用不可（ｎｏｔ  ａｖａｉｌａｂｌｅ）に設定したり、又は空にしておくことによって、いかなるＴＰともＱＣ仮定を適用してはならない旨の信号通知を与えることもできる。これは、ＪＴを指示するための用途などに用いることができる。例えば、ＪＴの場合には、特定の一つのＴＰとのＱＣ仮定情報だけを提供することが不適切であることもあるため、最初からＮＱＣ状態であると知らせることもできる。また、このように、利用不可又は空にしておく形態の信号通知の場合には、ＮＱＣであることが暗黙に指示され、これによって、いかなるＱＣ仮定も適用しないようにするか、又はあるデフォルト状態を適用することができる。例えば、デフォルト状態は、特定ＤＬサービス提供セルＲＳ（例えば、ＤＬサービス提供セルＣＲＳ、デフォルトＴＰ（例えば、ＤＬサービス提供ＴＰ）に該当するＣＳＩ−ＲＳ、又は特定ＣＳＩプロセスに属したＣＳＩ−ＲＳなど）のＱＣ仮定だけが可能な状態と定義してもよい。
【０２４４】
さらに、上記の表７の例示のように、当該ＰＤＳＣＨ受信時に端末が仮定すべきＣＲＳ速度整合パターンに関する情報を信号通知してもよい。ＣＲＳＲＭパターンに関する情報は、ＣＲＳポート個数、ＣＲＳｖ−ｓｈｉｆｔ（基本的なＣＲＳパターン（図６参照）を基準に周波数軸方向でシフトされる値）、ＲＭパターンが適用されるサブフレームセットなどを含むことができる。ＣＲＳ ＲＭパターンとは、ＣＲＳがマップされるＲＥを除く残りのＲＥにＰＤＳＣＨがマップされることを仮定して、ＰＤＳＣＨシンボルを構成することを意味する。したがって、ＰＤＳＣＨ受信側で正しくＰＤＳＣＨを復調するためには、当該ＰＤＳＣＨがいずれのＣＲＳパターンを考慮して速度整合されて送信されたかを正確に知る必要がある。
【０２４５】
例えば、ＴＰｎが送信するＣＲＳ ＲＭパターン情報をＣＲＳ−ＲＭｎとしたとき、状態‘００’はＴＰ１で送信するＣＲＳ ＲＭパターンに関する情報を意味するＣＲＳ−ＲＭ１、状態‘０１’はＴＰ２で送信するＣＲＳ ＲＭパターンに関する情報を意味するＣＲＳ−ＲＭ２、状態‘１０’はＴＰ３で送信するＣＲＳ ＲＭパターンに関する情報を意味するＣＲＳ−ＲＭ３をそれぞれ信号通知することができる。すなわち、基地局は、状態‘００’、‘０１’又は‘１０’のいずれか一つの状態を示すことによって、ＴＰ１、ＴＰ２又はＴＰ３のいずれかのＴＰからのＤＰＳによるＰＤＳＣＨ送信を動的に信号通知することができる。ここで、“ＣＳＩ−ＲＳとのＱＣ仮定”情報と併せてＣＲＳ ＲＭパターン情報を提供することによって、特に、ＣｏＭＰシナリオ３（すなわち、別個のセルＩＤ（すなわち、ＰＣＩ）を有する複数のＴＰからＣＲＳが同時送信される状況）で、それぞれのＣＲＳ ＲＭパターンをＣＲＳ−ＲＭｎの形態で正しく動的に示すことができる。
【０２４６】
また、上記の表７の“ＲＭパターン情報”項目を特定ＴＰから送信すると知らせるなどの形態で信号通知することもできる。例えば、特定ＴＰを示す識別子（例えば、ＰＣＩ、ＶＣＩ、又はスクランブルシーケンスシード値など）を用いて、ＣＲＳ ＲＭパターンが何であるかを端末に知らせることもできる。
【０２４７】
このように、上記の状態‘００’、‘０１’又は‘１０’でＤＰＳ送信を動的に示すことができる。さらに、上記の表７の状態‘１１’の例示のように、ＴＰ１及びＴＰ２からのＪＴを示すための方法として、“ＲＭパターン情報”項目を“ＣＲＳ−ＲＭ１、ＣＲＳ−ＲＭ２”と信号通知したり、ＴＰ１及びＴＰ２に該当する識別子（例えば、ＰＣＩ、ＶＣＩ、又はスクランブルシーケンスシード値など）と示したりすることもできる。このような信号通知情報をＤＣＩから取得した端末は、例えば、ＣＲＳ−ＲＭ１及びＣＲＳ−ＲＭ２の和集合に該当するＲＥではすべてＰＤＳＣＨが速度整合されると仮定してＰＤＳＣＨ復調を行うことができる。すなわち、ＰＤＳＣＨを受信する端末の立場では、“ＲＭパターン情報”項目でＣＲＳ ＲＭパターン情報が複数示された場合には、示されたＣＲＳ ＲＭパターンのいずれか一つで示されたＲＥ位置はいずれもＰＤＳＣＨがマップされていない（すなわち、ＰＤＳＣＨ送信時に速度整合が行われていない）と仮定してＰＤＳＣＨ復調を行うことができる。
【０２４８】
さらに、上記の表７の例示における“ＣＲＳとのＱＣ仮定フラグ”項目のように、“ＣＳＩ−ＲＳとのＱＣ仮定”項目で示す特定ＣＳＩ−ＲＳｎと、“ＲＭパターン情報”項目で示す特定ＣＲＳポート（すなわち、ＰＣＩ情報によって特定されるＣＲＳポート）との間のＱＣ仮定が適用可能か否かを示すフラグ指示情報が含まれてもよい。すなわち、特定状態値（例えば、‘００’、‘０１’、‘１０’、‘１１’）がトリガされ、その状態値が示す情報でフラグビットが活性化された場合（又は、‘１’値を有する場合）、当該状態値が示すＣＳＩ−ＲＳｎのＣＳＩ−ＲＳポートと、当該状態値が示すＣＲＳ−ＲＭｎのＣＲＳポート（例えば、ＣＲＳ−ＲＭｎが示すＰＣＩｎ又はＶＣＩｎなどから当該ＣＲＳポートが分かる）との間にＱＣ仮定の適用が可能であることを示すと定義できる。一方、特定状態値（例えば、‘００’、‘０１’、‘１０’、‘１１’）がトリガされ、その状態値が示す情報でフラグビットが非活性化された場合（又は、‘０’値を有する場合）、当該状態におけるＣＳＩ−ＲＳｎのＣＳＩ−ＲＳポートと、当該状態におけるＣＲＳ−ＲＭｎが示すＣＲＳポート（例えば、ＣＲＳ−ＲＭｎが示すＰＣＩｎ又はＶＣＩｎなどから当該ＣＲＳポートが分かる）との間にＱＣ仮定を適用してはならないこと（すなわち、ＮＱＣ関係であること）を示すと定義できる。
【０２４９】
上記の表７の例示を参照すると、状態‘００’及び‘０１’の場合には、“ＣＲＳとのＱＣ仮定フラグ”が‘１’に設定され、それぞれＴＰ１又はＴＰ２からのＤＰＳ送信を意味する。具体的には、状態‘００’でフラグビットが‘１’値に設定されたとき、ＣＲＳ−ＲＭ１パターンによってＰＤＳＣＨが速度整合されたと仮定し、ＣＳＩ−ＲＳ１とＤＭＲＳポートとの間のＱＣ仮定の適用が可能であり、ＣＳＩ−ＲＳ１とＰＣＩ１ベースＣＲＳポートとのＱＣ仮定の適用も可能であると解釈される。状態‘０１’でフラグビットが‘１’値に設定されたとき、ＣＲＳ−ＲＭ２パターンによってＰＤＳＣＨが速度整合されたと仮定し、ＣＳＩ−ＲＳ２とＤＭＲＳポートとの間のＱＣ仮定の適用が可能であり、ＣＳＩ−ＲＳ２とＰＣＩ２ベースＣＲＳポートとのＱＣ仮定の適用も可能であると解釈される。
【０２５０】
このように、ＤＭＲＳポートと特定ＣＳＩ−ＲＳポートとの間のＱＣ仮定の適用が可能か否かだけでなく、当該ＣＳＩ−ＲＳポートと特定ＣＲＳポートとのＱＣ仮定の適用が可能か否か（すなわち、上記の表７のフラグビットが示す情報）が端末に信号通知されたとき、端末は、ＤＭＲＳベースＰＤＳＣＨ復調を行う際に、ＱＣ仮定の適用が可能なＣＳＩ−ＲＳポートだけでなく、ＲＳ密度が極めて高い当該ＣＲＳポートから推定された大規模チャネル特性（すなわち、より正確な大規模チャネル特性）を用いることができる点で好ましい。
【０２５１】
一方、上記の表７の例示において、状態‘１０’に該当する“ＣＲＳとのＱＣ仮定フラグ”は‘０’に設定され、これは、ＴＰ３からのＤＰＳ送信を意味し、ここで、ＣＲＳ−ＲＭ３パターンによってＰＤＳＣＨが速度整合されたことを仮定し、ＣＳＩ−ＲＳ３とＤＭＲＳポートとの間のＱＣ仮定の適用は可能であるが、ＣＳＩ−ＲＳ３とＰＣＩ３ベースＣＲＳポートとの間のＱＣ仮定は適用してはならないと解釈される。
【０２５２】
上記の表７の例示において、状態‘１１’に該当する“ＣＲＳとのＱＣ仮定フラグ”は‘１’に設定され、これは、ＴＰ１及びＴＰ２からのＪＴ送信を意味し、ＣＲＳ−ＲＭ１及びＣＲＳ−ＲＭ２パターンをすべて考慮してＰＤＳＣＨが速度整合されたと仮定し、ＣＳＩ−ＲＳ１とＰＣＩ１ベースＣＲＳポートとの間のＱＣ仮定の適用が可能であり、ＣＳＩ−ＲＳ２とＰＣＩ２ベースＣＲＳポートとの間のＱＣ仮定の適用も可能であると解釈される。
【０２５３】
このように特定状態値に該当する“ＣＳＩ−ＲＳとのＱＣ仮定”項目に複数のＣＳＩ−ＲＳｎが存在し、“ＲＭパターン情報”項目に複数のＣＲＳ−ＲＭｎが存在する場合には、所定の順序でＣＳＩ−ＲＳｎとＣＲＳ−ＲＭｎとの間にＱＣ対が構成されると解釈できる。例えば、ＣＳＩ−ＲＳ１とＣＲＳ−ＲＭ１との間にＱＣ仮定が適用され、ＣＳＩ−ＲＳ２とＣＲＳ−ＲＭ２との間にＱＣ仮定が適用されると解釈できる。フラグビットが‘０’に設定された場合は、例えば、ＣＳＩ−ＲＳ１とＣＲＳ−ＲＭ１との間のＱＣ仮定が適用されず、ＣＳＩ−ＲＳ２とＣＲＳ−ＲＭ２との間にＱＣ仮定が適用されない（すなわち、いずれもＮＱＣ関係である）と解釈できる。又は、ＣＳＩ−ＲＳｎそれぞれとＣＲＳ−ＲＭｎそれぞれとの間のＱＣ／ＮＱＣの適用を個別に知らせる形態で“ＣＲＳとのＱＣ仮定フラグ”情報を構成してもよい。
【０２５４】
ＱＣ関連情報の動的信号通知方法の追加的な例示として、Ｎ（例えば、Ｎ＝２）個のビット状態は、次の表８のように構成してもよい。
【表８】
0006294327.tif 000026
【０２５５】
上記の表８の例示において、ＣＲＳ−ＲＭ４（例えば、ＰＣＩ４）は、ＴＰ１及びＴＰ２がＰＣＩ４を共有しているＣｏＭＰシナリオ４に該当する。また、上記の表８の状態‘１１’の場合のように、ＣＲＳ ＲＭパターン情報としてＮｏ−ＣＲＳ（すなわち、ＭＢＳＦＮ）を示すこともできる。ＭＢＳＦＮサブフレームは、図３を参照して制御領域でＣＲＳ及び制御チャネル（例えば、ＰＤＣＣＨ）だけが送信され、データ領域ではＣＲＳ及びＰＤＳＣＨが送信されないサブフレームを意味する。ＪＴの場合、ＭＢＳＦＮサブフレームだけでスケジュールをするために、Ｎｏ−ＣＲＳ（すなわち、ＭＢＳＦＮ）を指定してもよい。この場合、端末は、データ領域でＣＲＳがないと解釈するため、ＰＤＳＣＨに対する速度整合を仮定するにあって、ＣＲＳポートに該当するＲＥ位置でＰＤＳＣＨの速度整合が行われていない（すなわち、当該ＲＥにＰＤＳＣＨがマップされる）と仮定することができる。
【０２５６】
上記の表７及び表８を参照して説明したＮビットサイズのフィールド（例えば、ＰＱＩフィールド）のそれぞれの状態には、ＤＭＲＳスクランブルシード値ｘ（ｎ）（例えば、ｎ＝０、１）が事前に（例えば、ＲＲＣ信号通知によって）暗黙に結合（ｌｉｎｋ）又は関係付け（ｔｉｅ）してもよい。この場合、２＾Ｎ個の状態のうち、特定の一つの状態が動的信号通知によって示されるとき、該状態値に結合されたｘ（ｎ）値のうちいずれの値が用いられるべきかは、別の動的指示パラメータ（例えば、スクランブル識別子値（ｎＳＣＩＤ））によって示されるなどの合同符号化方式も可能である。
【０２５７】
上記の表７の例示で前述したような合同符号化方式を追加する場合、次の表９のような例示を考慮することができる。
【表９】
0006294327.tif 000027
【０２５８】
上記の表９の例示において、ｘ（ｎ）の範囲は、ＰＣＩ範囲と同様に０乃至５０３であってもよい。上記の表９では、それぞれの状態別に割り当てられたｘ（０）及びｘ（１）の例示的な値を示す。例えば、ｎＳＣＩＤ＝１に結合／関係付けされたｘ（１）の値にはいずれも同一値４２０を割り当てることができる。このように複数のＴＰから共通に使用する特定識別子値を割り当てておき、ｎＳＣＩＤ＝１が指示される場合、このような共有の識別子値を使用することによって、ＴＰ間のＤＭＲＳ直交性が確保されるようにすることができる。また、上記の表９の例示のように、ｎＳＣＩＤ＝０に結合／関係付けされたｘ（０）の値はそれぞれの状態別に異なる値を割り当てることができる。これによって、ＴＰ特定ＶＣＩ（又は、スクランブルシード値）を用いてセル分離（ｃｅｌｌ−ｓｐｌｉｔｔｉｎｇ）利得を得るようにすることができる。また、上記の表９の例示において、状態‘１１’に対するｘ（０）値を、他の状態に対するｘ（０）値と異なる値にすることによって、ＪＴのための別のＶＣＩ（又は、スクランブルシード値）を指定することもできる。
【０２５９】
例えば、前述したようなＱＣ情報及びＣＲＳ ＲＭパターンに関する情報を示すＮビットフィールド（例えば、ＰＱＩフィールド）で、２＾Ｎ個の状態のそれぞれに対してｘ（ｎ）値が異なるように結合／関係付けされていてもよい。このとき、ＤＣＩフォーマットにおける他のフィールドによってＤＭＲＳシーケンス生成のために用いられるｎＳＣＩＤ値が動的に示されるが、このｎＳＣＩＤ値によってｘ（ｎ）値が暗黙に決定される。例えば、ｎＳＣＩＤ＝ｎのとき、ｘ（ｎ）（例えば、ｎ＝０又は１）が指示される、と規則を定めておくことができる。このようなｘ（ｎ）に関する合同符号化によって、例えば、端末が上記２＾Ｎ個の状態のうちの特定状態が動的に指示される場合、当該状態に結合されたｘ（０），ｘ（１）、…が決定される。さらに、別のフィールドで指示されるｎＳＣＩＤ値によって、ｘ（０），ｘ（１），…のうち一つを最終的に決定／選択してもよい。
【０２６０】
ＱＣ振舞
【０２６１】
ＣｏＭＰ動作をサポートしない既存のシステム（例えば、３ＧＰＰ ＬＴＥリリース−１０（Ｒｅｌ−１０）以前の標準に基づくシステム）におけるＲＳポート間のＱＣ仮定は、事実上、暗黙に一つの振舞として定義されたといえる。このような一つの振舞を本発明では振舞Ａと称し、振舞Ａは、ＣＲＳ、ＣＳＩ−ＲＳ及びＰＤＳＣＨ ＤＭＲＳが周波数シフト、ドップラ拡散、受信タイミング、遅延拡散のうち一つ以上に対してＱＣされていると仮定することと定義できる。これは、既存のシステムではＣｏＭＰ動作を考慮せず、ＣＲＳ、ＣＳＩ−ＲＳ及びＰＤＳＣＨ ＤＭＲＳポートがすべて一つのセル又はＴＰから送信されることを当然に仮定しなければならなかったためである。
【０２６２】
ＣｏＭＰ動作をサポートするシステムでは、ＱＣ仮定に対して他の振舞（例えば、ＴＰ１のＣＳＩ−ＲＳ１とＴＰ２のＣＳＩ−ＲＳ２がＱＣであると仮定する振舞など）を定義してもよい。したがって、本発明では、複数のＱＣ振舞を適用可能なシステムにおいて、振舞Ａがデフォルト振舞として定義される方法について提案する。すなわち、特定条件を満たす場合、端末は常にデフォルト振舞である振舞Ａに従うと定義できる。
【０２６３】
例えば、特定ＣＳＩプロセスインデクスに対しては、別に信号通知されない限り、端末は常に振舞Ａを適用するように設定することができる。これは、端末に複数のＣＳＩプロセスが設定された場合、当該端末が少なくとも一つのＣＳＩプロセスに対しては既存のシステム（Ｒｅｌ−１０システム）と同じＱＣ仮定に従って動作するようにし、既存のシステムと同じ性能を保証するためである。例えば、ＣＳＩプロセスインデクス０に対しては常に振舞Ａが適用されるようにできる。この場合、ＣＳＩプロセスインデクス０に対して、例えば、ＣｏＭＰシナリオ３の場合においてＤＬサービス提供セル／ＴＰから送信されるＣＲＳとＱＣ仮定を適用できる特定ＣＳＩ−ＲＳリソースが設定されていてもよい。
【０２６４】
また、デフォルト振舞である振舞Ａは、ＣｏＭＰ動作をサポートするシステム（例えば、３ＧＰＰ ＬＴＥ Ｒｅｌ−１１以降の標準に基づくシステム）で定義される新しい送信モード（例えば、ＴＭ１０）を除いて、既存のシステム（例えば、３ＧＰＰ ＬＴＥ Ｒｅｌ−１０以前の標準に基づくシステム）で定義された送信モード（例えば、ＴＭ９）に対して適用されるように定義してもよい。
【０２６５】
ＣｏＭＰ動作をサポートするシステムだけに適用可能なＱＣ振舞は、次のように定義できる。
【０２６６】
新しい送信モード（例えば、ＴＭ１０）に対して適用されるＤＣＩフォーマット（例えば、ＤＣＩフォーマット２Ｄ）を介してＤＬ許可を受信する場合、端末は、新しいＱＣ振舞（以下、振舞Ｂ）を仮定することができる。振舞Ｂは、ＣＲＳ、ＣＳＩ−ＲＳ、及びＰＤＳＣＨ ＤＭＲＳ（及び／又はＥＰＤＣＣＨ ＤＭＲＳ）が遅延拡散、ドップラ拡散、ドップラシフト、平均利得、平均遅延のうち一つ以上に対して、次の例外事項を除いてはＱＣされていないと仮定すると定義できる。上記の例外事項は、ＰＤＳＣＨ ＤＭＲＳ（及び／又はＥＰＤＣＣＨ ＤＭＲＳ）と、物理層信号通知（例えば、ＰＤＣＣＨ ＤＣＩを用いた信号通知）によって指示される特定ＣＳＩ−ＲＳリソースとは、遅延拡散、ドップラ拡散、ドップラシフト、平均遅延のうち一つ以上に対して、ＱＣされていると仮定できるということである。すなわち、振舞Ｂの場合、基本的に、ＣＲＳと他のＲＳ（例えば、ＣＳＩ−ＲＳ、ＤＭＲＳ）との間にはＱＣ仮定をしてはならないと設定され、ＤＣＩフォーマット２Ｄを介してＤＬ許可を受信するとき、上記の表７、表８、表９の例示のように動的信号通知によって指示される特定ＣＳＩ−ＲＳリソースのＣＳＩ−ＲＳポートと、ＤＣＩフォーマット２ＤによってスケジュールされるＰＤＳＣＨのＤＭＲＳポートとの間のＱＣ仮定は適用してもよいと理解することができる。
【０２６７】
又は、特定ＣＲＳと特定ＣＳＩ−ＲＳとの間のＱＣ仮定の適用可能か否かも、上記の表７、表８、表９の例示のように（又は、別のＲＲＣ信号通知によって）信号通知してもよい。
【０２６８】
ＤＣＩフォーマット２Ｄを介してＤＬ許可を受信する場合には、該当のＰＤＳＣＨ ＤＭＲＳポートと特定ＣＳＩ−ＲＳポートとの間にＱＣ仮定が可能でありうる。さらに、ＲＲＣ信号通知を通して特定ＣＳＩ−ＲＳポートと特定ＣＲＳポートとの間のＱＣ仮定の適用可能か否かを設定してもよい。この場合には、ＤＭＲＳポートと、ＣＳＩ−ＲＳポートと、ＣＲＳポートとの間にすべてＱＣ仮定が可能であるという信号通知が与えられてもよい。このような振舞ＢがＤＣＩフォーマット２Ｄに対して与えられてもよく、端末は、振舞Ｂに従うＱＣ仮定に基づいてデータ復調を行うことができる（例えば、他のＲＳから推定された大規模特性をウィナーフィルタ係数を決定するのに反映するなど）。振舞Ｂに従う場合、特定ＣＳＩ−ＲＳと、ＣＲＳと、ＤＭＲＳとの間にすべてＱＣ仮定が可能であると指示されたときにも、振舞Ａとの大きな違いは、特定ＣＳＩ−ＲＳと、ＣＲＳと、ＤＭＲＳとが必ずしもＤＬサービス提供セルからのものである必要がないことである。例えば、ＣＲＳは、ＤＬサービス提供セルではなく、隣接セルのＣＲＳポートであってもよく、ＣＳＩ−ＲＳは、複数のＣＳＩ−ＲＳリソースのうちいずれか一つを指示してもよい。
【０２６９】
ここで、周波数オフセット（又は、ドップラシフト）に対して、端末は振舞Ｂに設定されるとしても、初期（又は、粗い（ｃｏａｒｓｅ））周波数オフセットをサービス提供セルＣＲＳから推定し、ここに特定周波数範囲（例えば、［−Ｎ；＋Ｎ］Ｈｚ）内でだけ当該指示されたＣＳＩ−ＲＳから精密な（ｆｉｎｅ）周波数オフセット推定をするように設定してもよい。例えば、当該ＣＳＩ−ＲＳの送信周期が５ｍｓのとき、その逆数である２００Ｈｚだけの周波数オフセット差をＣＳＩ−ＲＳからあいまい性（ａｍｂｉｇｕｉｔｙ）なく推定できるため、次のような端末動作を定義することができる。
【０２７０】
端末は、（振舞Ｂで）指示されたＣＳＩ−ＲＳを用いて端末によって追跡されたドップラシフト（及び／又はドップラ拡散）がサービス提供セルに対する周波数オフセットの範囲（例えば、［−Ｎ；＋Ｎ］Ｈｚ）内であると予想することができる。例えば、指示されたＣＳＩ−ＲＳの周期が５ｍｓである場合には、Ｎ＝１００Ｈｚである。例えば、指示されたＣＳＩ−ＲＳの周期が１０ｍｓである場合には、Ｎ＝５０Ｈｚである。例えば、指示されたＣＳＩ−ＲＳの周期が２０ｍｓである場合には、Ｎ＝２５Ｈｚである。例えば、指示されたＣＳＩ−ＲＳの周期が４０ｍｓである場合には、Ｎ＝１２．５Ｈｚである。例えば、指示されたＣＳＩ−ＲＳの周期が８０ｍｓである場合には、Ｎ＝６．２５Ｈｚである。要するに、指示されたＣＳＩ−ＲＳがＴ［ｍｓ］の周期を有する場合、Ｎ＝１／（ｋＴ）［Ｈｚ］に設定され、ここで、ｋは、例えば２であってもよい。
【０２７１】
このような本発明の提案は、指示されたＣＳＩ−ＲＳの周期が変化するに応じて、ＵＥが上記の周波数オフセット（又は、ドップラシフト及び／又はドップラ拡散）の推定のために、サービス提供セルＣＲＳを基準に探索しなければならない周波数範囲を可変的に定めるという意味を有する。ここで、指示されたＣＳＩ−ＲＳは、上位層によって複数のＣＳＩ−ＲＳリソースが設定された端末（例えば、ＴＭ１０が設定された端末）の場合には、ＤＣＩ（例えば、ＤＣＩフォーマット２Ｄ）によって指示されるＤＭＲＳとＱＣ仮定が可能な一つのＮＺＰ ＣＳＩ−ＲＳを意味できる。又は、指示されたＣＳＩ−ＲＳは、ＤＣＩフォーマット１Ａの場合、ＲＲＣで設定された特定デフォルトＣＳＩ−ＲＳであってもよい。
【０２７２】
ＣＳＩ−ＲＳ周期が５ｍｓである場合に比べて、周期が１０ｍｓである場合には、端末が探索すべき範囲が半分に減る。すなわち、基地局はＣＳＩ−ＲＳ周期を大きく設定するほど、ＣＳＩ＿ＲＳは、サービス提供セルのＣＲＳとの周波数オフセットがより狭い範囲内で形成されなければならない。これに従って端末が動作できるようにすることによって、端末はより狭い探索範囲内でだけ周波数オフセットを推定してもよい。このような探索範囲を外れる周波数オフセットを有するＣＳＩ−ＲＳ送信によって、端末がチャネル推定を正しく行うことができず、性能劣化が発生することを防止するように、基地局が上記のようなＣＲＳとＣＳＩ−ＲＳとの間の関係を保証しなければならない。
【０２７３】
基地局の立場では、ＣＲＳを送信するＴＰの発振器と、上記指示されたＣＳＩ−ＲＳを送信するＴＰの発振器との間の周波数オフセット（又は、ドップラシフト）が、指示されたＣＳＩ−ＲＳの周期Ｔ［ｍｓ］に従うＮ＝１／（ｋＴ）値（例えば、ｋ＝２）による［−Ｎ；＋Ｎ］Ｈｚ範囲を満たさないと、当該ＣＳＩ−ＲＳの周期をＴ［ｍｓ］に設定できないことを意味できる。この場合、基地局は、Ｔ［ｍｓ］よりも小さい値の周期を有するＣＳＩ−ＲＳを設定して送信しなければならない。
【０２７４】
又は、端末動作を統一するために、基地局は常にＴ１ｍｓ（例えば、Ｔ１＝５）の周期を有するＣＳＩ−ＲＳだけを、振舞Ｂの場合に適用するＣＳＩ−ＲＳに設定するように制限することができる。この場合、端末は、指示されるＣＳＩ−ＲＳの周期に関係なく、（振舞Ｂで）指示されたＣＳＩ−ＲＳを用いて、端末によって追跡されたドップラシフト（及び／又はドップラ拡散）がサービス提供セルに対する周波数オフセットの範囲（［−Ｎ；＋Ｎ］Ｈｚ、例えば、Ｎ＝１００）内であると予想できる。
【０２７５】
又は、基地局は、Ｔ１ｍｓの周期以外の他の周期を有するＣＳＩ−ＲＳを設定できるが、端末が探索すべき周波数範囲は最小の範囲と定めることもできる。例えば、基地局は、Ｔ＝５、１０、２０、４０、８０ｍｓの周期を有するＣＳＩ−ＲＳを様々に設定できるが、Ｎ値は少なくとも最も狭い範囲（すなわち、Ｔ＝８０ｍｓ時のＮ＝６．２５Ｈｚ値）を常に保証するようにすることもできる。この場合、端末は、指示されるＣＳＩ−ＲＳの周期に関係なく、（振舞Ｂで）指示されたＣＳＩ−ＲＳを用いて端末によって追跡されたドップラシフト（及び／又はドップラ拡散）がサービス提供セルに対する周波数オフセットの範囲（［−Ｎ；＋Ｎ］Ｈｚ、例えば、Ｎ＝６．２５）内であると予想できる。基地局がＴ＝５、１０ｍｓの周期を有するＣＳＩ−ＲＳを様々に設定できるときは、最小限の探索周波数範囲を保証するためのＮ＝５０Ｈｚに設定できる。すなわち、いかなる周期を有するＣＳＩ−ＲＳが指示されたかにかかわらず、端末は特定［−Ｎ；＋Ｎ］Ｈｚ範囲内でだけ探索を行えばよいといえる。これによって、基地局は、端末の上記動作を保証できる周期を有するＣＳＩ−ＲＳだけを、端末が振舞Ｂに活用するように設定することができる。
【０２７６】
一方、新しい送信モード（例えば、ＴＭ１０）を適用可能なシステムでも、システム性能が低い場合、又は他の問題がある場合などに備えて安定的に動作できるように、デフォルト送信モードで動作することがサポートされなければならず、これをフォールバック動作モードと称することができる。例えば、フォールバックＤＣＩフォーマット（例えば、ＤＣＩフォーマット１Ａ）を介してＭＢＳＦＮサブフレームにおいてＤＬ許可を受信する場合には、端末は振舞Ａ’（すなわち、上記振舞Ａの変形振舞）に従うことができる。振舞Ａ’は、ＣＲＳ、ＣＳＩ−ＲＳ、及びＰＤＳＣＨ ＤＭＲＳ（及び／又はＥＰＤＣＣＨ ＤＭＲＳ）が遅延拡散、ドップラ拡散、ドップラシフト、平均利得、平均遅延のうち一つ以上に対して、次の例外事項を除いてはＱＣされていないと仮定することと定義できる。上記例外事項は、ＣＲＳ（例えば、ＤＬサービス提供セルのＣＲＳ、又はＲＲＣ信号通知によって指示される特定ＣＲＳ）とＰＤＳＣＨ ＤＭＲＳとが遅延拡散、ドップラ拡散、ドップラシフト、平均遅延のうち一つ以上に対してＱＣされていると仮定することと定義できる。すなわち、振舞Ａ’の場合、基本的に、ＣＳＩ−ＲＳと他のＲＳ（例えば、ＣＲＳ、ＤＭＲＳ）との間にはＱＣ仮定をしてはならないと設定でき、ＤＣＩフォーマット１Ａを介してＭＢＳＦＮサブフレームにおいてＤＬ許可を受信するとき、常に特定ＣＲＳポートとＤＣＩフォーマット１ＡによってスケジュールされるＰＤＳＣＨのＤＭＲＳポート（例えば、ＤＭＲＳポート７）との間には常にＱＣ仮定を適用してもよいと理解してもよい。
【０２７７】
追加的な例示として、振舞Ａ’が、特定ＣＳＩ−ＲＳリソースインデクスｎ（例えば、ｎ＝０）と、ＣＲＳと、ＤＭＲＳとの間にＱＣ仮定が追加的に可能であることと定義してもよい。この場合、当該ＣＳＩ−ＲＳリソースのスクランブルシード値Ｘは常にＰＣＩになるように制限してもよい。又は、端末動作の観点では、端末がＣＳＩ−ＲＳリソースインデクスｎがＰＣＩと同一でないと予想することが許容されないと表現してもよい。又は、上記の提案事項においてＣＳＩ−ＲＳリソースに代えて、ＣＳＩプロセス（又は、当該ＣＳＩプロセスに連携された特定ＣＳＩ−ＲＳリソース）が用いられてもよい。すなわち、振舞Ａ’は、特定ＣＳＩプロセスｉ（例えば、ｉ＝０）、ＣＲＳ及びＤＭＲＳ間にＱＣ仮定がさらに可能であるものと表現してもよい。端末はこのような仮定によってデータ復調を行う際、他のＲＳを用いて推定された大規模チャネル特性を受信プロセスに適用（例えば、ウィナーフィルタ係数決定などに反映）することができる。
【０２７８】
このように振舞Ａ’が振舞Ａ又はＢとは異なる別の振舞と定義されることによって、端末のデータ復調性能をより向上させることができる。具体的には、ＤＣＩフォーマット１ＡはフォールバックＤＣＩフォーマットに該当し、これは、様々なＲＲＣ再設定が適用されている区間においてあいまい性が発生しうる状況などにおいて、明確、かつ強じんな送信を可能にするために用いることができる。このようなＤＣＩフォーマット１ＡがＭＢＳＦＮサブフレームにおいて受信された場合、既存システム（例えば、Ｒｅｌ−１０システム）ではＤＭＲＳポート７で復調を行うように定義されている。このとき、ＤＭＲＳスクランブルシード値としてＰＣＩを用いるようにすることができる。この場合、当該ＰＣＩを用いて生成されるＣＲＳを同報するＤＬサービス提供セルＣＲＳポートとＤＭＲＳとの間のＱＣ仮定を適用してもよい。したがって、ＣＲＳを用いて測定されるときよりも正確な大規模チャネル特性をデータ復調時にも用いることができ、データ復調性能を向上させることができる。
【０２７９】
したがって、振舞Ａ’は、基本的に、ＣＲＳポートとＤＭＲＳポートとの間のＱＣ仮定が可能となるようにすることができ、これに加えて、特定ＣＳＩ−ＲＳリソースインデクス（例えば、ＣＳＩ−ＲＳリソースインデクス０）又は特定ＣＳＩプロセスインデクス（例えば、ＣＳＩプロセスインデクス０）に属したＣＳＩ−ＲＳポートとＤＭＲＳポートとの間のＱＣ仮定が可能であるという情報を提供することができる。例えば、複数のＴＰが同一のセル識別子を用いるＣｏＭＰシナリオ４の場合、ＣＲＳが同時送信されるＴＰからＣＳＩ−ＲＳも同時に送信される（すなわち、ＰＣＩによって生成された仮想ＣＳＩ−ＲＳが複数のＴＰから同時に送信される）形態で動作できる。
【０２８０】
すなわち、振舞Ａ’は、基本的に、振舞Ａに比べて、ＣＲＳとＤＭＲＳとの間には常にＱＣ仮定が可能であるという点では同一であるが、ＤＭＲＳとＱＣ仮定を適用が可能なＣＳＩ−ＲＳを指示する方式において異なると理解してもよい。すなわち、振舞Ａによれば、当該ＤＭＲＳとＱＣ仮定が可能なＣＳＩ−ＲＳをＤＣＩで動的に指示できるが、振舞Ａ’によれば、当該ＤＭＲＳとＱＣ仮定が可能なＣＳＩ−ＲＳを半静的にＲＲＣ信号通知によって指示するか、又は固定的に特定ＣＳＩ−ＲＳリソースインデクス（例えば、ＣＳＩ−ＲＳリソースインデクス０）を設定することができる。
【０２８１】
振舞Ａ’に関する追加的な例示として、振舞Ａ’は、ＣＲＳとＤＭＲＳとの間のＱＣ仮定は不可能であり、特定ＣＳＩ−ＲＳリソースインデクス（例えば、ＣＳＩ−ＲＳリソースインデクス０）とＤＭＲＳとの間のＱＣ仮定は可能であることと定義してもよい。このように定義される振舞Ａ’は振舞Ｂと略同様であるが、振舞Ｂによれば、当該ＤＭＲＳとＱＣ可能なＣＳＩ−ＲＳリソースをＤＣＩで動的に指示できるのに対し、振舞Ａ’によれば、当該ＤＭＲＳとＱＣ仮定が可能なＣＳＩ−ＲＳを半静的にＲＲＣ信号通知によって指示するか、又は固定的に特定ＣＳＩ−ＲＳリソースインデクス（例えば、ＣＳＩ−ＲＳリソースインデクス０）を設定することができる。
【０２８２】
前述したような振舞Ａ’に関する本発明の様々な例示において、特定ＣＳＩ−ＲＳリソースインデクス（例えば、ＣＳＩ−ＲＳリソースインデクス０）が固定又は半静的に設定される代わりに、振舞Ｂと同様に動的に指示してもよい。例えば、ＭＢＳＦＮサブフレーム（又は、ＭＢＳＦＮサブフレームの端末特定探索空間）で検出されるＤＣＩフォーマット１Ａの特定フィールドを用いて、当該ＤＭＲＳポートとのＱＣ仮定の適用が可能なＣＳＩ−ＲＳリソース（又は、ＣＳＩプロセス）に属したＣＳＩ−ＲＳポートを指示することができる。このような場合、ＭＢＳＦＮサブフレームにおいてＤＣＩフォーマット１Ａを介してＤＬ許可を受けるときも、ＤＣＩフォーマット２Ｄを介してＤＬ許可を受けるときも、振舞Ｂが適用されるようにすることもできる。又は、ＭＢＳＦＮサブフレームにおいてＤＣＩフォーマット１Ａを介してＤＬ許可を受けるとき、又はＴＭ９以下のＴＭのときはいずれも振舞Ａが適用されるようにし（この場合、ＣＳＩ−ＲＳリソースは半静的にＲＲＣ信号通知されるか、又は特定ＣＳＩ−ＲＳリソースインデクスを固定的に適用してもよい）、ＤＣＩフォーマット２ＤでＤＬ許可を受けるときだけ、振舞Ｂが適用されるようにしてもよい。
【０２８３】
一方、振舞Ａの定義においてＣＳＩ−ＲＳを除外してもよい。すなわち、振舞Ａは、ＣＲＳ及びＰＤＳＣＨ ＤＭＲＳは、周波数シフト、ドップラ拡散、受信タイミング、遅延拡散のうち一つ以上に対してＱＣされていると仮定することと定義できる。ＣＳＩ−ＲＳに対するＱＣ仮定が除外されたことは、ＣｏＭＰシナリオ４のように、ＣＲＳは複数のＴＰから同時にＳＦＮ形態で送信されるが、ＣＳＩ−ＲＳは当該ＴＰにおいて同時にＳＦＮ形態で送信しないように動作することをサポートするためである。すなわち、振舞Ａにおいて、ＣＲＳとＤＭＲＳとの間のＱＣ仮定だけでもデータ復調に役立てる大規模特性推定値を十分に反映でき、ＣＲＳに比べて相対的に密度の低いＣＳＩ−ＲＳを用いて測定されたチャネル特性が、ＤＭＲＳベースのデータ復調の性能を大きく向上させることはないと見なされるため、ＣＳＩ−ＲＳとＤＭＲＳとの間のＱＣ仮定は除外してもよい。
【０２８４】
また、このようにＣＳＩ−ＲＳを排除した振舞Ａは、端末にいかなるＣＳＩ−ＲＳリソースも設定されない場合（例えば、ＴＤＤシステム、相互的（ｒｅｃｉｐｒｏｃｉｔｙ）システムなど）に適用してもよい。一方、端末にＣＳＩ−ＲＳリソースが設定される場合は、最初に説明した振舞ＡによってＣＲＳと、ＣＳＩ−ＲＳと、ＤＭＲＳとの間のすべてのＱＣ仮定を適用してもよい。このような振舞Ａは特定ＴＭ（例えば、ＴＭ１乃至ＴＭ９、又はＴＭ１乃至ＴＭ８）だけに対して適用されるように限定することもできる。
【０２８５】
ＣＳＩ−ＲＳリソースの設定された否かに依存する振舞Ａは、次のとおり表現できる。すなわち、振舞Ａは、ＣＲＳ、ＣＳＩ−ＲＳ（設定された場合）及びＰＤＳＣＨ ＤＭＲＳは、周波数シフト、ドップラ拡散、受信タイミング、遅延拡散のうち一つ以上に対してＱＣされていると仮定することと定義できる。すなわち、ＣＳＩ−ＲＳに対しては設定された場合という条件を与えることによって、前述したＣＳＩ−ＲＳリソースが設定されたか否かによる振舞Ａを簡単に表現することができる。
【０２８６】
さらに、前述した振舞Ａ’として説明した事項を振舞Ａと統合すると、次のように定義できる。すなわち、振舞Ａは、ＣＲＳ、ＣＳＩ−ＲＳ（一つのＣＳＩ−ＲＳリソースだけが設定された場合）及びＰＤＳＣＨ ＤＭＲＳは、周波数シフト、ドップラ拡散、受信タイミング、遅延拡散のうち一つ以上に対してＱＣされていると仮定することと定義できる。いい換えると、振舞Ａは、ＣＲＳ、ＣＳＩ−ＲＳ（ＣＳＩ−ＲＳが設定された場合、かつ、設定されたＣＳＩ−ＲＳリソースの個数が１のとき）及びＰＤＳＣＨ ＤＭＲＳは、周波数シフト、ドップラ拡散、受信タイミング、遅延拡散のうち一つ以上に対してＱＣされていると仮定することと定義できる。いい換えると、振舞Ａは、ＣＲＳ、ＣＳＩ−ＲＳ（ＣＳＩ−ＲＳが設定された場合、かつ、設定されたＣＳＩ−ＲＳリソースの個数が１のとき（又は、ＣＳＩプロセスの最大個数に対するＵＥ能力Ｐが｛１｝のとき））及びＰＤＳＣＨ ＤＭＲＳは、周波数シフト、ドップラ拡散、受信タイミング、遅延拡散のうち一つ以上に対してＱＣされていると仮定することと定義できる。
【０２８７】
このようにＣＳＩ−ＲＳに対しては、一つのＣＳＩ−ＲＳリソースが設定された場合と同じ意味を有する条件を与えることによって、前述したＣＳＩ−ＲＳリソースが設定されたか否かに依存する振舞Ａを簡単に表現することができる。これによって、端末が一つのＣＳＩ−ＲＳリソースを設定された場合に限って、ＣＲＳと、ＣＳＩ−ＲＳと、ＤＭＲＳとの間のＱＣ仮定を適用することができる。端末がいかなるＣＳＩ−ＲＳリソースも設定されなかった場合（例えば、ＴＤＤシステム）、又は２個以上のＣＳＩ−ＲＳリソースを設定された場合（例えば、ＴＭ１０）には、ＣＲＳとＤＭＲＳとの間のＱＣ仮定だけを適用でき、ＣＳＩ−ＲＳとのＱＣ仮定は適用しない。
【０２８８】
このように、ＣＳＩ−ＲＳに対するＱＣ仮定を除外する場合を包括する方式として振舞Ａを定義したとき、このように定義された振舞ＡをＴＭ１０でＭＢＳＦＮサブフレーム上でＤＣＩフォーマット１Ａを通してＤＬ許可を受信する場合にも同様に振舞Ａが適用されると整理できる。一方、ＴＭ１０だけでＤＣＩフォーマット２Ｄを介してＤＬ許可を受信する場合にだけ振舞Ｂが適用されると整理ことができる。
【０２８９】
前述した提案事項のうち、ＭＢＳＦＮサブフレームにおいてＤＣＩフォーマット１Ａを介してＤＬ許可を受信する場合における端末のＱＣ振舞は、非ＭＢＳＦＮサブフレームにおいてＤＣＩフォーマット１Ａを介してＤＬ許可を受信する場合（又は、非ＭＢＳＦＮサブフレームにおいて端末特定探索空間上でＤＣＩフォーマット１Ａを介してＤＬ許可を受信する場合に限って）にも同様に適用することができる。これは、既存のシステム（例えば、Ｒｅｌ−１０以前のシステム）では非ＭＢＳＦＮサブフレームにおいてＤＣＩフォーマット１Ａを介してＤＬ許可が受信される場合、ＣＲＳベースのデータ復調を行うように定義されているが、新しいシステム（例えば、Ｒｅｌ−１１以降のシステム）では、新しいＴＭ（例えば、ＴＭ１０）における非ＭＢＳＦＮサブフレームにおいてＤＣＩフォーマット１Ａを介して（又は、非ＭＢＳＦＮサブフレームにおいて端末特定探索空間上でＤＣＩフォーマット１Ａを介して）ＤＬ許可を受信する場合は、ＭＢＳＦＮサブフレームにおける動作と同様に、ＤＭＲＳベースのデータ復調が定義されうることを考慮したためである。このように、非ＭＢＳＦＮサブフレームにおいてＤＣＩフォーマット１Ａを介してＤＬ許可が受信される場合にも、ＤＭＲＳ（例えば、ＤＭＲＳポート７）ベースのデータ復調が定義される場合には、前述した本発明の例示においてＭＢＳＦＮサブフレームにおいて、ＤＣＩフォーマット１Ａを介してＤＬ許可を受信する場合に関する説明を同様に適用することができる。
【０２９０】
ＰＤＳＣＨシンボルの位置決定
【０２９１】
前述した本発明の様々な例示ではＤＣＩフォーマット内のＮビットフィールド（例えば、ＰＱＩフィールド）を用いて、ＱＣ仮定の適用が可能か否かに関する情報とＰＤＳＣＨ ＲＥマップ関連情報とを動的に示すことについて説明した。これに加えて、本発明では、ＤＣＩフォーマット内のＮビットフィールドを用いて、ＰＤＳＣＨ開始シンボル（又はデータ開始シンボル）（すなわち、ＰＤＳＣＨのマップが始まるＯＦＤＭシンボル）に関する情報を更に示す方法について提案する。
【０２９２】
すなわち、上位層によって２＾Ｎ個のパラメータセットが端末に設定され、ＤＣＩフォーマット内のＮビットフィールド（例えば、ＰＱＩフィールド）において、２＾Ｎ個のパラメータセットのいずれか一つが動的に信号通知されるが、一つのパラメータセットのパラメータにはＰＤＳＣＨ開始シンボル情報が含まれてもよい。
【０２９３】
一つのサブフレームのＯＦＤＭシンボルインデクスが０，１，２，…と与えられることを仮定する。すなわち、正規ＣＰサブフレームの場合、第一のスロット（又は、スロットインデクスが０から始まる場合、偶数インデクスのスロット）のＯＦＤＭシンボルインデクスは、０、１、２、３、４、５、６であり、第二のスロット（又は、スロットインデクスが０から始まる場合、奇数インデクスのスロット）のＯＦＤＭシンボルインデクスは、７、８、９、１０、１１、１２、１３である。拡張ＣＰの場合、第一のスロット（又は、偶数インデクスのスロット）のＯＦＤＭシンボルインデクスは０、１、２、３、４、５であり、第二のスロット（又は、奇数インデクスのスロット）のＯＦＤＭシンボルインデクスは６、７、８、９、１０、１１である。一般には、ＯＦＤＭシンボルインデクス０、１、又は２までＰＤＣＣＨをマップできる。端末は、ＰＤＣＣＨシンボルがどこまで存在するかをＰＣＦＩＣＨから分かる。ＰＤＳＣＨ開始シンボルインデクスに関する別の信号通知がないときは、基本的には、ＰＣＦＩＣＨによって決定される最後のＰＤＣＣＨシンボルインデクスの直後のシンボルインデクスがＰＤＳＣＨ開始シンボルインデクスと決定される。
【０２９４】
本発明では、ＰＤＳＣＨ開始シンボル位置がＰＣＦＩＣＨ（すなわち、ＣＦＩ値）から決定されることとは別に、ＰＤＳＣＨ開始シンボル情報を信号通知する方法について提案する。例えば、ＰＤＳＣＨ開始シンボル情報は、上記のＱＣ仮定関連情報を指示するＤＣＩフォーマット内のＮビットフィールド（例えば、ＰＱＩフィールド）が指示する２＾Ｎ個の状態別にそれぞれ提供してもよい。又は、２＾Ｎ個の状態のうち複数の状態に対して共通に適用されるＰＤＳＣＨ開始シンボル情報をＲＲＣ信号通知で設定してもよい。
【０２９５】
本発明では、サブフレームパターン（又は、サブフレームセット）別にＰＤＳＣＨ開始シンボルインデクス情報を端末に知らせる方式を提案する。サブフレームセットは少なくても２セットが存在でき、このようなサブフレームセットに対する設定は、端末にあらかじめ知らせることができる。例えば、ＭＢＳＦＮサブフレームで構成された一つのセットと、非ＭＢＳＦＮサブフレームで構成された他のセットを設定することができる。この場合、ＭＢＳＦＮサブフレームに対して適用されるＰＤＳＣＨ開始シンボルインデクスと、非ＭＢＳＦＮサブフレームに対して適用されるＰＤＳＣＨ開始シンボルインデクスとをそれぞれ信号通知できる。
【０２９６】
追加的な例示として、ＤＣＩフォーマット内のＮビットフィールド（例えば、ＰＱＩフィールド）によって指示される２＾Ｎ個の状態のそれぞれに対して（又は、別のＲＲＣ信号通知によってすべての状態に対して共通に適用される情報として）一つのＰＤＳＣＨ開始シンボルインデクス値（例えば、インデクスｋ）を提供することができる。また、基本的には、信号通知されるｋ値によってＰＤＳＣＨ開始シンボルを決定するが、特定サブフレームセット（例えば、ＭＢＳＦＮサブフレーム）ではｋ＞ＫThresholdである場合には、ｋ＝KThresholdとして適用できる。すなわち、特定サブフレームにおいては、信号通知されるｋ値を解釈するに当たり、上限（ＫThreshold）が存在すると仮定することができる。いい換えると、ｋ＝ｍｉｎ（ＫThreshold，Ｋ）であり、ここで、Ｋは、一般的なサブフレームにおいて適用されるＰＤＳＣＨ開始シンボルインデクス値であり、ｋは、特定サブフレームにおいて端末が決定するＰＤＳＣＨ開始シンボルインデクス値である。
【０２９７】
特定サブフレームセットは、ＭＢＳＦＮサブフレームであってもよいし、非ＭＢＳＦＮサブフレームであってもよい。また、特定サブフレームセットは、一つのサブフレームセットであってもよいし、複数のサブフレームセットであってもよい。
【０２９８】
例えば、ＫThreshold＝３の場合、ＤＣＩフォーマットのＮビットフィールド（例えば、ＰＱＩフィールド）の特定状態がｋ＝４を示す場合を仮定する。端末は、非ＭＢＳＦＮサブフレームにおいては、信号通知されたとおり、ＰＤＳＣＨ開始シンボルインデクスが４であると見なしてＰＤＳＣＨ復調を行う。一方、端末は、ＭＢＳＦＮサブフレームにおいてはｋ＝ＫThreshold＝３であると解釈し、これによってＰＤＳＣＨ開始シンボルインデクスが３であると仮定してＰＤＳＣＨ復調を行う。ここで、ＫThreshold＝３は単なる例示であり、これに制限されない。ＫThreshold＝０、１、２、３、４であってもよい。
【０２９９】
上記の提案事項を整理して表現すると、端末は、一般的なサブフレーム（例えば、非ＭＢＳＦＮサブフレーム）ではＲＲＣ信号通知されたＰＤＳＣＨ開始シンボルの候補の値、非交差搬送波スケジュールの場合にはサービス提供セルのＰＣＦＩＣＨから決定される値、又は交差搬送波スケジュールの場合には上位層によって設定された値のうち一つ（これをＫと表現する）を、ＰＤＳＣＨ開始シンボルインデクス値と決定することができる。ここで、ＲＲＣ信号通知されたＰＤＳＣＨ開始シンボルの候補の値は、０又は留保された値、１、２、３、４であってもよい（４は、システム帯域幅が１０個のＰＲＢ以下である場合にだけ適用される）。一方、特定サブフレーム（例えば、ＭＢＳＦＮサブフレーム）では特定サブフレーム（例えば、ＭＢＳＦＮサブフレーム）におけるＰＤＳＣＨ開始シンボルインデクスｋを、ｋ＝ｍｉｎ（ＫThreshold，Ｋ）（例えば、ＫThreshold＝２）と決定する。
【０３００】
追加的な例示として、このように決定されたＰＤＳＣＨ開始シンボルが他の制御チャネル領域（例えば、ＤＬサービス提供セル制御チャネル領域）と重なる場合には、当該制御チャネル領域の次のＯＦＤＭシンボルがＰＤＳＣＨ開始シンボルであると決定されるようにしてもよい。
【０３０１】
例えば、非ＭＢＳＦＮサブフレームにおいてＰＤＳＣＨ開始シンボル（すなわち、ｋ）は、Ｋ値と、非交差スケジュールの場合にはサービス提供セルのＰＣＦＩＣＨから決定される値又は交差搬送波スケジュールの場合には上位層によって設定された値（すなわち、Ｐ）のうち最大値と決定できる（すなわち、ｋ＝ｍａｘ｛Ｋ、Ｐ｝）。ここで、Ｋ値は、０又は留保された値、１、２、３、４、（４は、システム帯域幅が１０個のＰＲＢ以下である場合にだけ適用される）、非交差搬送波スケジュールの場合にはサービス提供セルのＰＣＦＩＣＨから決定される値、又は交差搬送波スケジュールの場合には上位層によって設定された値のうち一つであってもよい。一方、ＤＣＩによって指示されるＭＢＳＦＮサブフレームにおいてＰＤＳＣＨ開始シンボル（すなわち、ｋ）は、ＫThreshold値及びＫ値のうち最小値と、Ｐ値のうち最大値とに決定することができる（すなわち、ｍａｘ｛ｍｉｎ（ＫThreshold，Ｋ），Ｐ｝）。
【０３０２】
追加的な例示として、サービス提供セルのＰＣＦＩＣＨからＰＤＳＣＨ開始シンボルを決定することにかかわらずにＫ値を定めるように修正することもできる。
【０３０３】
例えば、非ＭＢＳＦＮサブフレームにおいてＰＤＳＣＨ開始シンボル（すなわち、ｋ）は、Ｋ値と、Ｐ値のうち最大値と決定できる（すなわち、ｋ＝ｍａｘ｛Ｋ，Ｐ｝）。ここで、Ｋ値は、０又は留保された値、１、２、３、又は４（４は、システム帯域幅が１０個のＰＲＢ以下である場合にだけ適用される）のうち一つであってもよい。一方、ＤＣＩによって指示されるＭＢＳＦＮサブフレームにおいてＰＤＳＣＨ開始シンボル（すなわち、ｋ）は、ＫThreshold値及びＫ値のうち最小値と、Ｐ値のうち最大値とに決定してもよい（すなわち、ｍａｘ｛ｍｉｎ（ＫThreshold，Ｋ），Ｐ｝）。
【０３０４】
前述したようにＰＤＳＣＨ開始シンボルを決定する方法は、ＴＤＤシステムにおける特別サブフレーム（ｓｐｅｃｉａｌ  ｓｕｂｆｒａｍｅ）の設定のうち、ＤｗＰＴＳシンボル個数が特定値以下である場合には適用されないように制限することもできる。ＴＤＤ特別サブフレーム設定は、例えば、８種類が定義でき、そのうち、ＤｗＰＴＳシンボルの個数が３個以下である設定は、０番及び５番設定でありうる（詳細な事項はＴＳ ３６．２１１文書を参照）。すなわち、特定シンボル個数を超えるＴＤＤ特別サブフレーム設定に限って、ＰＤＳＣＨ開始シンボル情報に対してＲＲＣ信号通知によって定められる値と、ＤＣＩ信号通知によって定められる値との間の優先順位に関する規則が適用すれるようにすることができる。
【０３０５】
追加的な例示として、ＴＤＤシステムについては、ＤＣＩ信号通知のための２＾Ｎ状態別に、いずれのＴＤＤ特別サブフレーム設定に従うようにスケジュールするかを知らせることもできる。
【０３０６】
例えば、２＾Ｎ個の状態別に独立したＴＤＤ特別サブフレーム設定をＲＲＣ信号通知によって設定してもよい。ＤＣＩ信号通知を用いて、２＾Ｎ状態のうちいずれの状態が現在スケジュールされるＰＤＳＣＨ送信に対して適用されなければならないかを動的に示すことができる。特定状態が指示され、この状態がいずれの特別サブフレーム設定（例えば、特別サブフレーム設定６）を指示しているとき、端末はＤＬサービス提供セルの特別サブフレーム設定を無視（ｏｖｅｒｒｉｄｅ）し、上記ＤＣＩ信号通知される特別サブフレーム設定によってＤｗＰＴＳ領域のＯＦＤＭシンボル長だけのＰＤＳＣＨが送信されると解釈し、これに基づいてＰＤＳＣＨ復調を行うことができる。
【０３０７】
ＤＣＩによって指示される特別サブフレーム設定が複数であるとき、ＪＴ送信を行ってもよい。このような場合には常に特別サブフレーム設定間の積集合に該当するＤｗＰＴＳシンボル（すなわち、特別サブフレーム設定でＤｗＰＴＳが共通に存在するＯＦＤＭシンボル）にＰＤＳＣＨ送信が存在すると解釈したり、和集合に該当するＤｗＰＴＳシンボル（すなわち、特別サブフレーム設定のうちＤｗＰＴＳ領域が最も大きいものによるＯＦＤＭシンボル）にＰＤＳＣＨ送信が存在すると解釈したりできる。
【０３０８】
さらに、ＰＤＳＣＨ最後のＯＦＤＭシンボル（ＰＤＳＣＨ末尾（ｅｎｄｉｎｇ）シンボル、データ最終シンボル又はデータ末尾シンボル）情報を明示的に知らせることもできる。ここで、ＤＣＩ信号通知の２＾Ｎ状態別に特別サブフレーム設定と共にＰＤＳＣＨ最後シンボル情報を知らせることもできるし、特別サブフレーム設定は知らせず、最後のＯＦＤＭシンボル情報だけを知らせることもできる。
【０３０９】
例えば、端末は、ＤＣＩ信号通知を通して指示される特別サブフレーム設定からＤｗＰＴＳ領域を決定でき、ここにＰＤＳＣＨ最後のＯＦＤＭシンボル情報が明示的にさらに与えられる場合には、これによって、ＤｗＰＴＳ領域における最後のいくつかのＯＦＤＭシンボルはＰＤＳＣＨ領域から除外される、又はＤｗＰＴＳ領域に比べてより多いシンボルがＰＤＳＣＨ領域に含まれると決定てもよい。すなわち、端末は、ＤＣＩ信号通知を通して特別サブフレーム設定が与えられても、ＰＤＳＣＨ最後のＯＦＤＭシンボル情報が与えられる場合には、ＰＤＳＣＨ最後のＯＦＤＭシンボルに基づいてＰＤＳＣＨ領域を決定することができる。
【０３１０】
一方、ＤＣＩフォーマットのＮビットフィールド（例えば、ＰＱＩフィールド）によって指示される２＾Ｎ状態別に特別サブフレーム設定を知らせる方式の代わりに、端末がＤＬサービス提供セルの特別サブフレーム設定に従い、サービス提供セル以外の隣接セル／ＴＰからのＰＤＳＣＨ送信であってもサービス提供セルの特別サブフレーム設定に従うと端末が仮定することもできる。すなわち、端末は、ＤＬサービス提供セルの特別サブフレーム設定と同じ設定と仮定できると定義したてもよいし、ＤＬサービス提供セルの特別サブフレーム設定と異なる特別サブフレーム設定を予想することが許容されないと定義してもよい。同様に、端末は、特別サブフレームのＤｗＰＴＳにＰＤＳＣＨがスケジュールされる場合には、当該ＰＤＳＣＨは自身のＤＬサービス提供セル以外の他のセル／ＴＰから送信されるものと予想することが許容されない。
【０３１１】
追加的な例示として、特別サブフレームにおいて（具体的には、ＤｗＰＴＳで）ＤＬ許可が送信されるときは、当該ＤＣＩフォーマット内のＮビットフィールド（例えば、ＰＱＩフィールド）が含まれないと定義してもよい。このような場合は、非ＣｏＭＰ動作を意味し、特別サブフレームにおいてはＤＬサービス提供セルからのＰＤＳＣＨ送信だけをスケジュールできるという意味であってもよい。
【０３１２】
前述した本発明の様々な例示において、ＤＣＩフォーマット内のＮビットフィールド（例えば、ＰＱＩフィールド）の２＾Ｎ個の状態別に特別サブフレーム設定を知らせることによって、ＤｗＰＴＳ領域の最後のＯＦＤＭシンボルインデクスがどこまでかを端末に知らせることができる。また、ＰＤＳＣＨ開始ＯＦＤＭシンボルインデクスを決定する信号通知も併せてＤＣＩフォーマット内のＮビットフィールド（例えば、ＰＱＩフィールド）の２＾Ｎ個の状態別にＲＲＣ信号通知によって提供することができる。すなわち、ＰＤＳＣＨ開始ＯＦＤＭシンボルインデクスを知らせる情報と、ＰＤＳＣＨ最後のＯＦＤＭシンボルインデクスを決定するためのＴＤＤ特別サブフレーム設定に関する情報とが共に、２＾Ｎ個の状態別にＲＲＣ設定パラメータセットに含まれてもよい。これによって、端末は、ＤＣＩ動的信号通知される状態値に該当するパラメータセットに含まれるＰＤＳＣＨ開始シンボル及び／又はＰＤＳＣＨ最後のシンボルを決定し、これによってＰＤＳＣＨ復調を正しく行うことができる。
【０３１３】
ＥＰＤＣＣＨ関連ＰＱＩパラメータの適用
【０３１４】
ＤＭＲＳとＣＳＩ−ＲＳとの間のＱＣＬ情報、ＰＤＳＣＨ ＲＥマップ（又は、ＣＲＳ ＲＭパターン（例えば、ＣＲＳポートの個数、ＣＲＳ周波数シフト、セル識別子など））情報、ＭＢＳＦＮサブフレーム設定に関する情報、ＮＺＰ ＣＳＩ−ＲＳ設定情報、ＺＰ ＣＳＩ−ＲＳ設定情報、ＴＤＤ特別サブフレーム設定情報、ＰＤＳＣＨ開始シンボル情報、及び／又はＰＤＳＣＨ最後シンボル情報などは、一つのパラメータセット（又は、パラメータリスト）に含まれるＰＱＩパラメータと定義できる。このようなパラメータセットをＰＱＩ（ＰＤＳＣＨ ＲＥマップ及びＱＣＬ指示子）パラメータセットと称することができる。複数の（例えば、２＾Ｎ個の）ＰＱＩパラメータセットを上位層によって半静的に設定してもよい。２＾Ｎ個のＰＱＩパラメータセットのうち一つのパラメータセットは、ＤＣＩフォーマット（例えば、ＤＣＩフォーマット２Ｄ）内のＮビットサイズのＰＱＩフィールドの状態値（以下、“ＰＱＩ状態値”と称する）によって動的に指示してもよい。
【０３１５】
また、このようなＰＱＩパラメータセットに関する情報は、ＤＣＩフォーマット１Ａによってスケジュールされる場合に端末が従うべき情報として、別途のＲＲＣ設定されたパラメータセットの形態で半静的に設定してもよい。又は、ＤＣＩフォーマット１Ａの場合に従うべきデフォルト情報として、いずれのＰＱＩパラメータセットを設定してもよい。デフォルトＰＱＩパラメータセットは、例えば、サービス提供セルの設定に従うようにしたものであってもよいし、デフォルト設定として別に定義してもよい。このようなＤＣＩフォーマット１Ａの場合に対するデフォルトＰＱＩパラメータセットは、ＤＣＩフォーマット２Ｄの場合に対する上位層設定された複数のＰＱＩパラメータセットのうちいずれか一つのパラメータセット（例えば、最も低いＰＱＩ状態値（例えば、‘００’）に対応するパラメータセット）（例えば、パラメータセット１）であってもよい。
【０３１６】
ＥＰＤＣＣＨを介してＤＣＩフォーマット１Ａに該当するスケジュール情報を端末に信号通知してもよい。ＥＰＤＣＣＨの場合には、ＥＰＤＣＣＨセット別に適用される特定ＰＱＩパラメータセットが上位層信号通知によって設定されうる。ＥＰＤＣＣＨセット（又は、ＥＰＤＣＣＨ−ＰＲＢ−ｓｅｔ）は、例えば、集中方式ＥＰＤＣＣＨマップＲＢセット又は分散方式ＥＰＤＣＣＨマップＲＢセットを意味する。
【０３１７】
ＥＰＤＣＣＨを介してＤＣＩフォーマット１Ａに該当するスケジュール情報が端末に信号通知される場合、ＰＱＩパラメータの一つ以上を、事前にＲＲＣ信号通知などによってＥＰＤＣＣＨセット別に設定してもよい。したがって、ＤＣＩフォーマット１ＡがいずれのＥＰＤＣＣＨセットを介して端末に送信されるかによって、当該ＥＰＤＣＣＨセット別に設定（又は、結合若しくはマップ）されているＲＲＣ設定された（ＲＲＣ−ｃｏｎｆｉｇｕｒｅｄ）パラメータセットに含まれたパラメータの一部又は全部を端末が従うように動作できる。より具体的には、端末は、事前に設定されたＥＰＤＣＣＨセットのそれぞれに対する探索空間でブラインド復号を行い、ブラインド復号結果、成功裏に検出されたＤＣＩフォーマット１Ａが存在する場合、当該探索空間を説明するＥＰＤＣＣＨセットに結合されたＲＲＣ設定されたパラメータセットに含まれたパラメータの一部又は全部に従う仮定を、当該ＤＣＩフォーマット１ＡによってスケジュールされるＰＤＳＣＨ復調時に反映して受信処理を行うことができる。
【０３１８】
このようにＥＰＤＣＣＨセット別に設定されたＰＱＩパラメータを従うようにすることは、ＤＣＩフォーマット１ＡがＴＭ１０でＥＰＤＣＣＨを介して送信される場合に限って適用されると限定してもよい。ＴＭ１０の場合には、複数のＥＰＤＣＣＨセットが設定された場合、それぞれのＥＰＤＣＣＨのセット別にＰＱＩパラメータセットがＲＲＣ設定され、端末は、ＤＣＩフォーマット１Ａが上記複数のＥＰＤＣＣＨセットのうちいずれのＥＰＤＣＣＨセットから検出されたかによって、当該ＥＰＤＣＣＨセットに該当するＲＲＣ設定されたパラメータセットに含まれるパラメータの一部又は全部に従う仮定を、当該ＤＣＩフォーマット１ＡによってスケジュールされるＰＤＳＣＨ復調時に反映することができる。一方、ＴＭ１乃至ＴＭ９の場合には、複数のＥＰＤＣＣＨセットが設定された場合であっても、ＰＱＩパラメータセットに含まれるパラメータの一部又は全部が上記複数のＥＰＤＣＣＨセットに共通に適用されるように設定してもよい。端末は、当該ＤＣＩフォーマット１ＡがいずれのＥＰＤＣＣＨセットを介して受信及び復号されたかにかかわらず、上記の共通に設定されたＰＱＩパラメータセットに含まれるパラメータの一部又は全部に従う仮定を、当該ＤＣＩフォーマット１ＡによってスケジュールされるＰＤＳＣＨ復調時に反映して受信処理を行うことができる。
【０３１９】
前述したＥＰＤＣＣＨセット特定に又はＥＰＤＣＣＨセット共通にＰＱＩパラメータセットがＲＲＣ設定される本発明の例示に関する説明においてＤＣＩフォーマット１Ａを例に挙げているが、同一の例示をＤＣＩフォーマット２Ｃ又は２Ｄに対して適用してもよい。
【０３２０】
また、旧型ＰＤＣＣＨを介して送信されるＤＣＩに対するＰＱＩパラメータセットと、ＥＰＤＣＣＨを介して送信されるＤＣＩに対するＰＱＩパラメータセットとを独立してＲＲＣ設定してもよい。すなわち、旧型ＰＤＣＣＨを介して送信されるＤＣＩのＰＱＩ状態値にマップされるＰＱＩパラメータセットは、ＥＰＤＣＣＨを介して送信されるＤＣＩのＰＱＩ状態値にマップされるＰＱＩパラメータセットとは別に設定されるため、互いに異なってもよい。
【０３２１】
また、ＥＰＤＣＣＨセット別にＥＰＤＣＣＨＱＣ振舞を定義してもよい。例えば、ＥＰＤＣＣＨセット別にＥＰＤＣＣＨ 振舞Ａ又はＥＰＤＣＣＨ 振舞Ｂが適用されるとＲＲＣ設定してもよい。ここで、ＥＰＤＣＣＨ 振舞Ａは、ＥＰＤＣＣＨ ＤＭＲＳとサービス提供セルＣＲＳとの間のＱＣＬを仮定する振舞である。ＥＰＤＣＣＨ 振舞Ｂは、ＥＰＤＣＣＨ ＤＭＲＳとＣＳＩ−ＲＳ間のＱＣＬを仮定する振舞である。また、複数のＥＰＤＣＣＨセットすべてに対してＥＰＤＣＣＨ 振舞ＡがデフォルトＱＣ振舞として設定され、それぞれのＥＰＤＣＣＨセット別に独立して特定ＣＳＩ−ＲＳに対するＥＰＤＣＣＨ振舞Ｂを設定してもよい。ＥＰＤＣＣＨ ＱＣ振舞については別途の項目で詳しく説明する。
【０３２２】
さらに、ＥＰＤＣＣＨセット別にＱＣＬ振舞だけでなく、ＰＱＩパラメータの一部又は全部を設定してもよい。このとき、いずれのＤＣＩの２＾Ｎ個のＰＱＩ状態値に対応するようにＲＲＣ設定されたＰＱＩパラメータセットの一部又は全部がＥＰＤＣＣＨ自体の復号に適用されるように設定してもよい。例えば、旧型ＰＤＣＣＨを介して（又は、ＥＰＤＣＣＨを介して）ＤＣＩ（例えば、ＤＣＩフォーマット２Ｄ）が送信される場合、該ＤＣＩの特定ＰＱＩ状態値に対応するようにＲＲＣ設定されたパラメータセットのパラメータの一部又は全部が特定ＥＰＤＣＣＨセットにそのまま適用できるように、それぞれのＥＰＤＣＣＨセット別に上記ＰＱＩ状態値のうち特定状態値によって指示されるＰＱＩパラメータセットを設定できる。
【０３２３】
すなわち、それぞれのＥＰＤＣＣＨセット別にＲＲＣ設定によって上記ＰＱＩ状態値のうち特定状態値を指定することができる。また、該特定ＰＱＩ状態値が示すＰＱＩパラメータ（ＤＭＲＳとＣＳＩ−ＲＳとの間のＱＣＬ情報、ＰＤＳＣＨ ＲＥマップ（又は、ＣＲＳ ＲＭパターン（例えば、ＣＲＳポートの個数、ＣＲＳ周波数シフト、セル識別子など））情報、ＭＢＳＦＮサブフレーム設定に関する情報、ＮＺＰ ＣＳＩ−ＲＳ設定情報、ＺＰ ＣＳＩ−ＲＳ設定情報、ＴＤＤ特別サブフレーム設定情報、ＰＤＳＣＨ開始シンボル情報、及び／又はＰＤＳＣＨ最後シンボル情報など）の一部又は全部がそのままＥＰＤＣＣＨ復号自体に適用されるようにすることができる。
【０３２４】
例えば、上記ＰＱＩパラメータのうちＺＰ ＣＳＩ−ＲＳ設定情報によってＥＰＤＣＣＨ自体のＲＥマップを決定し（すなわち、ＺＰ ＣＳＩ−ＲＳが指示するＲＥにはＥＰＤＣＣＨがマップされないという仮定の下に）、ＥＰＤＣＣＨの復号を行うことができる。
【０３２５】
また、上記ＰＱＩパラメータのうちＣＲＳ ＲＭパターン情報によって、ＥＰＤＣＣＨ自体のＲＥマップを決定し、ＥＰＤＣＣＨ復号を行うことができる。
【０３２６】
また、上記ＰＱＩパラメータのうちＭＢＳＦＮサブフレーム設定情報によって、ＥＰＤＣＣＨが送信されるサブフレームがＭＢＳＦＮサブフレームか又は非ＭＢＳＦＮサブフレームかを決定し、これによってＣＲＳがマップされるＲＥが存在するか否かを決定し、最終的にＥＰＤＣＣＨ自体のＲＥマップを決定してＥＰＤＣＣＨ復号を行うことができる。
【０３２７】
また、上記ＰＱＩパラメータのうちＰＤＳＣＨ開始シンボル情報に基づいてＥＰＤＣＣＨ自体の開始シンボルを決定し、これによってＥＰＤＣＣＨ自体のＲＥマップを決定してＥＰＤＣＣＨ復号を行うことができる。例えば、ＰＱＩパラメータセットに含まれたＰＤＳＣＨ開始シンボル情報からＰＤＳＣＨ開始シンボル値ｋを決定できるが、このｋ値をそのままＥＰＤＣＣＨの開始シンボル値として適用することができる。ここで、ＥＰＤＣＣＨの開始シンボルインデクス値ｋは、ＭＢＳＦＮサブフレーム及び非ＭＢＳＦＮサブフレームに共通に適用してもよい。又は、非ＭＢＳＦＮサブフレームに対してはｋ＝Ｋと決定され、ＭＢＳＦＮサブフレームに対してはｋ＝ｍｉｎ（ＫThreshold，Ｋ）と決定してもよい。ここで、Ｋ値は、０又は留保された値、１、２、３、４、（４は、システム帯域幅が１０個のＰＲＢ以下である場合にだけ適用される）、非交差搬送波スケジュールの場合にはサービス提供セルのＰＣＦＩＣＨから決定される値、又は交差搬送波スケジュールの場合には上位層によって設定された値のうち一つであってもよい。例えば、ＫThreshold＝２であってもよい。
【０３２８】
また、上記ＰＱＩパラメータに一つのＮＺＰ ＣＳＩ−ＲＳ設定情報が含まれる場合、このようなＮＺＰ ＣＳＩ−ＲＳ設定情報は、ＥＰＤＣＣＨ自体の復号のために無視してもよい（又は、考慮しなくてもよい）。すなわち、ＥＰＤＣＣＨセット別に振舞Ａ又は振舞Ｂが個別にＲＲＣ設定される場合、ＰＤＳＣＨ復調のためのＰＱＩパラメータセットのうち一つのＮＺＰ ＣＳＩ−ＲＳ設定情報は、ＥＰＤＣＣＨ復号のために適用しない。
【０３２９】
又は、ＥＰＤＣＣＨ 振舞Ｂが指示された特定ＥＰＤＣＣＨセットに対しては、ＮＺＰ ＣＳＩ−ＲＳ設定情報を考慮してもよい。ＮＺＰ ＣＳＩ−ＲＳ設定情報がＰＱＩパラメータセットに含まれることは任意（ｏｐｔｉｏｎａｌ）であるから、場合を分けて説明する。上記ＰＱＩパラメータに一つのＮＺＰ ＣＳＩ−ＲＳ設定情報が含まれる場合は、これを考慮してＥＰＤＣＣＨ自体のＲＥマップを決定し、ＥＰＤＣＣＨ復号を行うことができる。すなわち、ＥＰＤＣＣＨセット別にＲＲＣ設定されたＰＱＩパラメータセットに属した一つのＮＺＰ ＣＳＩ−ＲＳ設定情報が存在すると、ＥＰＤＣＣＨ ＤＭＲＳと上記一つのＮＺＰ ＣＳＩ−ＲＳとの間のＱＣＬを仮定する振舞Ｂを適用してＥＰＤＣＣＨ復号を行う。上記ＰＱＩパラメータに一つのＮＺＰ ＣＳＩ−ＲＳ設定情報が含まれない場合には、ＥＰＤＣＣＨ ＤＭＲＳとデフォルトＣＳＩ−ＲＳ間のＱＣＬを仮定する振舞Ｂを適用してＥＰＤＣＣＨ復号を行う。ここで、デフォルトＣＳＩ−ＲＳは、最も低いインデクスのＣＳＩ−ＲＳリソース（例えば、ＣＳＩ−ＲＳリソースインデクス０）、特定ＣＳＩ−ＲＳリソース（例えば、ＣＳＩ−ＲＳリソースインデクスｎ、ここで、ｎはあらかじめ指定された値）、最も低いＣＳＩプロセスインデクスに属したＣＳＩ−ＲＳリソース（例えば、ＣＳＩプロセスインデクス０に属したＣＳＩ−ＲＳリソース）、又は特定ＣＳＩプロセスに属したＣＳＩ−ＲＳリソース（例えば、ＣＳＩプロセスインデクスｎに属したＣＳＩ−ＲＳリソース、ここで、ｎはあらかじめ指定された値）のうち一つに設定できる。
【０３３０】
前述したように、本発明によれば、ＥＰＤＣＣＨセットのそれぞれに対して（又は、共通に）上位層によって設定されたＰＱＩパラメータセットを、ＥＰＤＣＣＨ自体のＲＥマップ及びＥＰＤＣＣＨアンテナポートＱＣＬを決定するために用いることができ、これによってＥＰＤＣＣＨ復号性能を高めることができる。
【０３３１】
ＰＤＳＣＨ開始シンボル決定の優先順位
【０３３２】
ＤＣＩ内のＮビットサイズのＰＱＩフィールドは、２＾Ｎ個のＰＱＩ状態値のうちいずれか一つの値を有することができて、これは、２＾Ｎ個のＰＱＩパラメータセットのうちいずれか一つを示すことができる。このような２＾Ｎ個のＰＱＩパラメータセットは、上位層（例えば、ＲＲＣ層）によってあらかじめ設定することができる。
【０３３３】
いずれのＰＱＩパラメータセットに特定パラメータが含まれない場合は、該特定パラメータのためにデフォルト規則によって決定された値を適用することができる。
【０３３４】
例えば、特定ＰＱＩフィールドの状態値に対応するＰＱＩパラメータセットにおいてＰＤＳＣＨ開始シンボルインデクス情報が含まれない（又は、与えられない）場合、端末は、ＰＤＳＣＨ開始シンボルインデクスがサービス提供セルのＰＤＳＣＨ開始位置に従うと仮定することができる。これは、ＰＱＩパラメータではなくても、別途のＲＲＣ信号通知によってＥＰＤＣＣＨ開始シンボルが端末に設定されている場合、ＰＱＩパラメータにＰＤＳＣＨ開始シンボルが含まれないときは、ＤＬサービス提供セルのＰＣＦＩＣＨからＰＤＳＣＨ開始シンボルを決定するよりは、既にＲＲＣ信号通知で与えられたＥＰＤＣＣＨ開始シンボル位置がＰＤＳＣＨ開始シンボルの位置と同一であると決定するようにするという意味である。
【０３３５】
例えば、特定ＰＱＩフィールドの状態値に対応するＰＱＩパラメータセットにおいてＰＤＳＣＨ開始シンボルインデクス情報が含まれない（又は、与えられない）場合、端末は、ＰＤＳＣＨ開始シンボルインデクスが、ＤＬサービス提供セルのＰＣＦＩＣＨで示すＰＤＣＣＨの最後シンボルインデクスの次のシンボルインデクス（すなわち、ＰＤＣＣＨの最後シンボルインデクス＋１）であると決定することができる。
【０３３６】
このように本発明で提案するＰＱＩパラメータを適用する優先順位は、次のように設定することができる。一番目の優先順位は（すなわち、他の場合に比べて優先的に適用される動作は）、ＰＱＩ状態値に対応する特定ＰＱＩパラメータが与えられる場合にはそれに従うことである。二番目の優先順位は（すなわち、上記一番目の優先順位による動作が適用されない場合に適用される動作は）、ＰＱＩ状態値に対応する特定ＰＱＩパラメータが与えられない場合に適用されることであり、上記特定ＰＱＩパラメータと関連して（ＰＱＩパラメータ設定ではない他の目的のためでも）別途に設定された値が存在する場合には、それによって上記特定ＰＱＩパラメータの値を決定することである。
【０３３７】
ＰＱＩパラメータのうちＰＤＳＣＨ開始シンボル情報を例に上げて本発明による動作を説明する。
【０３３８】
まず、一番目の優先順位による動作又は二番目の優先順位による動作を適用するか否かを決定するために、ＤＣＩ内のＰＱＩフィールドの特定状態値に対応するＰＱＩパラメータセットにＰＤＳＣＨ開始シンボル値が含まれるか（又は、与えられるか）否かを決定する。
【０３３９】
一番目の優先順位による動作として、ＤＣＩ内のＰＱＩフィールドの特定状態値に対応するＰＱＩパラメータセットでＰＤＳＣＨ開始シンボル値が提供されたとき、端末はそれを用いてＰＤＳＣＨ復調（又は、ＥＰＤＣＣＨ復号）を行うことができる。
【０３４０】
ここで、非ＭＢＳＦＮサブフレームに対してＲＲＣ信号通知されたＰＤＳＣＨ開始シンボル情報（例えば、上記例示でＫ値と表現された情報）は、０又は留保された値、１、２、３、４（４は、システム帯域幅が１０個のＰＲＢ以下である場合にだけ適用される）、非交差搬送波スケジュールの場合にはサービス提供セルのＰＣＦＩＣＨから決定される値、又は交差搬送波スケジュールの場合には上位層によって設定された値のうち一つであってもよい。
【０３４１】
又は、Ｋ値は、０又は留保された値、１、２、３、４（４はシステム帯域幅が１０個のＰＲＢ以下である場合にだけ適用される）、非交差搬送波スケジュールの場合には特定セル又はＴＰのＰＣＦＩＣＨから決定される値、又は交差搬送波スケジュールの場合には上位層によって設定された値のうち一つであってもよい。ここで、特定セル又はＴＰのＰＣＦＩＣＨによって与えられる情報（又は、制御領域のＯＦＤＭシンボル個数を示す他のパラメータ／値／変数）によって動的にＰＤＳＣＨ開始シンボル個数を決定する方式は、上記特定セル又はＴＰのＲＳ（例えば、ＣＲＳ、ＣＳＩ−ＲＳ、追跡ＲＳなど）を確実に検出できる場合に（例えば、干渉除去受信器を備える端末で）適用するようにすることができる。
【０３４２】
一方、このように特定セル又はＴＰのＰＣＦＩＣＨによって動的にＰＤＳＣＨ開始シンボル値Ｋを決定する動作は、ＤＬ制御チャネル領域とＰＤＳＣＨ領域との重複を防止するための他の実施例にも適用することができる。
【０３４３】
例えば、非ＭＢＳＦＮサブフレームにおいてＰＤＳＣＨ開始シンボル値ｋ＝ｍａｘ｛Ｋ，Ｐ｝と決定することができる。ＭＢＳＦＮサブフレームにおいてＰＤＳＣＨ開始シンボル値ｋ＝ｍａｘ｛（ｍｉｎ（ＫThreshold，Ｋ））と決定することができる。ここで、Ｋ値は、０又は留保された値、１、２、３、４（４はシステム帯域幅が１０個のＰＲＢ以下である場合にだけ適用される）、非交差搬送波スケジュールの場合には特定セル又はＴＰのＰＣＦＩＣＨから決定される値、又は交差搬送波スケジュールの場合には上位層によって設定された値のうち一つであってもよい。Ｐは、非交差スケジュールの場合にはサービス提供セルのＰＣＦＩＣＨから決定される値、又は交差搬送波スケジュールの場合には上位層によって設定された値であってもよい。ＫThreshold値は、例えば、２であってもよい。
【０３４４】
二番目の優先順位による動作として、ＤＣＩ内のＰＱＩフィールドの特定状態値に対応するＰＱＩパラメータセットでＰＤＳＣＨ開始シンボル値が提供されない場合では、端末は、（ＰＱＩパラメータ設定でない他の目的のためでも）別途に設定されたＰＤＳＣＨ開始シンボル値が存在すると、それを用いてＰＤＳＣＨ復調（又は、ＥＰＤＣＣＨ復号）を行うことができる。
【０３４５】
例えば、ＰＱＩパラメータ以外の別に設定されたＰＤＳＣＨ開始シンボル値は、ＥＰＤＣＣＨ開始シンボル値を示すための情報であってもよい。すなわち、ＥＰＤＣＣＨ開始シンボル＝ＰＤＳＣＨ開始シンボルと決定するが、そのために、端末にＥＰＤＣＣＨ開始シンボル情報が半静的に設定されている場合には、端末は、それによってＰＤＳＣＨ開始シンボルを決定してＰＤＳＣＨ復調などを行うことができる。
【０３４６】
他の例示として、ＤＬサービス提供セルに対するＰＤＳＣＨ開始シンボル情報がなくても、他のセル又はＴＰ（例えば、ＣＳＩ−ＲＳとのＱＣ情報などを用いてＰＤＳＣＨを送信するセル又はＴＰ）に対して設定されたＰＤＳＣＨ開始シンボル情報が存在すると、端末はそれによってＰＤＳＣＨ復調などを行うことができる。これは、搬送波集約（ＣＡ）システムにおいて、ＳＣｅｌｌのＰＤＳＣＨ開始シンボル情報がＲＲＣ信号通知によって与えられる方式に似ていると理解してもよく、ここで、ＳＣｅｌｌを、同一周波数帯域におけるＣｏＭＰ測定セット内の隣接ＴＰと見なすことができる。
【０３４７】
例えば、フォールバック動作のためにＤＣＩフォーマット１Ａが用いられる場合を仮定することができる。この場合、ＣｏＭＰのような動作モードのための情報（特に、ＰＤＳＣＨ開始シンボルに関する情報）が提供されないことがある。又は、ＣｏＭＰモードのためのＰＤＳＣＨをスケジュールするＤＣＩであっても、他の端末と共にスケジュールメッセージの検出を試みる共通探索空間で送信されるときには、他のスケジュール情報との長さを同様に維持するためにＰＤＳＣＨ開始シンボル情報などが含まれないこともある。このようにＰＤＳＣＨ開始シンボルに関する情報が存在しないスケジュール情報によってＰＤＳＣＨがスケジュールされる場合、ＥＰＤＣＣＨとＰＤＳＣＨは同一のセル（又は、ＣＣ）上で同一の開始点を有するとして動作することができる。
【０３４８】
三番目の優先順位による動作として、ＰＱＩパラメータも与えられず、他の目的のために設定された値も存在しない場合には、最も基本的な動作をサポートするための方式によって、ＰＤＳＣＨ開始シンボルインデクスを、ＤＬサービス提供セルのＰＣＦＩＣＨで示すＰＤＣＣＨの最後シンボルインデクスの次のシンボルインデクス（すなわち、ＰＤＣＣＨの最後シンボルインデクス＋１）と決定することができる。
【０３４９】
他の例示として、ＰＣＦＩＣＨのＣＦＩ値が示す最大値に１を加えた値（すなわち、ＰＤＣＣＨ最大スパン＋１）をＰＤＳＣＨ開始シンボルインデクスの値と決定することもできる。ＰＤＣＣＨ最大スパン＋１と決定する方式は、実際にＰＤＣＣＨが最大スパンよりも少ないシンボルを用いる場合にはリソース活用度が低下することがあるが、端末動作が単純化及び安定化するという長所を有する。例えば、ＰＤＣＣＨのために使用可能なＯＦＤＭシンボルの個数は、下記の表１０のように定義できるが、そのうち、ＰＤＣＣＨのためのＯＦＤＭシンボル個数の最大値は、下りリンクシステム帯域幅が１０個のＲＢ以下である場合（すなわち、ＮＤＬＲＢ≦１０）、４個である。したがって、ＰＤＳＣＨ開始シンボルは５番目ＯＦＤＭシンボル（ＯＦＤＭシンボルインデクスが０から始める場合には、シンボルインデクス４）であると決定することができる。
【表１０】
0006294327.tif 000028
【０３５０】
他の例示として、上記の表１０で、フレーム構造、ＭＢＳＦＮか又は非ＭＢＳＦＮサブフレームか、ＣＲＳアンテナポート個数などの条件によってＣＦＩが示す値（すなわち、ＰＤＣＣＨのためのＯＦＤＭシンボルの個数）のうち、当該条件での最大値を決定し、該決定された最大値に該当するシンボルインデクス＋１をＰＤＳＣＨ開始シンボル位置と決定することもできる。このように条件による最大値は、上記の表１０の特定行における最大値又は特定列における最大値などと決定することができる。
【０３５１】
他の例示として、ＤＬサービス提供セルではなく、他のセル又はＴＰのＰＤＳＣＨ開始シンボル位置情報を用いることもできる。例えば、他のセル又はＴＰは、ＣＳＩ−ＲＳとのＱＣ情報などによってＰＤＳＣＨを送信するセル又はＴＰであってもよい。他のセル又はＴＰに対する特定署名値（例えば、当該セル又はＴＰの物理セル識別子、仮想セル識別子などのスクランブルシード値など）が示されるとき、当該セル又はＴＰのＲＳ（例えば、ＣＲＳ、追跡ＲＳ、ＣＳＩ−ＲＳなど）を用いてＰＣＦＩＣＨを復号できるなら、ＰＣＦＩＣＨで示されるＣＦＩ値によって決定されるＰＤＣＣＨの最後シンボルインデクスの次のシンボルインデクスをＰＤＳＣＨ開始シンボル位置と決定することができる。
【０３５２】
追加的な例示として、端末が特定ＰＤＳＣＨスケジュール情報（例えば、特定ＤＣＩフォーマットを介した下りリンクスケジュール情報）を受信した場合、ＰＤＳＣＨを送信するセルが当該端末のサービス提供セルではなく特定セルであると事前に定めることが可能である。この場合、事前に定められた特定セルがどのセルであるかは、上位層（例えば、ＲＲＣ層）によって設定することができる。
【０３５３】
また、ＥＰＤＣＣＨではなくＰＤＣＣＨを介して送信されるＤＣＩによってＰＤＳＣＨがスケジュールされる場合には、ＥＰＤＣＣＨ開始シンボルに関する情報がＰＤＳＣＨ開始シンボルと異なるか、又はＥＰＤＣＣＨ開始シンボルに関する情報自体が存在しない場合に該当しうる。この場合には、上記の二番目の優先順位で別途に設定されたＰＤＳＣＨ開始シンボル値を用いることができず、上記の三番目の優先順位によってＰＤＳＣＨ開始シンボル位置を決定してもよい。
【０３５４】
フォールバックモードでスケジュールされたＰＤＳＣＨに対するＰＱＩパラメータの適用
【０３５５】
端末に対して送信モード再設定などが行われる状況において、基地局と端末との動作モード設定が一致しない場合が生じうる。このような場合には、安定した動作のために、端末、基地局の両方が基本的にサポートするフォールバックモードで動作できる。本発明では、フォールバックモードでスケジュールされるＰＤＳＣＨに対してＰＱＩパラメータを適用する動作を提案する。
【０３５６】
フォールバックモードで動作する場合、上記の一番目の優先順位による動作（例えば、ＰＤＳＣＨ開始シンボル情報）が直接与えられる場合の動作）が適用されないことがある。ここで、フォールバックモードで動作する場合には、上記の一番目の優先順位による動作が適用されない場合、上記の二番目の優先順位による動作（例えば、ＥＰＤＣＣＨ開始シンボル情報によってＰＤＳＣＨ開始シンボル位置を決定する動作）を行わず、上記の三番目の優先順位による動作（例えば、ＰＣＦＩＣＨが示すＣＦＩ値によって決定されるＰＤＣＣＨの最後シンボルインデクスの直後のシンボルインデクスをＰＤＳＣＨ開始シンボル位置と決定する動作）が行われてもよい。
【０３５７】
例えば、フォールバックモードのためのＤＣＩフォーマット（例えば、ＤＣＩフォーマット１Ａ）によってスケジュールされたＰＤＳＣＨ送信開始シンボル位置は、より安定したフォールバック動作のために同一のセル（又は、ＣＣ）上のＥＰＤＣＣＨ開始シンボルと異なるように設定してもよい。例えば、フォールバックモードのためのＤＣＩフォーマット１ＡによってＰＤＳＣＨがスケジュールされる場合、このＰＤＳＣＨは事前に定められた特定セル（例えば、当該端末のサービス提供セル）から送信されると指定されてもよく、これは、フォールバックモードではサービス提供セルが端末の動作を管理するようにすることが適切であるためである。このような場合、ＤＣＩフォーマット１ＡでスケジュールされたＰＤＳＣＨの開始シンボル位置は、サービス提供セルのＰＤＳＣＨ開始シンボル位置と同様に設定されることが好ましい。
【０３５８】
これによって、端末は、ＤＣＩフォーマット１ＡによってＰＤＳＣＨがスケジュールされた場合には、別にＲＲＣ設定されるＥＰＤＣＣＨの開始シンボル位置にかかわらず、サービス提供セルのＰＣＦＩＣＨのＣＦＩが示す値によってＰＤＳＣＨ開始シンボル位置を決定することができる。
【０３５９】
又は、上位層（例えば、ＲＲＣ層）信号通知を用いてサービス提供セルのＰＤＳＣＨ開始シンボル情報を知らせ、それに従うようにすることもできる。ここで、上位層信号が示すサービス提供セルＰＤＳＣＨ開始シンボル情報は、ＤＣＩフォーマット１Ａでスケジュールされた場合に適用しなければならないＰＤＳＣＨ開始シンボル位置と与えられるか、又は、サービス提供セルの特定ＲＳ（例えば、ＣＲＳ又は基準となる特定ＣＳＩ−ＲＳ）と同一の位置でＰＤＳＣＨが送信されると仮定できる場合に用いるＰＤＳＣＨ開始シンボル位置と与えられてもよい。ここで、上記基準となるＣＳＩ−ＲＳは、サービス提供セルが送信すると暗黙に仮定し、最初の（又は、最も低い）ＣＳＩ−ＲＳ設定インデクスのように、特定ＣＳＩ−ＲＳ設定インデクスに該当するものであってもよい。
【０３６０】
また、ＰＤＳＣＨスケジュールメッセージが共通探索空間（ＣＳＳ）上で検出され、ＰＤＳＣＨスケジュールメッセージにＰＤＳＣＨ開始シンボル位置に関する情報が含まれない場合にも、上記と類似の方式で動作できる。すなわち、非ＭＢＳＦＮサブフレームにおいてＣＳＳ上で送信されるＤＣＩフォーマット１Ａの場合は、ＣＲＳベースで動作し、いかなる種類の送信モードでも同一の動作を保証するフォールバック動作を提供しなければならず、よって、必ずサービス提供セルのＰＣＦＩＣＨ情報によってＰＤＳＣＨ開始シンボル位置を決定するようにすることが好ましい。
【０３６１】
前述した本発明の提案を整理し、フォールバックモードでＰＱＩパラメータ適用に関する本発明の第１例示による端末動作を次のように定義できる。
・非ＭＢＳＦＮサブフレームにおいて共通探索空間上のＤＣＩフォーマット１ＡによってＰＤＳＣＨがスケジュールされる場合、該ＰＤＳＣＨの開始シンボルは、ＤＬサービス提供セルのＰＣＦＩＣＨ情報（すなわち、ＣＦＩ）に基づいて決定される。
・ＭＢＳＦＮサブフレームにおいて又は非ＭＢＳＦＮサブフレームにおいて端末特定探索空間上のＤＣＩフォーマット１ＡによってＰＤＳＣＨがスケジュールされる場合、該ＰＤＳＣＨの開始シンボルは、ＤＣＩフォーマット２Ｄに対して設定されたＰＱＩ状態値のうち、あらかじめ決定された一つに従うＰＱＩパラメータによって決定される。ここで、ＤＣＩフォーマット２Ｄは、ＰＱＩフィールドを含むＤＣＩフォーマットを例示的に称するものである。また、ＰＱＩ状態値のうちあらかじめ決定された一つは、デフォルトＰＱＩ状態値を意味するものであり、例えば、最初のＰＱＩ状態値、又は最も低いＰＱＩ状態値などと定義できる。
【０３６２】
フォールバックモードにおけるＰＱＩパラメータ適用に関する本発明の第２例示として、非ＭＢＳＦＮサブフレームにおいて端末特定探索空間上で送信されるＤＣＩによってＰＤＳＣＨがスケジュールされる場合にも、フォールバックモードとして動作できるように次の端末動作を定義することができる。これによって、ＭＢＳＦＮサブフレームである場合と、非ＭＢＳＦＮサブフレームである場合とに条件を分け、次のように端末動作を定義することもできる。
・非ＭＢＳＦＮサブフレームにおいてＤＣＩフォーマット１ＡによってＰＤＳＣＨがスケジュールされる場合、該ＰＤＳＣＨの開始シンボルはＤＬサービス提供セルのＰＣＦＩＣＨ情報（すなわち、ＣＦＩ）に基づいて決定される。
・ＭＢＳＦＮサブフレームにおいてＤＣＩフォーマット１ＡによってＰＤＳＣＨがスケジュールされる場合、該ＰＤＳＣＨの開始シンボルは、ＤＣＩフォーマット２Ｄに対して設定されたＰＱＩ状態値のうちあらかじめ決定された一つに従うＰＱＩパラメータによって決定される。ここで、ＤＣＩフォーマット２Ｄは、ＰＱＩフィールドを含むＤＣＩフォーマットを例示的に称するものである。また、ＰＱＩ状態値のうちあらかじめ決定された一つは、デフォルトＰＱＩ状態値を意味するものであり、例えば、最初のＰＱＩ状態値、又は最も低いＰＱＩ状態値などと定義できる。
【０３６３】
前述した本発明の例示で提案する事項は、ＣＲＳベースでＰＤＳＣＨ復調を行う場合には、サービス提供セルのＰＣＦＩＣＨ情報（すなわち、ＣＦＩ）に基づいてＰＤＳＣＨ開始シンボルを決定すべきだということである。また、ＴＭ１０の場合にも、ＴＭ９と同様、非ＭＢＳＦＮサブフレームにおいてＤＣＩフォーマット１ＡによってＰＤＳＣＨがスケジュールされる場合、共通探索空間でＤＣＩフォーマット１Ａが検出されるか又は端末特定探索空間でＤＣＩフォーマット１Ａが検出されるかにかかわらず、ＣＲＳベースＰＤＳＣＨ送信（例えば、アンテナポート０送信又は送信ダイバシチモード）が行われるとすれば、上記のフォールバックモードでＰＱＩパラメータ適用に関する本発明の第２例示で説明したようにＰＱＩパラメータを適用するのではなく、サービス提供セルのＰＣＦＩＣＨ情報（すなわち、ＣＦＩ）に基づいてＰＤＳＣＨ開始シンボルを決定することができる。一方、非ＭＢＳＦＮサブフレームにおいてＥＰＤＣＣＨを介して送信されるＤＣＩフォーマット１Ａは端末特定探索空間だけを通して送信されるため、上記フォールバックモードでＰＱＩパラメータ適用に関する本発明の第１例示で説明したとおり、非ＭＢＳＦＮサブフレームにおいて共通探索空間を通して受信されたＤＣＩフォーマット１ＡによってスケジュールされたＰＤＳＣＨに対しては、サービス提供セルのＰＣＦＩＣＨ情報（すなわち、ＣＦＩ）に基づいてＰＤＳＣＨ開始シンボルを決定し、その他のＤＣＩフォーマット１ＡによってスケジュールされたＰＤＳＣＨに対しては、特定ＰＱＩ状態値に対応するＰＱＩパラメータを適用することができる。
【０３６４】
上記のフォールバックモードでＰＱＩパラメータ適用に関する本発明の第１及び第２例示について、ＤＣＩフォーマット１ＡがＥＰＤＣＣＨ上で送信されるか又はＰＤＣＣＨ上で送信されるかの細部的な条件を考慮した本発明の追加的な例示による端末動作は、次のように定義できる。
【０３６５】
上記フォールバックモードでＰＱＩパラメータ適用に関する本発明の第１例示は、次のような変形例と定義することもできる。
・非ＭＢＳＦＮサブフレームにおいて共通探索空間上のＥＰＤＣＣＨを介して送信されるＤＣＩフォーマット１ＡによってＰＤＳＣＨがスケジュールされる場合、該ＰＤＳＣＨの開始シンボルは、ＥＰＤＣＣＨ開始シンボルによって決定する。ここで、ＥＰＤＣＣＨ開始シンボルは、サービス提供セルのＰＣＦＩＣＨ情報（すなわち、ＣＦＩ）に基づいて決定してもよく、又はＲＲＣ設定されたＥＰＤＣＣＨ開始シンボル値によって決定してもよい。
・非ＭＢＳＦＮサブフレームにおいて共通探索空間上のＰＤＣＣＨを介して送信されるＤＣＩフォーマット１ＡによってＰＤＳＣＨがスケジュールされる場合、該ＰＤＳＣＨの開始シンボルは、ＤＬサービス提供セルのＰＣＦＩＣＨ情報（すなわち、ＣＦＩ）に基づいて決定する。
・ＰＤＣＣＨを介した送信かＥＰＤＣＣＨを介した送信かにかかわらず、ＭＢＳＦＮサブフレームにおいて又は非ＭＢＳＦＮサブフレームにおいて端末特定探索空間上のＤＣＩフォーマット１ＡによってＰＤＳＣＨがスケジュールされる場合、該ＰＤＳＣＨの開始シンボルは、ＤＣＩフォーマット２Ｄに対して設定されたＰＱＩ状態値のうちあらかじめ決定された一つに従うＰＱＩパラメータによって決定する。ここで、ＤＣＩフォーマット２Ｄは、ＰＱＩフィールドを含むＤＣＩフォーマットを例示的に称するものである。また、ＰＱＩ状態値のうちあらかじめ決定された一つは、デフォルトＰＱＩ状態値を意味するものであり、例えば、最初のＰＱＩ状態値、又は最も低いＰＱＩ状態値などと定義できる。
【０３６６】
上記フォールバックモードでＰＱＩパラメータ適用に関する本発明の第２例示は、次のような変形例と定義することもできる。
・非ＭＢＳＦＮサブフレームにおいてＥＰＤＣＣＨを介して送信されるＤＣＩフォーマット１ＡによってＰＤＳＣＨがスケジュールされる場合、該ＰＤＳＣＨの開始シンボルは、ＥＰＤＣＣＨ開始シンボルによって決定する。ここで、ＥＰＤＣＣＨ開始シンボルは、サービス提供セルのＰＣＦＩＣＨ情報（すなわち、ＣＦＩ）に基づいて決定してもよいし、又はＲＲＣ設定されたＥＰＤＣＣＨ開始シンボル値によって決定してもよい。
・非ＭＢＳＦＮサブフレームにおいてＰＤＣＣＨを介して送信されるＤＣＩフォーマット１ＡによってＰＤＳＣＨがスケジュールされる場合、該ＰＤＳＣＨの開始シンボルは、ＤＬサービス提供セルのＰＣＦＩＣＨ情報（すなわち、ＣＦＩ）に基づいて決定する。
・ＰＤＣＣＨを介した送信か又はＥＰＤＣＣＨを介した送信かにかかわらず、ＭＢＳＦＮサブフレームにおいてＤＣＩフォーマット１ＡによってＰＤＳＣＨがスケジュールされる場合、該ＰＤＳＣＨの開始シンボルは、ＤＣＩフォーマット２Ｄに対して設定されたＰＱＩ状態値のうちあらかじめ決定された一つに従うＰＱＩパラメータによって決定する。ここで、ＤＣＩフォーマット２Ｄは、ＰＱＩフィールドを含むＤＣＩフォーマットを例示的に称するものである。また、ＰＱＩ状態値のうちあらかじめ決定された一つは、デフォルトＰＱＩ状態値を意味するものであり、例えば、最初のＰＱＩ状態値、又は最も低いＰＱＩ状態値などと定義できる。
【０３６７】
前述したように、フォールバックモード（例えば、ＤＣＩフォーマット１ＡによってＰＤＳＣＨがスケジュールされる場合）でＰＤＳＣＨ開始シンボルを決定する方法に関する本発明の様々な例示は、ＣＲＳ速度整合（Ｒａｔｅ  Ｍａｔｃｈｉｎｇ、ＲＭ）パターン（例えば、ＣＲＳポート個数、ＣＲＳ周波数シフト情報、ＭＢＳＦＮ設定情報など）を決定する動作についても同様に適用することができる。これは、フォールバックモードＤＣＩフォーマット１ＡによってスケジュールされるＣＲＳベースＰＤＳＣＨ送信（例えば、アンテナポート０送信又は送信ダイバシチモード）に対してはサービス提供セルのＰＣＦＩＣＨ情報（すなわち、ＣＦＩ）によってＰＤＳＣＨ開始シンボルを決定し、あいまい性の除去及び安全性を図るということであるから、ＣＲＳ ＲＭパターンの決定も、これと同様の目的で、サービス提供セルのＣＲＳ ＲＭパターンによってＰＤＳＣＨ ＲＥマップを決定することが適切である。すなわち、ＤＣＩフォーマット２Ｄに対して設定された特定ＰＱＩ状態値（例えば、最初のＰＱＩ状態値、又は最も低いＰＱＩ状態値）に対応するＰＱＩパラメータ（例えば、ＰＤＳＣＨ開始シンボル情報又はＣＲＳ ＲＭパターンなど）は、ＣＲＳベースＰＤＳＣＨ送信（例えば、アンテナポート０送信又は送信ダイバシチモード）に対しては適用せず、その他のＰＤＳＣＨ送信（例えば、ＤＭＲＳベースＰＤＳＣＨ送信）だけに対して限定的に適用することが好ましい。このようにＣＲＳ ＲＭパターンが決定されたとき、それに従ってＰＤＳＣＨ ＲＥマップを決定してもよい。
【０３６８】
ここで、ＣＲＳベースに送信されるＰＤＳＣＨの復調については、ＰＱＩパラメータのうち一部は用いるが、その他のパラメータはＰＱＩパラメータに従わず、サービス提供セルの情報に従うように動作することもできる。例えば、ＣＲＳベースに送信されるＰＤＳＣＨの復調については、ＰＱＩパラメータセットに含まれるパラメータのうちＺＰ ＣＳＩ−ＲＳ設定及び／又はＰＤＳＣＨ開始シンボルに関する情報だけを適用し、ＣＲＳ ＲＭパターンに関する情報は適用しないように（すなわち、ＣＲＳ ＲＭパターンに対してはサービス提供セルの情報に従うように）することができる。これによる端末動作を次のように定義することができる。
・非ＭＢＳＦＮサブフレームにおいて共通探索空間上のＤＣＩフォーマット１ＡによってＰＤＳＣＨがスケジュールされる場合、ＣＲＳ ＲＭパターンは、ＤＬサービス提供セルのＣＲＳ ＲＭパターン情報によって決定する。ここで、サービス提供セルのＣＲＳ ＲＭパターン情報は、例えば、サービス提供セルのＣＲＳポート個数、サービス提供セルのＣＲＳ周波数シフト、サービス提供セルのＭＢＳＦＮサブフレーム設定などを含むことができる。
・ＭＢＳＦＮサブフレームにおいて又は非ＭＢＳＦＮサブフレームにおいて端末特定探索空間上のＤＣＩフォーマット１ＡによってＰＤＳＣＨがスケジュールされる場合、ＣＲＳ ＲＭパターンは、ＤＣＩフォーマット２Ｄに対して設定されたＰＱＩ状態値のうちあらかじめ決定された一つに従うＰＱＩパラメータのうちＣＲＳ ＲＭパターンに関連したパラメータによって決定する。ここで、ＤＣＩフォーマット２Ｄは、ＰＱＩフィールドを含むＤＣＩフォーマットを例示的に称するものである。また、ＰＱＩ状態値のうちあらかじめ決定された一つは、デフォルトＰＱＩ状態値を意味するものであり、例えば、最初のＰＱＩ状態値、又は最も低いＰＱＩ状態値などと定義できる。また、ＰＱＩパラメータのうちＣＲＳ ＲＭパターンに関連したパラメータは、ＣＲＳポート個数（例えば、１、２、４、又は留保された値）、ＣＲＳ周波数シフト、ＭＢＳＦＮサブフレーム設定などに該当する。
【０３６９】
上記のＣＲＳ ＲＭパターンの決定に関する本発明の例示において、非ＭＢＳＦＮサブフレームにおいて端末特定探索空間上で送信されるＤＣＩによってＰＤＳＣＨがスケジュールされる場合にもフォールバックモードとして動作できるように下記の端末動作を定義することができる。これによって、ＭＢＳＦＮサブフレームである場合と非ＭＢＳＦＮサブフレームである場合とに条件を分けて、次のように端末動作を定義することもできる。
・非ＭＢＳＦＮサブフレームにおいてＤＣＩフォーマット１ＡによってＰＤＳＣＨがスケジュールされる場合、ＣＲＳ ＲＭパターンは、ＤＬサービス提供セルのＣＲＳ ＲＭパターン情報によって決定する。ここで、サービス提供セルのＣＲＳ ＲＭパターン情報は、例えば、サービス提供セルのＣＲＳポート個数、サービス提供セルのＣＲＳ周波数シフト、サービス提供セルのＭＢＳＦＮサブフレーム設定などを含むことができる。
・ＭＢＳＦＮサブフレームにおいてＤＣＩフォーマット１ＡによってＰＤＳＣＨがスケジュールされる場合、ＣＲＳ ＲＭパターンは、ＤＣＩフォーマット２Ｄに対して設定されたＰＱＩ状態値のうち、あらかじめ決定された一つに従うＰＱＩパラメータのうちＣＲＳ ＲＭパターンに関連したパラメータによって決定する。ここで、ＤＣＩフォーマット２Ｄは、ＰＱＩフィールドを含むＤＣＩフォーマットを例示的に称するものである。また、ＰＱＩ状態値のうちあらかじめ決定された一つは、デフォルトＰＱＩ状態値を意味するものであり、例えば、最初のＰＱＩ状態値、又は最も低いＰＱＩ状態値などと定義できる。また、ＰＱＩパラメータのうちＣＲＳ ＲＭパターンに関連したパラメータは、ＣＲＳポート個数（例えば、１、２、４、又は留保された値）、ＣＲＳ周波数シフト、ＭＢＳＦＮサブフレーム設定などに該当する。
【０３７０】
本発明の他の変形例として、サブフレームタイプ（例えば、ＭＢＳＦＮ又は非ＭＢＳＦＮ）及び探索空間のタイプ（例えば、共通探索空間又は端末特定探索空間）に対する条件にかかわらず、ＤＣＩフォーマット１ＡによってＰＤＳＣＨがスケジュールされる場合には、常にＤＣＩフォーマット２Ｄに対して設定されたＰＱＩ状態値のうちあらかじめ決定された一つ（例えば、最も低いＰＱＩ状態値）に該当するＰＱＩパラメータに従うようにするが、ＣＲＳベースＰＤＳＣＨがスケジュールされた場合には、上記のＰＱＩパラメータのうちＰＤＳＣＨ開始シンボル情報及び／又はＣＲＳ ＲＭパターン情報は、サービス提供セル以外の他のセルの情報によってＲＲＣ設定されると予想することが許容されないと定義することもできる。これによる端末動作を次のようにまとめることができる。
【０３７１】
まず、ＣＲＳ ＲＭ情報に対する端末動作を次のように定義できる。
・非ＭＢＳＦＮサブフレームにおいてＤＣＩフォーマット１ＡによってＰＤＳＣＨがスケジュールされる場合、端末は、ＤＣＩフォーマット２Ｄに対して設定されたＰＱＩ状態値のうち、あらかじめ決定された一つによって指示されるＣＲＳ ＲＭパターンに関連したパラメータは、当該端末のサービス提供セルのＣＲＳ ＲＭ情報と異なると予想することが許容されない。ここで、ＤＣＩフォーマット２Ｄは、ＰＱＩフィールドを含むＤＣＩフォーマットを例示的に称するものである。また、ＰＱＩ状態値のうちあらかじめ決定された一つは、デフォルトＰＱＩ状態値を意味するものであり、例えば、最初のＰＱＩ状態値、又は最も低いＰＱＩ状態値などと定義できる。また、ＰＱＩパラメータのうちＣＲＳ ＲＭパターンに関連したパラメータは、ＣＲＳポート個数（例えば、１、２、４、又は留保された値）、ＣＲＳ周波数シフト、ＭＢＳＦＮサブフレーム設定などに該当する。
【０３７２】
上記の端末動作を次のように表現することもできる。
・ＴＭ１０に設定された端末がポート０乃至３で復調されるＰＤＳＣＨを受信する場合、端末は、当該ＰＤＳＣＨのＲＥマップを定義するＰＱＩ状態のＣＲＳポート個数、ｖ−ｓｈｉｆｔ（又は、周波数シフト）、ＭＢＳＦＮサブフレーム設定情報がサービス提供セルのそれと同様に与えられると仮定することができる。ここで、ポート０乃至３はＣＲＳアンテナポートインデクスを意味する。
【０３７３】
次に、ＰＤＳＣＨ開始シンボル情報に対する端末動作は、次のように定義できる。
・非ＭＢＳＦＮサブフレームにおいてＤＣＩフォーマット１ＡによってＰＤＳＣＨがスケジュールされる場合、端末は、ＤＣＩフォーマット２Ｄに対して設定されたＰＱＩ状態値のうちあらかじめ決定された一つによって指示されるＰＤＳＣＨ開始シンボル情報は、当該端末のサービス提供セルのＰＤＳＣＨ開始シンボル情報と異なると予想することが許容されない。ここで、ＤＣＩフォーマット２Ｄは、ＰＱＩフィールドを含むＤＣＩフォーマットを例示的に称するものである。また、ＰＱＩ状態値のうちあらかじめ決定された一つは、デフォルトＰＱＩ状態値を意味するものであり、例えば、最初のＰＱＩ状態値、又は最も低いＰＱＩ状態値などと定義できる。
【０３７４】
上記の端末動作を次のように表現することもできる。
・ＴＭ１０に設定された端末がポート０乃至３で復調されるＰＤＳＣＨを受信する場合、端末は、当該ＰＤＳＣＨの開始シンボルを定義するＰＱＩ状態の開始シンボル情報がサービス提供セルの開始シンボルと同様に与えられると仮定することができる。ここで、ポート０乃至３は、ＣＲＳアンテナポートインデクスを意味する。
【０３７５】
本発明の他の変形例として、ＤＣＩフォーマット１ＡによってＰＤＳＣＨがスケジュールされる場合には、常にＤＣＩフォーマット２Ｄに対して設定されたＰＱＩ状態値のうちあらかじめ決定された一つ（例えば、最も低いＰＱＩ状態値）に該当するＰＱＩパラメータに従うようにするが、非ＭＢＳＦＮサブフレームにおいて共通探索空間上で送信されるＤＣＩフォーマット１ＡによってＰＤＳＣＨがスケジュールされる場合には、上記ＰＱＩパラメータのうちＰＤＳＣＨ開始シンボル情報及び／又はＣＲＳ ＲＭパターン情報はサービス提供セル以外の他のセルの情報によってＲＲＣ設定されると予想することが許容されないと定義してもよい。これによる端末動作は、次のように整理できる。
【０３７６】
まず、ＣＲＳ ＲＭ情報に対する端末動作は、次のように定義できる。
・非ＭＢＳＦＮサブフレームにおいて共通探索空間上のＤＣＩフォーマット１ＡによってＰＤＳＣＨがスケジュールされる場合、端末は、ＤＣＩフォーマット２Ｄに対して設定されたＰＱＩ状態値のうち、あらかじめ決定された一つによって示されるＣＲＳ ＲＭパターンに関連したパラメータは当該端末のサービス提供セルのＣＲＳ ＲＭ情報と異なると予想することが許容されない。ここで、ＤＣＩフォーマット２Ｄは、ＰＱＩフィールドを含むＤＣＩフォーマットを例示的に称するものである。また、ＰＱＩ状態値のうちあらかじめ決定された一つは、デフォルトＰＱＩ状態値を意味するものであり、例えば、最初のＰＱＩ状態値、又は最も低いＰＱＩ状態値などと定義できる。また、ＰＱＩパラメータのうちＣＲＳ ＲＭパターンに関連したパラメータは、ＣＲＳポート個数（例えば、１、２、４、又は留保された値）、ＣＲＳ周波数シフト、ＭＢＳＦＮサブフレーム設定などに該当する。
【０３７７】
次に、ＰＤＳＣＨ開始シンボル情報に対する端末動作を次のように定義できる。
・非ＭＢＳＦＮサブフレームにおいて共通探索空間上のＤＣＩフォーマット１ＡによってＰＤＳＣＨがスケジュールされる場合、端末は、ＤＣＩフォーマット２Ｄに対して設定されたＰＱＩ状態値のうち、あらかじめ決定された一つによって示されるＰＤＳＣＨ開始シンボル情報は当該端末のサービス提供セルのＰＤＳＣＨ開始シンボル情報と異なると予想することが許容されない。ここで、ＤＣＩフォーマット２Ｄは、ＰＱＩフィールドを含むＤＣＩフォーマットを例示的に称するものである。また、ＰＱＩ状態値のうちあらかじめ決定された一つは、デフォルトＰＱＩ状態値を意味するものであり、例えば、最初のＰＱＩ状態値、又は最も低いＰＱＩ状態値などと定義できる。
【０３７８】
ＰＤＳＣＨ ＱＣＬ振舞及びＥＰＤＣＣＨ ＱＣＬ振舞
【０３７９】
前述した本発明の様々な提案のうち、ＰＤＳＣＨに対するＱＣ振舞（又は、ＰＤＳＣＨ ＱＣＬ振舞）として振舞Ａ、振舞Ｂを定義した。簡単に再整理すると、ＰＤＳＣＨ ＱＣＬ振舞Ａは、サービス提供セルＣＲＳと、ＣＳＩ−ＲＳと、ＰＤＳＣＨ ＤＭＲＳとの間のＱＣＬを仮定する振舞であり、ＰＤＳＣＨ ＱＣＬ振舞Ｂは、ＣＳＩ−ＲＳ（例えば、特定セルのＣＲＳとＱＣＬされたＣＳＩ−ＲＳ）とＰＤＳＣＨ ＤＭＲＳとの間のＱＣＬを仮定する振舞である。
【０３８０】
前述した本発明の様々な提案のうち、ＥＰＤＣＣＨに対するＱＣ振舞（又は、ＥＰＤＣＣＨ ＱＣＬ振舞）として振舞Ａ、振舞Ｂを定義した。簡単に再整理すると、ＥＰＤＣＣＨ ＱＣＬ振舞Ａは、ＥＰＤＣＣＨ ＤＭＲＳとサービス提供セルＣＲＳとの間のＱＣＬを仮定する振舞であり、ＥＰＤＣＣＨ ＱＣＬ振舞Ｂは、ＥＰＤＣＣＨ ＤＭＲＳとＣＳＩ−ＲＳとの間のＱＣＬを仮定する振舞である。
【０３８１】
本発明の追加的な提案として、ＥＰＤＣＣＨ ＱＣＬ振舞Ａ及びＥＰＤＣＣＨ ＱＣＬ振舞Ｂは、いずれのＰＤＳＣＨ ＱＣＬ振舞がＲＲＣ設定されるかに応じた制約下で設定されるようにすることができる。
【０３８２】
例えば、端末がＰＤＳＣＨ ＱＣＬ振舞Ａ（すなわち、サービス提供セルＣＲＳと、ＣＳＩ−ＲＳと、ＤＭＲＳとの間のＱＣＬ）に設定される場合、ＥＰＤＣＣＨ ＱＣＬ振舞Ａ（すなわち、サービス提供セルＣＲＳとＥＰＤＣＣＨ ＤＭＲＳとの間のＱＣＬ）が自動的に設定されるようにすることができる。いい換えると、端末がＰＤＳＣＨ ＱＣＬ振舞Ａに設定される場合、ＥＰＤＣＣＨ ＱＣＬ振舞は必ずＥＰＤＣＣＨ ＱＣＬ振舞Ａだけに設定されなければならない。すなわち、端末がＰＤＳＣＨ ＱＣＬ振舞Ａに設定される場合、当該端末はＥＰＤＣＣＨ ＱＣＬ振舞Ｂ（すなわち、ＣＳＩ−ＲＳとＥＰＤＣＣＨ ＤＭＲＳとの間のＱＣＬ）として設定されると予想することが許容されない。端末がＰＤＳＣＨ ＱＣＬ振舞Ａに設定されたとき、ＰＱＩパラメータでＱＣＬ目的のＮＺＰ ＣＳＩ−ＲＳ設定に関する情報が含まれないこともあるため、ＥＰＤＣＣＨ ＱＣＬ振舞Ｂに設定される場合、いずれのＣＳＩ−ＲＳとＥＰＤＣＣＨ ＤＭＲＳとがＱＣＬであるかを特定できなくなる。そのため、このようなあいまい性を防止するために、ＰＤＳＣＨ ＱＣＬ振舞Ａに設定されたとき、ＥＰＤＣＣＨ ＱＣＬ振舞Ａが設定されることが適切である。これと類似の目的で、ＥＰＤＣＣＨ 振舞Ａが設定される場合にはＰＤＳＣＨ振舞Ａが設定されるようにすることもできる。
【０３８３】
追加的な例示として、端末がＰＤＳＣＨ ＱＣＬ振舞Ｂ（すなわち、ＣＳＩ−ＲＳ及びＤＭＲＳ間のＱＣＬ）に設定される場合、ＥＰＤＣＣＨ ＱＣＬ振舞Ｂ（すなわち、ＣＳＩ−ＲＳとＥＰＤＣＣＨ ＤＭＲＳ間のＱＣＬ）が自動的に設定されるようにすることができる。いい換えると、端末がＰＤＳＣＨ ＱＣＬ振舞Ｂに設定される場合、ＥＰＤＣＣＨ ＱＣＬ振舞は必ずＥＰＤＣＣＨ ＱＣＬ振舞Ｂだけに設定されなければならない。すなわち、端末がＰＤＳＣＨ ＱＣＬ振舞Ｂに設定される場合、当該端末はＥＰＤＣＣＨ ＱＣＬ振舞Ａ（すなわち、サービス提供セルＣＲＳとＥＰＤＣＣＨ ＤＭＲＳとの間のＱＣＬ）に設定されると予想することが許容されない。これは、ＰＤＳＣＨ ＱＣＬ振舞とＥＰＤＣＣＨ ＱＣＬ振舞との統一性を維持するためである。同様に、ＥＰＤＣＣＨ 振舞Ｂが設定される場合にはＰＤＳＣＨ振舞Ｂも設定されるようにすることもできる。
【０３８４】
このような本発明の提案を次のように表現することもできる。すなわち、ＰＤＳＣＨ ＱＣＬ振舞及びＥＰＤＣＣＨ ＱＣＬ振舞がいずれもＱＣＬ振舞Ａに設定されたり、又はいずれもＱＣＬ振舞Ｂに設定されたりするように制約をおくことができる。すなわち、ＰＤＳＣＨ ＱＣＬ振舞及びＥＰＤＣＣＨ ＱＣＬ振舞を、互いに連結又は依存性を有するようにＲＲＣ設定することができる。
【０３８５】
一方、端末がＰＤＳＣＨ ＱＣＬ振舞Ｂ（すなわち、ＣＳＩ−ＲＳとＤＭＲＳとの間のＱＣＬ）に設定される場合、ＥＰＤＣＣＨ ＱＣＬ振舞は、ＥＰＤＣＣＨ ＱＣＬ振舞Ａ（すなわち、サービス提供セルＣＲＳとＥＰＤＣＣＨ ＤＭＲＳとの間のＱＣＬ）又はＥＰＤＣＣＨ ＱＣＬ振舞Ｂ（すなわち、ＣＳＩ−ＲＳとＥＰＤＣＣＨ ＤＭＲＳとの間のＱＣＬ）のいずれか一つに設定してもよい。すなわち、ＰＤＳＣＨ ＱＣＬ振舞Ｂである場合に限って、ＥＰＤＣＣＨ ＱＣＬ振舞はＡ又はＢのいずれかがＲＲＣ設定されるように制約を緩和することもできる。
【０３８６】
これと同様に、ＥＰＤＣＣＨ ＱＣＬ振舞Ｂを設定する場合には、ＰＤＳＣＨ ＱＣＬ振舞Ａ又はＢのいずれか一つに設定してもよい。
【０３８７】
又は、ＰＤＳＣＨ ＱＣＬ振舞とＥＰＤＣＣＨ ＱＣＬ振舞との間の設定上の独立性を提供するためには、前述したような制約を置かなくてもよい。すなわち、端末がＰＤＳＣＨ ＱＣＬ振舞Ａ（すなわち、サービス提供セルＣＲＳと、ＣＳＩ−ＲＳと、ＤＭＲＳとの間のＱＣＬ）に設定される場合、ＥＰＤＣＣＨ ＱＣＬ振舞は、ＥＰＤＣＣＨ ＱＣＬ振舞Ａ（すなわち、サービス提供セルＣＲＳとＥＰＤＣＣＨ ＤＭＲＳとの間のＱＣＬ）又はＥＰＤＣＣＨ ＱＣＬ振舞Ｂ（すなわち、ＣＳＩ−ＲＳとＥＰＤＣＣＨ ＤＭＲＳとの間のＱＣＬ）のいずれか一つに設定してもよい。
【０３８８】
同様に、ＥＰＤＣＣＨ ＱＣＬ振舞Ａが設定される場合には、ＰＤＳＣＨ ＱＣＬ振舞Ａ又はＢのうちいずれか一つに設定してもよい。
【０３８９】
一方、それぞれのＥＰＤＣＣＨセット別に適用される（ＥＰＤＣＣＨを介して送信されるＤＣＩによってスケジュールされるＰＤＳＣＨの復調のために用いられる、及び／又はＥＰＤＣＣＨ自体の復号のために用いられる）特定の一つのＰＱＩ状態値をＲＲＣ設定してもよい。この場合、ＥＰＤＣＣＨ振舞Ａ（すなわち、サービス提供セルＣＲＳとＥＰＤＣＣＨ ＤＭＲＳとの間のＱＣＬ）が設定されているとき、端末はＰＤＳＣＨ復調及び／又はＥＰＤＣＣＨ復号のために、上記指示された特定の一つのＰＱＩ状態値に結合されたＰＱＩパラメータセットに含まれるＰＱＩパラメータのうち一部と、ＤＬサービス提供セルの他のＰＱＩパラメータとに従うように動作できる。
【０３９０】
ここで、ＲＲＣ指示された特定の一つのＰＱＩ状態値に結合されたＰＱＩパラメータセットに含まれるＰＱＩパラメータは、ＣＲＳポートの個数、ＣＲＳ周波数シフト、ＭＢＳＦＮサブフレーム設定情報、ＮＺＰ ＣＳＩ−ＲＳ設定情報、ＺＰ ＣＳＩ−ＲＳ設定情報、ＰＤＳＣＨ開始シンボル情報などを含むことができる。
【０３９１】
例えば、端末は、ＲＲＣ指示された特定一つのＰＱＩ状態値に結合されたＰＱＩパラメータセットに含まれるＰＱＩパラメータのうち、ＰＤＳＣＨ開始シンボル情報だけと、サービス提供セルの他のパラメータとに従うように動作できる。
【０３９２】
他の例示として、端末は、ＲＲＣ指示された特定一つのＰＱＩ状態値に結合されたＰＱＩパラメータセットに含まれるＰＱＩパラメータのうち、ＣＲＳ ＲＭパターン情報（例えば、サービス提供セルのＣＲＳポート個数、サービス提供セルのＣＲＳ周波数シフト、及びサービス提供セルのＭＢＳＦＮサブフレーム設定）だけと、サービス提供セルの他のパラメータとに従うように動作してもよい。
【０３９３】
他の例示として、端末は、ＲＲＣ指示された特定一つのＰＱＩ状態値に結合されたＰＱＩパラメータセットに含まれるＰＱＩパラメータのうち、一つのＺＰ ＣＳＩ−ＲＳ設定情報だけと、サービス提供セルの他のパラメータとに従うように動作してもよい。
【０３９４】
他の例示として、端末は、ＲＲＣ指示された特定一つのＰＱＩ状態値に結合されたＰＱＩパラメータセットに含まれるＰＱＩパラメータのうち、ＰＤＳＣＨ開始シンボル情報とＣＲＳ ＲＭパターン情報（例えば、サービス提供セルのＣＲＳポート個数、サービス提供セルのＣＲＳ周波数シフト、及びサービス提供セルのＭＢＳＦＮサブフレーム設定）だけと、サービス提供セルの他のパラメータとに従うように動作してもよい。
【０３９５】
他の例示として、端末は、ＲＲＣ指示された特定一つのＰＱＩ状態値に結合されたＰＱＩパラメータセットに含まれるＰＱＩパラメータのうち、ＰＤＳＣＨ開始シンボル情報と一つのＺＰ ＣＳＩ−ＲＳ設定情報だけと、サービス提供セルの他のパラメータとに従うように動作してもよい。
【０３９６】
他の例示として、端末は、ＲＲＣ指示された特定一つのＰＱＩ状態値に結合されたＰＱＩパラメータセットに含まれるＰＱＩパラメータのうち、ＣＲＳ ＲＭパターン情報（例えば、サービス提供セルのＣＲＳポート個数、サービス提供セルのＣＲＳ周波数シフト及びサービス提供セルのＭＢＳＦＮサブフレーム設定）及び一つのＺＰ ＣＳＩ−ＲＳ設定情報だけと、サービス提供セルの他のパラメータとに従うように動作してもよい。
【０３９７】
他の例示として、端末は、ＲＲＣ指示された特定一つのＰＱＩ状態値に結合されたＰＱＩパラメータセットに含まれるＰＱＩパラメータのうち、ＰＤＳＣＨ開始シンボル情報、ＣＲＳ ＲＭパターン情報（例えば、サービス提供セルのＣＲＳポート個数、サービス提供セルのＣＲＳ周波数シフト及びサービス提供セルのＭＢＳＦＮサブフレーム設定）及び一つのＺＰ ＣＳＩ−ＲＳ設定情報だけと、サービス提供セルの他のパラメータとに従うように動作してもよい。
【０３９８】
ＰＱＩフィールドの構成
【０３９９】
ＣｏＭＰ動作をサポートすることを大きな特徴とする新しい送信モード（例えば、ＴＭ１０）に対するＤＣＩフォーマット２Ｄは、ＰＱＩフィールドを含むことができる。ＰＱＩフィールドはＮビットサイズと定義でき、これによって２＾Ｎ個の状態値のうち一つを示すことができる。２＾Ｎ個のＰＱＩ状態値のそれぞれに対応するＰＱＩパラメータセットをＲＲＣ設定してもよい。一つのＰＱＩパラメータセットには、ＣＲＳポートの個数、ＣＲＳ周波数シフト、ＭＢＳＦＮサブフレーム設定情報、ＮＺＰ ＣＳＩ−ＲＳ設定情報、ＺＰ ＣＳＩ−ＲＳ設定情報、ＰＤＳＣＨ開始シンボル情報などが含まれてもよい。したがって、ＰＱＩ状態値によって２＾Ｎ個のＰＱＩパラメータセットのいずれか一つを動的に指示又は切り替えることができる。
【０４００】
一方、ＴＭ１０におけるフォールバック動作のためのＤＣＩフォーマット１ＡにはＰＱＩフィールドが含まれないように定義される。すなわち、ＴＭ１０におけるＤＣＩフォーマット１ＡにＰＱＩフィールドがないということは、ＤＣＩフォーマット１Ａによっては非ＣｏＭＰ動作がサポートされるという意味であり、例えば、ＤＬサービス提供セルからの非ＣｏＭＰ送信だけがスケジュールされるという意味と解釈できる。
【０４０１】
他の例示として、共通探索空間上で送信されるＤＣＩフォーマット１Ａは、他のＤＣＩフォーマットとの長さを同様に維持するためにＰＱＩフィールドを含まないものと定義できるが、端末特定探索空間上で送信されるＤＣＩフォーマット１Ａは、ＤＣＩフォーマット２Ｄと同様に、ＰＱＩフィールドを含むと定義でき、これによってＣｏＭＰ動作をサポートすることができる。
【０４０２】
他の例示として、非ＭＢＳＦＮサブフレームにおいて送信されるＤＣＩフォーマット１ＡはＰＱＩフィールドを含まず、ＭＢＳＦＮサブフレームにおいて送信されるＤＣＩフォーマット１ＡはＤＣＩフォーマット２Ｄと同様に、ＰＱＩフィールドを含むと定義でき、これによってＣｏＭＰ動作をサポートすることができる。
【０４０３】
他の例示として、非ＭＢＳＦＮサブフレームにおいて共通探索空間上で送信されるＤＣＩフォーマット１ＡはＰＱＩフィールドを含まず、ＭＢＳＦＮサブフレームにおいて送信されるＤＣＩフォーマット１Ａ及び非ＭＢＳＦＮサブフレームにおいて端末特定探索空間上で送信されるＤＣＩフォーマット１Ａは、ＤＣＩフォーマット２Ｄと同様に、ＰＱＩフィールドを含むと定義でき、これによってＣｏＭＰ動作をサポートすることができる。
【０４０４】
他の例示として、非ＭＢＳＦＮサブフレームにおいて送信されるＤＣＩフォーマット１Ａ及びＭＢＳＦＮサブフレームにおいて共通探索空間上で送信されるＤＣＩフォーマット１Ａは、ＰＱＩフィールドを含まず、ＭＢＳＦＮサブフレームにおいて端末特定探索空間上で送信されるＤＣＩフォーマット１Ａは、ＤＣＩフォーマット２Ｄと同様に、ＰＱＩフィールドを含むと定義でき、これによってＣｏＭＰ動作をサポートすることができる。
【０４０５】
一方、ＰＱＩビット幅（すなわち、Ｎ）は、端末の能力に応じて別々に定義することができる。例えば、（ＴＭ１０で）最大限にサポートされるＣＳＩプロセスの個数（Ｎ＿Ｐ）に対する端末能力が定義され、端末はそれを基地局に知らせることができる。例えば、Ｎ＿Ｐ＝１、３、又は４と定義できる。
【０４０６】
本発明では、Ｎ＿Ｐ値によってＰＱＩビット幅（Ｎ）が決定されることを提案する（Ｎは、ＰＱＩビット幅、ＰＱＩ状態の個数、又はＰＱＩ状態の符号化パターンなどを示す値として定義してもよい）。
【０４０７】
Ｎ＿Ｐ＝１の場合、ＰＱＩのための明示的なビットはＤＣＩフォーマット上に存在しないと定義可能である（すなわち、Ｎ＝０）。この場合、ＰＱＩのための明示的なビットはないが、一つのデフォルトＰＱＩ状態に対するＰＱＩパラメータセットは、デフォルト情報としてＲＲＣ信号通知するか、又は別のＲＲＣ信号通知無しで、ＤＣＩフォーマット１Ａで用いるデフォルトＰＱＩ状態に該当するＲＲＣ設定されたパラメータが、ＤＣＩフォーマット２Ｄでもそのまま用いられると定義してもよい。
【０４０８】
又は、Ｎ＿Ｐ＝１の場合、ＰＱＩのための明示的なビットを定義しない一方、ｎＳＣＩＤフィールドの値によって、連携する２個の状態値（０又は１）をＰＱＩ状態値として用いることもできる。
【０４０９】
又は、Ｎ＿Ｐ＝１の場合、ＰＱＩのための明示的な１ビットをＤＣＩフォーマット上に含めてもよい。これによって、２個のＰＱＩ状態値を表現することができる。
【０４１０】
Ｎ＿Ｐ＝３又は４の場合、ＰＱＩのための明示的な２ビットがＤＣＩフォーマット上に含まれると定義することもできる。
【０４１１】
又は、Ｎ＿Ｐ＝３又は４の場合、ＰＱＩのための明示的な１ビットがＤＣＩフォーマット上に含まれ、この１ビットとｎＳＣＩＤフィールドの値に応じて連携する２個の状態値（０又は１）を組み合わせて、３個又は４個のＰＱＩ状態のうちいずれか一つが指示されるようにすることもできる。
【０４１２】
又は、Ｎ＿Ｐ＝３の場合は、ＰＱＩのための明示的なビットを１ビットだけを適用し、２個の状態値だけを制限的に用いるようにする方法も適用可能である。
【０４１３】
前述した例示のように、最大限にサポートされるＣＳＩプロセス個数に対する端末能力値Ｎ＿Ｐによって、固定的にＰＱＩビット幅（又は、ＰＱＩ状態の個数）Ｎを決定する方法と同様に、Ｎ＿Ｐ値によってＰＱＩビット幅（又は、ＰＱＩ状態の個数）の最大値を決定することもできる。すなわち、ＰＱＩビット幅の最大値以内でＰＱＩパラメータセットをＲＲＣ設定してもよい。
【０４１４】
一方、ＤＣＩフォーマット１Ａで用いるＰＱＩ状態のＲＲＣパラメータセット情報は、ＤＣＩフォーマット２Ｄの特定ＰＱＩ状態（例えば、最も低い状態インデクス）を固定的に用いるようにすることもできる。また、ＤＣＩフォーマット１Ａの場合に適用するＰＱＩパラメータとして、ＤＣＩフォーマット２Ｄの特定ＰＱＩ状態によって指示されるＰＱＩパラメータを用いるようにする動作を適用するか否かを、ＲＲＣ設定してもよい。
【０４１５】
図１２は、本発明によるＰＤＳＣＨ信号送受信方法を説明するためのフローチャートである。
【０４１６】
段階Ｓ１２１０で、端末は、上位層によって設定されるＰＱＩパラメータセットのいずれか一つのＰＱＩパラメータセットに含まれるＰＱＩパラメータのうち、特定サブフレーム設定情報（例えば、ＭＢＳＦＮサブフレーム設定情報）及びＰＤＳＣＨ開始シンボルインデクス値（例えば、Ｋ）を確認／決定することができる。
【０４１７】
段階Ｓ１２２０で、端末は、ＰＤＳＣＨの受信される下りリンクサブフレームが、前記特定サブフレームセットに属するか否かを決定することができる。
【０４１８】
段階Ｓ１２２０の結果がＹＥＳである（例えば、ＰＤＳＣＨ受信サブフレームがＭＢＳＦＮサブフレームである）ときは、段階Ｓ１２３０に進み、端末は、特定サブフレームに対するＰＤＳＣＨ開始シンボルインデクスｋを決定することができる。例えば、ｋ＝ｍｉｎ（ＫThreshold，Ｋ）と決定できる。
【０４１９】
段階Ｓ１２２０の結果がＮＯである（例えば、ＰＤＳＣＨ受信サブフレームが非ＭＢＳＦＮサブフレームである）ときは、段階Ｓ１２４０に進み、端末は、上位層に与えられたＰＤＳＣＨ開始シンボルインデクス値Ｋをそのまま適用することができる。
【０４２０】
このようにサブフレームタイプによってＰＤＳＣＨ開始シンボルを決定した端末は、それによってＰＤＳＣＨ信号を受信することができる。
【０４２１】
図１２を参照して説明したＰＤＳＣＨ信号送受信方法に対して、前述した本発明の様々な実施例で説明した事項を独立して適用してもよいし、２以上の実施例を同時に適用してもよい。ここで、重複する説明は省略する。
【０４２２】
図１３は、本発明による端末装置及び基地局装置の好適な実施例の構成を示す図である。
【０４２３】
図１３を参照すると、本発明による基地局装置１０は、受信モジュール１１、送信モジュール１２、プロセッサ１３、メモリ１４及び複数のアンテナ１５を含むことができる。受信モジュール１１は、外部装置（例えば、端末）から各種の信号、データ及び情報を受信することができる。送信モジュール１２は、外部装置（例えば、端末）に各種の信号、データ及び情報を送信することができる。プロセッサ１３は、基地局装置１０全般の動作を制御することができる。複数のアンテナ１５は、基地局装置１０がＭＩＭＯ送受信をサポートするということを意味する。
【０４２４】
本発明の一例による基地局装置１０は、端末装置２０にＰＤＳＣＨ信号を送信するように構成できる。プロセッサ１３は、端末がＰＤＳＣＨ開始シンボル値を決定できるようにするパラメータＫを上位層信号通知によって端末装置に設定することができる。ＰＤＳＣＨ送信サブフレームが特定サブフレームセット（例えば、マルチキャスト・ブロードキャスト単一周波網（ＭＢＳＦＮ）サブフレームセット）に属する場合には、ＰＤＳＣＨ開始シンボルインデクスｋをｋ＝ｍｉｎ（ＫThreshold，Ｋ）と決定し、それによってＰＤＳＣＨを下りリンクサブフレームにマップして送信することができる。特定サブフレームセットでない場合には、ＰＤＳＣＨ開始シンボルインデクスをＫ値と決定し、それによってＰＤＳＣＨを下りリンクサブフレームにマップして送信することができる。
【０４２５】
基地局装置１０のプロセッサ１３は、その他にも、基地局装置１０が受信した情報、外部に送信する情報などを演算処理する機能を果たし、メモリ１４は、演算処理された情報などを所定の時間記憶することができ、バッファ（図示せず）などの構成要素に取り替えられてもよい。
【０４２６】
図１３を参照すると、本発明による端末装置２０は、受信モジュール２１、送信モジュール２２、プロセッサ２３、メモリ２４及び複数のアンテナ２５を含むことができる。受信モジュール２１は、外部装置（例えば、基地局）から各種の信号、データ及び情報を受信することができる。送信モジュール２２は、外部装置（例えば、基地局）に各種の信号、データ及び情報を送信することかできる。プロセッサ２３は、端末装置２０全般の動作を制御することができる。複数のアンテナ２５は、端末装置２０がＭＩＭＯ送受信をサポートするということを意味する。
【０４２７】
本発明の一例による端末装置２０は、基地局装置１０からＰＤＳＣＨ信号を受信するように構成できる。プロセッサ２３は、下りリンクサブフレームにおいて前記ＰＤＳＣＨの開始シンボルインデクスを決定するように設定できる。また、プロセッサ２３は、開始シンボルインデクスに基づいてＰＤＳＣＨ信号を受信モジュール２１を通して受信するように設定できる。ここで、プロセッサ２３は、下りリンクサブフレームが特定サブフレームセット（例えば、ＭＢＳＦＮサブフレームセット）に属するときは、ＰＤＳＣＨ開始シンボルインデクスｋを、ｋ＝ｍｉｎ（ＫThreshold，Ｋ）によって決定するように設定できる。ＫThresholdは、所定のしきい値であり、Ｋは、前記下りリンクサブフレームが特定サブフレームセットに属しない場合のＰＤＳＣＨ開始シンボルインデクスである。下りリンクサブフレームが特定サブフレームセットに属しないときは、ＰＤＳＣＨ開始シンボルインデクスはＫに決定してもよい。
【０４２８】
端末装置２０のプロセッサ２３は、その他にも、端末装置２０が受信した情報、外部に送信する情報などを演算処理する機能を果たし、メモリ２４は、演算処理された情報などを所定の時間記憶することができ、バッファ（図示せず）などの構成要素に置き替えてもよい。
【０４２９】
このような基地局装置１０及び端末装置２０の具体的な構成は、前述した本発明の様々な実施例で説明した事項が独立して適用されるか、又は２以上の実施例が同時に適用されるように具現することができ、重複する内容については説明を省略する。
【０４３０】
また、本発明の様々な実施例の説明において、下りリンク送信エンティティ又は上りリンク受信エンティティは主に基地局を例に挙げて説明し、下りリンク受信エンティティ又は上りリンク送信エンティティは主に端末を例に挙げて説明したが、本発明の範囲がこれに制限されるものではない。例えば、基地局に関する説明は、セル、アンテナポート、アンテナポートグループ、ＲＲＨ、送信ポイント、受信ポイント、アクセスポイント、中継器などが端末への下りリンク送信エンティティとなるか、又は端末からの上りリンク受信エンティティとなる場合にも同様に適用することができる。また、中継器が端末への下りリンク送信エンティティとなるか、若しくは端末からの上りリンク受信エンティティとなる場合、又は中継器が基地局への上りリンク送信エンティティとなるか、若しくは基地局からの下りリンク受信エンティティとなる場合にも、本発明の様々な実施例で説明した本発明の原理を同様に適用することができる。
【０４３１】
上述した本発明の実施例は様々な手段によって具現することができる。例えば、本発明の実施例は、ハードウェア、ファームウェア、ソフトウェア又はそれらの結合などによって具現することができる。
【０４３２】
ハードウェアによる具現の場合、本発明の実施例による方法は、一つ又はそれ以上の特定用途集積回路（ＡＳＩＣ）、デジタル信号プロセッサ（ＤＳＰ）、デジタル信号処理デバイス（ＤＳＰＤ）、プログラム可能論理デバイス（ＰＬＤ）、フィールドプログラム可能ゲートアレイ（ＦＰＧＡ）、プロセッサ、コントローラ、マイクロコントローラ、マイクロプロセッサなどによって具現することができる。
【０４３３】
ファームウェア又はソフトウェアによる具現の場合、本発明の一実施例は、以上で説明された機能又は動作を実行するモジュール、手順、関数などの形態として具現することができる。ソフトウェアコードは、メモリユニットに記憶させ、プロセッサによって駆動することができる。メモリユニットは、プロセッサの内部又は外部に設けられ、公知の様々な手段によってプロセッサとデータを授受することができる。
【０４３４】
以上開示した本発明の好ましい実施例についての詳細な説明は、当業者が本発明を具現して実施できるように提供された。以上では本発明の好適な実施例を参照して説明したが、当該技術の分野における熟練した当業者にとっては、本発明の領域から逸脱しない範囲内で本発明を様々に修正及び変更できるということは明らかである。例えば、当業者は、上記の実施例に記載された各構成を互いに組み合わせる方式で用いることができる。したがって、本発明は、ここに開示されている実施の形態に制限されるものではなく、ここに開示されている原理及び新規な特徴と一致する最も広い範囲を与えるためのものである。
【０４３５】
本発明は、本発明の精神及び必須特徴から逸脱しない範囲で他の特定の形態として具体化できる。したがって、上記の詳細な説明は、いずれの面においても制約的に解釈してはならず、例示的なものとして考慮しなければならない。本発明の範囲は、添付した請求項の合理的な解釈によって決定しなければならず、本発明の等価的範囲内における変更はいずれも本発明の範囲に含まれる。本発明は、ここに開示されている実施の形態に制限されるものではなく、ここに開示されている原理及び新規な特徴と一致する最も広い範囲を与えるためのものである。また、特許請求の範囲における明示的な引用関係にない請求項を結合して実施例を構成してもよく、出願後の補正によって新しい請求項として含めてもよい。
【産業上の利用可能性】
【０４３６】
上述したような本発明の実施の形態は、様々な移動体通信システムに適用可能である。
【図１】
0006294327.tif 000029
【図２】
0006294327.tif 000030
【図３】
0006294327.tif 000031
【図４】
0006294327.tif 000032
【図５（ａ）】
0006294327.tif 000033
【図５（ｂ）】
0006294327.tif 000034
【図６】
0006294327.tif 000035
【図７】
0006294327.tif 000036
【図８】
0006294327.tif 000037
【図９】
0006294327.tif 000038
【図１０】
0006294327.tif 000039
【図１１】
0006294327.tif 000040
【図１２】
0006294327.tif 000041
【図１３】
0006294327.tif 000042